(57)【要約】      （修正有）【課題】通常コイルを使った、超電導電気による常温電気抵抗ゼロの常温電気抵抗ゼロ配線技術の高出力銅筒管コイル配線を提供する。【解決手段】圧電素子４電子磁気分割装置を使用した電気抵抗ゼロ配線と通常コイル配線を、軽水素トリチウム電子ガスと軽量圧電素子磁石体粒子を使った常温での電気抵抗ゼロに近い配線の高出力軽水素トリチウム電子ガス入りの軽量圧電素子磁石体粒子入りの高出力銅筒管コイルを使った高出力銅筒管コイル配線である。高出力銅筒管コイル配線１は、コイル台Ａ２とコイル台Ｂ３でコイル芯に固定するように填め込む接合型であって、マイナス高出力銅筒管コイル配線６が高出力銅筒管コイル配線部分７に綺麗に順番に巻かれている。【選択図】図２
0003203106.tif 000002
【実用新案登録請求の範囲】
【請求項１】
本考案の、電気抵抗のゼロ状態で電気を流せる電気配線構造は、配線構造物質が異なる二種類の異なった配線に対して、銅筒配線形状にした銅筒管電気配線の中に、電気抵抗ゼロに出来る軽水素トリチウム電子ガスを圧電素子磁石体粒子物質に入れた圧電素子磁石体のチタン酸バリウム液内に軽水素トリチウム電子ガスを混合撹拌した圧電素子電気配線に対して、黒雲母のガラス物質の超細ガラス粒子体其々を軽水素入りのチタン酸バリウム溶液と混合撹拌した軽水素トリチウム電子ガス入りの圧電素子磁石体粒子物質の気化ガス混合圧電素子配線を銅筒管コイル配線の筒状の銅線の中に入れた電気抵抗ゼロ物質配線で出来て居る二種類の異なった電気抵抗ゼロに擦る為のガス内蔵の二重配線の命名電気配線としての高出力銅筒管コイル配線。
【請求項２】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来る水素ガスを圧電素子磁石体粒子物質のチタン酸バリウム液に水素ガスを混合撹拌したチタン酸バリウム溶液と黒雲母のガラス物質の超粒子ガラス粒子其々を混合撹拌した水素ガス入りの圧電素子の、気化ガス混合圧電素子配線を銅筒管コイル配線の筒状の銅線の中に入れた電気抵抗ゼロガス入りの圧電素子電気配線の請求項１記載の気化ガス入りの圧電素子磁石体粒子配線を銅筒管に内蔵した高出力銅筒管コイル配線。
【請求項３】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来るアルゴンガスを圧電素子磁石体粒子物質のチタン酸バリウム液にアルゴンガスを混合撹拌したチタン酸バリウム溶液と黒雲母のガラス物質の超粒子ガラス粒子其々を混合撹拌したアルゴンガス入りの圧電素子の、気化ガス混合圧電素子配線を銅筒管コイル配線の筒状の銅線の中に入れた電気抵抗ゼロガス入りの圧電素子電気配線の請求項１記載の気化ガス入りの圧電素子磁石体粒子配線を銅筒管に内蔵した高出力銅筒管コイル配線。
【請求項４】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来るネオンガスを圧電素子磁石体粒子物質のチタン酸バリウム液にネオンガスを混合撹拌したチタン酸バリウム溶液と黒雲母のガラス物質の超粒子ガラス粒子其々を混合撹拌したネオンガス入りの圧電素子の気化ガス混合圧電素子配線を銅筒管コイル配線の筒状の銅線の中に入れた電気抵抗ゼロガス入りの圧電素子電気配線の請求項１記載の気化ガス入りの圧電素子磁石体粒子配線を銅筒管に内蔵した高出力銅筒管コイル配線。
【請求項５】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来るヘリウムガスを圧電素子磁石体粒子物質のチタン酸バリウム液にヘリウムガスを混合撹拌したチタン酸バリウム溶液と黒雲母のガラス物質の超粒子ガラス粒子其々を混合撹拌したヘリウムガス入りの圧電素子の気化ガス混合圧電素子配線を銅筒管コイル配線の筒状の銅線の中に入れた電気抵抗ゼロガス入りの圧電素子電気配線の請求項１記載の気化ガス入りの圧電素子磁石体粒子配線を銅筒管に内蔵した高出力銅筒管コイル配線。
【請求項６】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来るキセノンガスを圧電素子磁石体粒子物質のチタン酸バリウム液にキセノンガスを混合撹拌したチタン酸バリウム溶液と黒雲母のガラス物質の超粒子ガラス粒子其々を混合撹拌したキセノンガス入りの圧電素子の気化ガス混合圧電素子配線を銅筒管コイル配線の筒状の銅線の中に入れた電気抵抗ゼロガス入りの圧電素子電気配線の請求項１記載の気化ガス入りの圧電素子磁石体粒子配線を銅筒管に内蔵した高出力銅筒管コイル配線。
【請求項７】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来るクリプトンガスを圧電素子磁石体粒子物質のチタン酸バリウム液にクリプトンガスを混合撹拌したチタン酸バリウム溶液と黒雲母のガラス物質の超粒子ガラス粒子其々を混合撹拌したクリプトンガス入りの圧電素子の気化ガス混合圧電素子配線を銅筒管コイル配線の筒状の銅線の中に入れた電気抵抗ゼロガス入りの圧電素子電気配線の請求項１記載の気化ガス入りの圧電素子磁石体粒子配線を銅筒管に内蔵した高出力銅筒管コイル配線。
【請求項８】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来る窒素ガスを圧電素子磁石体粒子物質のチタン酸バリウム液に窒素ガスを混合撹拌したチタン酸バリウム溶液と黒雲母のガラス物質の超粒子ガラス粒子其々を混合撹拌した窒素ガス入りの圧電素子の気化ガス混合圧電素子配線を銅筒管コイル配線の筒状の銅線の中に入れた電気抵抗ゼロガス入りの圧電素子電気配線の請求項１記載の気化ガス入りの圧電素子磁石体粒子配線を銅筒管に内蔵した高出力銅筒管コイル配線。
【請求項９】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来るアンモニアガスを圧電素子磁石体粒子物質のチタン酸バリウム液にアンモニアガスを混合撹拌したチタン酸バリウム溶液と黒雲母のガラス物質の超粒子ガラス粒子其々を混合撹拌したアンモニアガス入りの圧電素子の気化ガス混合圧電素子配線を銅筒管コイル配線の筒状の銅線の中に入れた電気抵抗ゼロガス入りの圧電素子電気配線の請求項１記載の気化ガス入りの圧電素子磁石体粒子配線を銅筒管に内蔵した高出力銅筒管コイル配線。
【請求項１０】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来る重水素ガスを圧電素子磁石体粒子物質のチタン酸バリウム液に重水素ガスを混合撹拌したチタン酸バリウム溶液と黒雲母のガラス物質の超粒子ガラス粒子其々を混合撹拌した重水素ガス入りの圧電素子の気化ガス混合圧電素子配線を銅筒管コイル配線の筒状の銅線の中に入れた電気抵抗ゼロガス入りの圧電素子電気配線の請求項１記載の気化ガス入りの圧電素子磁石体粒子配線を銅筒管に内蔵した高出力銅筒管コイル配線。
【請求項１１】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来る液化二酸化炭素ガスを圧電素子磁石体粒子物質のチタン酸バリウム液に液化二酸化炭素ガスを混合撹拌したチタン酸バリウム溶液と黒雲母のガラス物質の超粒子ガラス粒子其々を混合撹拌した液化二酸化炭素ガス入りの圧電素子の気化ガス混合圧電素子配線を銅管コイル配線の筒状の銅配線の中に入れた電気抵抗ゼロガス入りの圧電素子電気配線の請求項１記載の気化ガス入りの圧電素子磁石体粒子配線を銅筒管に内蔵した高出力銅筒管コイル配線。
【請求項１２】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来る塩素ガスを圧電素子磁石体粒子物質のチタン酸バリウム液に塩素ガスを混合撹拌したチタン酸バリウム溶液と黒雲母のガラス物質の超粒子ガラス粒子其々を混合撹拌した塩素ガス入りの圧電素子の気化ガス混合圧電素子配線を銅筒管コイル配線の筒状の銅線の中に入れた電気抵抗ゼロガス入りの圧電素子電気配線の請求項１記載の気化ガス入りの圧電素子磁石体粒子配線を銅筒管に内蔵した高出力銅筒管コイル配線。
【請求項１３】
本考案の、電気抵抗のゼロ状態で電気を流せる電気配線構造は、配線構造物質が異なる二種類の異なった配線に対して電気を通す配線構造として、銅筒管電気配線の中に、電気抵抗ゼロに出来る臭素ガスを圧電素子磁石体粒子物質のチタン酸バリウム液に臭素ガスを混合撹拌したチタン酸バリウム溶液と黒雲母のガラス物質の超粒子ガラス粒子其々を混合撹拌した臭素ガス入りの圧電素子の気化ガス混合圧電素子配線を銅筒管コイル配線の筒状の銅線の中に入れた電気抵抗ゼロガス入りの圧電素子電気配線の請求項１記載の気化ガス入りの圧電素子磁石体粒子配線を銅筒管に内蔵した高出力銅筒管コイル配線。
【考案の詳細な説明】
【技術分野】
【０００１】
本考案の高出力銅筒管コイルは、電気製品全般に世界中で使用される通常コイルの電気の流れるスピードに対してのコイル配線に流れる電気スピード比較に成り、圧電素子４電子磁気分割装置の通常電気中の熱抵抗電気のみを、取り除く装置なども実在するが、二つの技術合併する事によって電気抵抗ゼロの技術として、世界的の電気技術として有名な通常電気を液体ヘリウムなどで、マイナス２４３度近くまで、冷やさなければ電気抵抗ゼロに成らない事実に対して、最近の報道では、マイナス１３８度まで液体窒素等で冷やす圧電素子磁石電気配線物質によって超電導に成る説明がインターネット上公開されている著作権技術説明例なども、有るが常温電気送電使用でなければ、電気配線を一回一回冷やすとコストが莫大に成り、無理に近い技術説明に成り、常温電気が電気配線に電気が流れるスピードをゼロにする為、電気抵抗ゼロで通る物質探しから始まり、水等の液体は、電気抵抗ゼロに近い電気が流れる液体物質に成り、電気配線等では、水漏れ及び錆び付きの為、無理に近く成り、水に不凍液などの液体物質を、混ぜて凝固しない物質を混ぜた水の液体から水の入った流体溶液まで、不凍液及び窒素及び石の粉粒子を混ぜた電気配線状の物質に銅線を被せた配線及び、軽水素トリチウム電子ガス入りグラスフアイバーシートを、被せた電気配線は、通常の銅配線及び、超電導配線として登録済の電気配線よりは、水に含まれて入る水素中の軽水素トリチウム電子ガス効果によって電気の流れは、公開されている日本の大学の超電導配線世界トップ技術より、電気の流れが速く成るのは、軽水素トリチウム電子ガスに電気が流れる説明に成り、臭素等に含まれて入る水素中の軽水素トリチウム電子ガス効果によって、電気抵抗ゼロに近いスピードで電気が流れる事に成り、実際、ガソリン等が引火しなければ、ガソリン等でも電気抵抗ゼロで電気が流れるのは、気化ガスのプロパンガスでも、電気抵抗ゼロに近い電気の流れを示すのも、言うまでも無い事実に成り、軽油等に固形窒素とアンモニアガスを混ぜた混合物質と通常の軽油を比較した電気の流れ方でも、アンモニアガス等の気化ガス入り物質の方が、電気抵抗をゼロに近い電気スピードを得る事の出来る超電導配線は、通常固形物質使用例では、圧電素子磁石体に似せた物質が一番電気の流れが速く、バリウム溶液などの、液体を使用した電気配線は更に電気の流れが速く、更に気化ガス使用として、燃えない工夫をした水素ガスを使用した電気配線が、電気抵抗ゼロに近く成り、軽水素トリチウム電子ガスを使用した燃えない工夫をした気化ガス入りの軽水素トリチウム電子ガス入り配線は、電気抵抗ゼロに近づける最高の気化ガス説明に成り、水素中の重水素のプルトニウムガスは、電気抵抗物質ガスの著作説明文書に成る。
【背景技術】
【０００２】
本考案の、電気と同じスピードでコイル配線の電気が流れる似た電気配線には、超電導配線の日本企業のセラミック物質と銅線の合成配線が存在しているが、電気抵抗ゼロには程遠く、リニアーモーターカーの超電導配線使用に成らない知的所有財産のおそらく世界特許権なのかの確認は、特許権番号明示及び特開に海外特許権番号の存在を示す書き込み場所が日本特許庁の特許権の公報に公開されていない為で有り、配線構造及び形状及び配線の物質及び配線を作る過程全てが異なっている電気抵抗ゼロの気化ガスを合成した超電導配線が存在する著作物の事実。
【０００３】
更に、本考案の高出力銅筒管コイル配線より、電気スピードの落ちる日本の大学のケイ素及びヨウ素等を使った超電導配線が存在するが、電気抵抗ゼロには、程遠い超電導配線著作物が有る。
【０００４】
本考案の、本考案の高出力銅筒管コイル配線と同じ電気スピードと考えられる光フアイバー官配線は、コイル配線に成らない情報通信用の光フアイバー官の配線などの著作物も有る。
【０００５】
本考案の、本考案の高出力銅筒管コイル配線の原点と言える通常電気中の熱抵抗電気のみを取除く装置は、圧電素子４電子磁気分割装置として、電気から熱抵抗電気を減らして電気を長持ちさせ電気製品に無理を掛けない電気装置の有り方等の圧電素子磁石体を使った電気配線関連装置の著作物が有る。（例えば特許文献３２の特許公開２００４−３０４９９２号参照。）。
【０００６】
本考案の、本考案の高出力銅筒管コイル配線の原点と言える圧電素子磁気配線の参考著作図面の著作物が有る。（例えば特許文献３０の特許公開２００６−２５４６９７号の全レールモーター制御無害無給油発電機を、使用した電気自動車。参照。）。
【０００７】
本考案の、高出力銅筒管コイル配線には軽水素トリチウム電子ガス配線と水銀配線の二重の高出力銅筒管コイル配線が有る。
【０００８】
本考案の、高出力銅筒管コイル配線の電気配線表皮に竹灰入りプラスチックビニールゴム配線表皮が有る。
【先行技術文献】
【特許文献】
【０００９】
【特許文献１】特開２０１４―００８０６２号の農業用地熱暖房パネル。公序良俗違反のため、不掲載とする。
【００１０】
【特許文献２】特開２０１３―２４２８８２号の国会議員が必ず読んで借金返済対策を決めなければ成らない国と都道府県市町村区の全額借金返済の為の著作権５０００図未満の公開文書図と著作権編集機著作権原本。（企業と国及び都道府県市町村が特許権で無い企業の特許提出によって著作権編集機著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の新技術の著作権物技術。
【００１１】
【特許文献３】特開２０１３―２３４５７１号の未来の別の美瑛街に出来る世界遺産を目指す為の永遠に壊さないクリスタルダイヤガラスビルに伴う終身介護システムの著作権原本。
【００１２】
【特許文献４】特開２０１３―２０９７９２号の６５歳を過ぎてから使用する溶鉱炉及び陶器の火焼きに使用する耐熱エアー服と陶器ガラスの材料説明の著作権原本。
【００１３】
【特許文献５】特開２０１３―１７８８５３号の日本の弱者一人一人の財団設立後の日本の弱者一人一人の財団商品に貼られる全自動インターネット管理社会のカラー異種異形バーコードシステム。
【００１４】
【特許文献６】特開２０１３―１２７１４５号の国の全額借金返済と都道府県市町村区の全額借金返済の為の知的所有財産の稲の茎笹の茎ナイロン合成の固形窒素糸と果物粉末色を使用した冷却糸。（企業と国及び都道府県市町村が特許権で無い企業の特許提出によって稲の茎笹の茎ナイロン合成の固形窒素糸と果物粉末色を使用した冷却糸商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００１５】
【特許文献７】特開２０１３―１０２６８８号の国の全額借金返済と都道府県市町村区の全額借金返済の為の多機能電気トラクターの著作権原本。
【００１６】
【特許文献８】特開２０１３―０９４０５７号の国の全額借金返済と都道府県市町村区の全額借金返済の為の世界最速の超電導リニアーモーターカーシステム全体の著作権発明原本。（企業と国及び都道府県市町村が特許権で無い企業の特許提出によって世界最速の超電導リニアーモーターカーシステムの知的所有財産の技術を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【００１７】
【特許文献９】特開２０１３―０９３８９６号の国の全額借金返済と都道府県市町村区の全額借金返済の為の著作権先技術主張の高出力高画質発電ビデオテレビシステム（軽水素トリチウム電子ガス入りのテレビビデオインターネット防犯の映像音声システムに対して企業側が、国と都道府県市町村区と世界特許権無しで、家電製品に軽水素トリチウム電子ガスの回路技術の勝手使用によって知的所有財産の技術横領共謀で国も都道府県市町村区も著作権盗作によって罰せられます。）。
【００１８】
【特許文献１０】特開２０１３―０９１５７０号の国の全額借金返済と都道府県市町村区の全額借金返済の為の知的所有財産の携帯電話及び携帯無線装置による非常停止非常制御操作出来るエレベーター磁極切り換えインバータ制御レールモーター装置の著作権原本。
【００１９】
【特許文献１１】特開２０１３―０９１３２３号の国の全額借金返済と都道府県市町村区の全額借金返済の為の知的所有財産の偽造防止紙幣硬貨原本。（企業と国及び都道府県市町村が特許権で無い企業の特許提出によって偽造防止紙幣硬貨の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００２０】
【特許文献１２】特開２０１３―０９０９４８号の地方経営の医療施設の技術向上と国の全額借金返済と都道府県市町村区の全額借金返済の為の知的所有財産の圧電素子陽電子静電気及び圧電素子陰電子静電気細胞蘇生リバビリテイション装置著作権原本。（北海道知事著作権郵便物受理書付）
【００２１】
【特許文献１３】特開２０１３―０８３２６８号の地方の売電利益を、上げる為と海外水力と火力と原子力発電の高出力ダイナモの増量発電技術の海外売電契約の国と都道府県市町村の全額借金返済の為の決定的な電力不足を、補う為の一般に知られて入る半永久の水力ダムの高出力ダイナモ積載の増幅発電型の半永久型の水循環増幅発電システム。
【００２２】
【特許文献１４】特開２０１３―０８２４４８号の国の全額借金返済と都道府県市町村区の全額借金返済の為の知的所有財産の山岳ヘリコプターの著作権原本。（企業と国及び都道府県市町村が特許権で無い企業の特許提出によって山岳ヘリコプターを、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権原本。
【００２３】
【特許文献１５】特開２０１３―０７８６５６号の地方経営の工場の国の全額借金返済と都道府県市町村区の全額借金返済の為の無知的所有財産のスピーカー振動ゴミ取り機能付き掃除機著作権原本。
【００２４】
【特許文献１６】特開２０１３―０７７５７６号の国の全額借金返済と都道府県市町村区の全額借金返済の為の知的所有財産のバッテリー再復活充電バッテリー装置の著作権原本。（企業と国及び都道府県市町村が特許権で無い企業の特許提出によってバッテリー再復活充電バッテリー装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００２５】
【特許文献１７】特開２０１３―０７０６１８号の国の全額借金返済と都道府県市町村区の全額借金返済の為の世界最速ウルトラスーパーコンピューター装置の著作権原本と著作権追加原本。（企業と国及び都道府県市町村が特許権で無い企業の特許提出によって世界最速ウルトラスーパーコンピューター装置の商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の先著作権技術主張の知的所有財産の著作権に成る。
【００２６】
【特許文献１８】特開２０１３―０６７６５４号の国の全額借金返済と都道府県市町村区の全額借金返済の為の知的所有財産の夏専用の果物香料入り冷却ファンドクリームと冬専用の果物香料入りの暖房ファンドクリームの著作権原本。（企業と国及び都道府県市町村が特許権で無い企業の特許提出によって夏専用の果物香料入り冷却ファンドクリームと冬専用の果物香料入りの暖房ファンドクリームの著作権原本商品を、作って企業利益を、上げると国の機関でも知的所有財産の技術横領の利益を、得る方の横領の共謀罪に成ります。）。あくまでも国益１００パーセントと都道府県市町村区益１００パーセントを、目的とした国と都道府県市町村区の借金全額返済の為の先著作権技術文書図主張の知的所有財産の著作権に成る。
【００２７】
【特許文献１９】特開２０１２―２３６６０６号の国の全額借金返済と都道府県市町村区の全額借金返済の為の知的所有財産の多機能電気観光船著作権原本。
【００２８】
【特許文献２０】特開２０１２―２３６６０５号の国の全額借金返済と都道府県市町村区の全額借金返済の為の知的所有財産の多機能電気モータープロペラ飛行機原本。
【００２９】
【特許文献２１】特開２０１２―２１０７０３号の国の全額借金返済と都道府県市町村区の全額借金返済の為の多機能インプット全自動ロボットの著作権原本。
【００３０】
【特許文献２２】特開２０１２―１８７００１号のテレビ局の目と有識者の目と大学教授の目と共に国民の電気エネルギー危機の再チェックと試作が必要と思われる電力不足危機対応の対策案の為に公開する、国の危機の全額借金返済の為の新２連振子型機械式無害無給油無休憩発電機。（半永久連続作動発電機。）。
【００３１】
【特許文献２３】特開２０１２―１７００６３号の国の全額借金返済と都道府県市町村区の全額借金返済の為の知的所有財産の圧電素子補助急速充電携帯電話著作権原本。
【００３２】
【特許文献２４】特開２０１２―１６６９５１号の国の全額借金返済と都道府県市町村区の全額借金返済の為の知的所有財産の生ゴミ真空装置粉末処理車著作権原本。
【００３３】
【特許文献２５】特開２０１２―１４０５８４号の国の全額借金返済と都道府県市町村区の全額借金返済の為の炭素固形フロン例２０１２―１４０５８４号の国の全額借金返済と都道府県市町村区の全額借金返済の為の炭素固形フロン例蔵庫著作権原本。
【００３４】
【特許文献２６】特開２０１２―１２０４４０号の国の全額借金返済と都道府県市町村区の全額借金返済の為の多機能電気自動車著作権原本
【００３５】
【特許文献２７】特開２０１２―１１６７２７号の国の全額借金返済と都道府県市町村区の全額借金返済の為の知的所有財産の最速スクリュー水電気消防装置著作権原本。
【００３６】
【特許文献２８】特開２０１２―１０８１４０号の国の全額借金返済と都道府県市町村区の全額借金返済の為の知的所有財産の化石燃料一切必要としないレントゲンカメラ放射線飛散防止パネル装置著作権原本。
【００３７】
【特許文献２９】特開２０１２―１０１７９０号の国の全額借金返済と都道府県市町村区の全額借金返済の為の知的所有財産のワンタッチ全自動エアー浮輪著作権原本。
【００３８】
【特許文献３０】特開２０１２―０９９５０６号の燃料電池発電機と総合発電量の競争を含めた国の全額借金返済と都道府県市町村区の全額借金返済の為の知的所有財産の五種類の半永久発電装置を内蔵積載した軽水素入りの水循環発電型の燃料電池発電機著作権原本（別名高出力水発電機。）。
【００３９】
【特許文献３１】特開２０１２―０９７５５９号の国の全額借金返済と都道府県市町村区の全額借金返済の為の知的所有財産の化石燃料一切必要としない高速瞬間気化処理除雪車著作権原本。
【００４０】
【特許文献３２】特開２０１２―０９７５５８号の国の全額借金返済と都道府県市町村区の全額借金返済の為の知的所有財産の固形窒素プラスチックグラスフアイバーパネル著作権原本。
【００４１】
【特許文献３３】特開２０１２―０９４５４８号の国の全額借金返済と都道府県市町村区の全額借金返済の為の知的所有財産の光りフアイバーブラウン官テレビ著作権原本。
【００４２】
【特許文献３４】特開２０１２―０７７６０７号の国の全額借金返済と都道府県市町村区の全額借金返済の為の知的所有財産のヘドロ処理運搬車装置の著作権原本コメント２００８年８月２４日ＰＭ２０時２２分３３秒ヘドロ処理運搬車の図面を漸く書き終え再び書き始める美馬牛カンキチ。
【００４３】
【特許文献３５】特開２０１２―０５６５５８号のパワーアップハイブリッド車。
【００４４】
【特許文献３６】特開２０１２―０５２７８８号の国の全額借金返済と都道府県市町村区の全額借金返済の為の知的所有財産の化石燃料一切必要としない電気ストーブ著作権原本。
【００４５】
【特許文献３７】特開２０１２―０１１２１１号の国の全額借金返済と都道府県市町村区の全額借金返済の為の全自動最速電気洗濯乾燥機著作権原本。
【００４６】
【特許文献３８】特開２０１１―２３３２２８号の多機能ビデオ著作権原本。
【００４７】
【特許文献３９】特開２０１１―２１５１４８号の電子熱核燃料原石核融合発電と放射能廃棄物処理方法。
【００４８】
【特許文献４０】特開２０１１―２０９２９０号の多目的カーナビゲイション著作権原本と都道府県市町村区と国の全額借金返済と弱者自立社会を目指す為の２００１年からの道民財産著作権原本。
【００４９】
【特許文献４１】特開２０１１―２０５８９５号の多機能情報冷暖房無休憩発電機（原子力事故及び地震事故対応型。）。（無害無給油の無休憩の半永久全自動作動発電機型。）。
【００５０】
【特許文献４２】特開２０１１―２０５６７５号の多機能携帯電話装置原本。
【００５１】
【特許文献４３】特開２０１１―２０２４９８号の一戸建て免震装置著作権原本及び国の全額借金返済と都道府県市町村区の全額借金返済と弱者自立と救済の著作権技術説明の２００１年からの道民財産著作権。
【００５２】
【特許文献４４】特開２０１１―１５５２６７号の超軽量高出力発電人工衛星。
【００５３】
【特許文献４５】特開２０１１―１０５３０７号の未来的電気自動車。
【００５４】
【特許文献４６】特開２０１１―０６４０６０号の日本の弱者国民救済の地震対応型の多機能発電ハウスシステム。
【００５５】
【特許文献４７】特開２０１１―０６０２９４号の発電タッチパソコン発電タッチパソコン。
【００５６】
【特許文献４８】特開２０１０―１７１９４３号の多機能新技術携帯電話。
【００５７】
【特許文献４９】特開２０１０―１６５３５５号の国の９００兆円越えの借金全額返済の為の世界最新の公共事業対策装置。
【００５８】
【特許文献５０】特開２００６―２５４６９７号の全レールモーター制御無害無給油発電機を使用した電気自動車。
【００５９】
【特許文献５１】特開２００４―３０４９９３号の一度に複数の電気配線と複数の電気コイルを持ち得て焼けないで力のあるモーターのあり方。
【００６０】
【特許文献５２】特開２００４―３０４９９２号公報の圧電素子３電子磁気分割装置の電気から熱抵抗電気を減らして電気を長持ちさせて、電気製品に無理をかけない電気装置の有り方（別名圧電素子４電子磁気分割装置。）。
【００６１】
【特許文献５３】特開２００４―１３５４８０号の自動充電池。
【００６２】
【特許文献５４】特開２００３―３２８９２５号の真空装置と機械式発電機を、使った水だけの発電機。
【００６３】
【特許文献５５】登録実用新案第３１６８０４３号高出力発電７連結以上モーター。
【００６４】
【特許文献５６】登録実用新案第３１４５９６３号省エネルギー水気化水発電機（別名水発電機。）。
【００６５】
【特許文献５７】登録実用新案第３１１４４９１号二連結以上モーター。
【考案の概要】
【考案が解決しようとする課題】
【００６６】
通常コイルを使用した場合は、コイルに熱が溜まり、有る一定の電気スピードしか得る事が出来なかった為、電子顕微鏡の通常コイルにも限界が有り、電気抵抗ゼロコイル配線を付けた電子顕微鏡及び電波望遠鏡は、世界中に存在しなかったのが事実な為、新たな発見及び研究には電気抵抗ゼロで流れるコイル配線が必要に成り、冷却ヘリウム循環ガス付きのコイルまたは、電子顕微鏡を、冷房装置の冷却温度から通常外気温に防護するのが大変な事で有り、電波望遠鏡では、電波望遠鏡のコイルを、冷却しなければ超電動電波望遠鏡は出来ない電波望遠鏡のコイル構造の著作権技術で有った。
【課題を解決するための手段】
【００６７】
本考案の、通常コイルに流れる通常電気中の熱抵抗電気のみを既に、実用新案登録済の圧電素子４電子磁気分割装置によって、電気中の熱電気のみを取除いた電気を電気と同じ速さで電気を流せる気化物質の軽水素トリチウム電子ガスを、圧電素子磁石体粒子の中のチタン酸バリウム溶液に混合撹拌した軽水素トリチウム電子ガス入りのチタン酸バリウム溶液に擦る事で、圧電素子磁石体粒子の電気の通りを電子の流れつまり、電気と同じ速さで、圧電素子磁石体粒子配線に対して電気抵抗ゼロで、電気を流す事を可能にした世界最新の圧電素子磁石体粒子の中に軽水素トリチウム電子ガスを入れる著作権技術。
【００６８】
第２の課題解決の対策案として本考案の、高出力銅筒管コイル配線は、あくまでもコイル配線のコイルの役目を果たす為、銅線の中に圧電効果の有る圧電素子磁石体を、更に軽く擦る為、竹灰と再生硝子溶液を混合合成して超微粒子の軽量超微量硝子粒子を作り上げ、チタン酸バリウム溶液に軽水素トリチウム電子ガスをチタン酸バリウム溶液と良く撹拌した軽水素トリチウム電子の多く入ったチタン酸バリウム溶液と軽量硝子微粒子を良く撹拌させて電気配線状に細い線にした銅筒管の中に入れる電気スピードと同じ速さで電気が流れる電気コイル配線の著作権技術。
【００６９】
第３の課題解決の対策案として本考案の、高出力銅筒管コイル配線は、銅線を筒状にした銅筒管コイル配線以外、銅シートに圧電効果の有る圧電素子磁石体を、更に軽く擦る為、竹灰と再生硝子溶液を混合合成して超微粒子の軽量超微量硝子粒子を作り上げ、チタン酸バリウム溶液に軽水素トリチウム電子ガスをチタン酸バリウム溶液と良く撹拌した軽水素トリチウム電子の多く入ったチタン酸バリウム溶液と軽量硝子微粒子を良く撹拌させて電気配線状に細い電気が通る軽量圧電素子の電気線に成り、銅シートで巻いた形状の銅筒管コイル配線も有り、コイル配線には銅配線が不可欠で有るからで有る著作権技術。
【００７０】
第４の課題解決の対策案として本考案の、高出力銅筒管の中の圧電素子磁石体以外の物質を使った場合、圧電効果が得られない欠点に成る事と、軽量硝子以外の個体として、竹灰と同等の雑草灰と粘土を良く撹拌して、低温で焼いて粉にした軽量陶器粒子なども圧電素子の軽量硝子の代替え品と言える著作権技術。
【考案の効果】
【００７１】
上述の様に、本考案の銅筒管コイル配線は、電子顕微鏡では、日本国の医療大学機関のＤＮＡ解析に対して、世界トップの医療ＤＮＡ解析データーを世界トップとして作り上げる事を可能にして、医学界の世界トップのＤＮＡ解析医療に伴う医療薬の開発の道筋を作り上げ、ノーベル医学賞を取れる医学生人材を育成出来る効果を世界に向けて発信する事が出来る電気抵抗ゼロ配線の著作権技術。
【００７２】
更に、本考案の銅筒管コイル配線を使用した電波天体望遠鏡では、今まで見る事が出来なかった電波天体望遠鏡の星々を見る事が出来る高出力銅筒管コイルに成り、遠い星々に夢を掛ける天文学者のノーベル天文学の道筋を作り上げ、星の探査ロケット電気回路そして、移民ロケット電気回路への大きな世界トップの道の夢を授ける事が出来るコイル配線の著作権技術。
【産業上の利用可能性】
【００７３】
本考案の、高出力銅筒管コイルは、今までの電子顕微鏡で見えなかった部分も、見る事が出来る様に成り、大学の医療研究等では、全世界トップの発見と大学医学論文を全世界に先駆けて書き進む事が出来て全世界の医学界のトップに立てて全世界医学の先駆者と成り、医学界のトップに成る事が間違い無く全世界が認める事に成る電気抵抗ゼロに等しいコイル配線の電気の流れ説明に成り、神をも超える電気抵抗ゼロ世界に期待出来るアイデアの軽水素トリチウム電子ガスの入った高出力銅筒管コイル配線の著作権技術。
【００７４】
本考案の、高出力銅筒管コイルは、今までの電波望遠鏡では、見られない遠くの星を見る事が出来るコンパクトな天体電波望遠鏡等の利用が現在有るコイル依りコイルが軽く成り、コイルに流れる電気スピードも電気つまり軽水素トリチウム電子ガスに電気が流れる事に成り、電気抵抗ゼロ世界へ突入技術に成る配線の著作権技術。
【００７５】
本考案の、高出力銅筒管コイルは、地下鉄電車及び新幹線のモーターに高出力銅筒管コイル配線を使用する事によって、地下鉄電車使用電気消費量と新幹線電気使用消費量が電気抵抗ゼロに成る分地下鉄の電車の電気使用量を減らす事が出来て、新幹線こだまからひかり現在新幹線までの電気使用量を減らす事が出来る高出力銅筒管コイル配線の産業上の利用可能性に成り、世界特許性の濃い実用新案技術成る配線の著作権技術。
【００７６】
本考案の、高出力銅筒管コイルは、ハイブリット関係の自動車及びハイブリット発電機のモーターの通常コイルを、高出力銅筒管コイルに変えるだけで、通常モーター及びＤＣブラシレスモーターの電気消費を減らす事が出来て、高価な石油の使用量を減らす事が出来て、今までは、走行燃費距離が伸ばせなかったハイブリット関係のモーター走行距離を伸ばす事が明確そして事実としてはっきりした答えを出す事の出来る高出力銅筒管コイルのヘリウム冷却ガスで、モーター全体を一々冷やさなくても良い軽水素トリチウム電子ガス入りの銅筒管コイル配線の軽水素トリチウム電子ガスを電気配線及びコイル配線に気化ガスを内蔵させた全世界に例の無い一々冷やさなくて良い高出力銅筒管コイル配線の世界特許性が明白と言える実用新案技術の著作権配線技術に成る。
【００７７】
本考案の、高出力銅筒管コイルは、燃料電池電気自動車に絶対に欠かせない高出力モーターの高出力銅筒管コイル技術に成り、燃料電池総合発電量は、特に高出力水発電機の液体マグネシウムを使った発電機より、総合発電量を高出力水発電機より、燃料電池発電の方が少ない為、高出力銅筒管コイル配線を使った高出力モーターは、世界企業全てが喉から手が出るどうしても、欲しい技術に成り、モーター積載社会の全てのモーターに積載出来る世界に例の無い電気抵抗ゼロ社会モーター技術に成るコイル配線著作権技術。
【００７８】
本考案の、高出力銅筒管コイルは、全自動自動車走行システム及び全自動船走行システム及び全自動飛行機走行システム及び全自動商業工場商品自動運搬搬出管理システム及び全自動農業トラクター車庫入り農業器具取り付けスタンバイシステム及び全自動地震予知検索ウルトラスーパーコンピーター及び全自動赤潮発生状況管理システム及び全自動魚依存度数量管理システム及び全自動水中温度細菌電子カメラ観測管理システム及び全自動水中汚染物回収観測管理システム及び全自動海水真水生息生物個体数全自動管理システム及び全自動海水温度調整海水冷暖房クーラーシステム及び全自動海底磁波計測マグマ移動計測システム及び全自動海底絶滅植物増殖温度調整網籠システム及び全自動波消しコンクリートブロック移動システム及び全自動海上船位置確認移動方向転換連絡システム全自動及び全自動上空空気汚染物量種類計測連絡システム及び全自動動植物個体数計測システム及び全自動休火山海底火山地下ボウリング温度計計測システム及び全自動バイク車庫リニアー移動管理システム及び全自動農作物山岳ヘリコプター育成病害虫散水システム及び全自動人工地下貯水湖水管理システム及び全自動家庭除雪管理システム及び全自動農耕地作成農作物表土成分データー管理連絡システム及び全自動家畜汚物乾燥堆肥及び液体堆肥管理システム及び全自動多層堆肥土サンドイッチ貯蓄管理システム及び全自動乾燥雑草植物粉パネル建材作成システム及び全自動人型ロボット介護システムその他の全自動システムに積載する高出力銅筒管コイル配線に成る。
【００７９】
本考案の、高出力銅筒管コイルは、人工衛星の重要な送受信システム回路の超軽量コイル部品に成り、将来的及び未来的の超軽量高出力電気抵抗ゼロコイル装置に成り、企業が特許切れ及び実用新案切れ後の著作権のみに成ると弁護士を通じて高出力コイルを売ってくれと相談を持ちかける部品商品だが、国の借金全額返済優先部品の為、１００％利益の内９４％を企業側利益にしてくれの相談依頼では、著作権の著作権者死後、５０年の権利が、時効の無い国の借金返済優先財産の使用と利用に中っては、永遠に現在まで、一切テレビマスコミ及び新聞及び広告紙及びインターネット上の著作権物の介入に中っての著作権介入賠償に対して、勝手に作る行為は、知的所有財産の無視の介入の国民全員の知的所有財産の著作権賠償が、テレビ企業側とラジオ企業側とインターネット企業側と国の知的所有財産の法務局側全体と全国民弱者側の示談とは、平等な生活権に中って、低所得者で作る商品工場と低所得者テレビ局と低所得者ラジオ局と低所得者インターネット局の低所得者弱者だけで作り上げる自給自足自立社会の設立の示談が成立しない限り、日本企業及び日本の企業専属官庁では、一切作る事が出来ない特許公開の実用新案の公開著作権部品及び保護著作権部品に成り、只一つ言える事は、全世界でこのコイル部品を使用した場合、電気量の節約及び京都議定書の二酸化炭素排出防止に貢献出来る事実に対して、日本の官庁は、いつに成ると過去から続く国民に対しての無視行為、明治時代及び大正時代及び昭和初期及び江戸時代そして過去から未だに続く、金の有る者と無い者への区別を続ける官庁が深い眠りから覚ますのはいつの未来時代かもしれないが、国の借金返済に対しての時効が無いのを、帳消しにして個人資産の平等保障は絶対有り得ないが、お金に成る財産の存在事実を認める日を永遠と共に弱者自立社会と共に弱者自立宣言と弱者と自然社会の共存自立社会と共に弱者全員が自立しようとしている事実を認めてもらえる日が来るのを永遠に平等な人権と言う法と共に待つ。
【００８０】
本考案の、高出力銅筒管コイルは、医療関係のＣＴスキャン及びレントゲンカメラ及びＭＲＩ装置等の医療機器の大型装置のコイルに欠かせないのが電気抵抗ゼロコイル配線と通常配線に使用擦る事で、電気総合消費量を少なくする効果が有り，ＭＲＩ装置等の高出力コイルによって今まで見えなかった骨の構造まで、電磁石コイル高周波の磁力電圧を上げる事で今まで見えなかった所まで見る事が出来る電気抵抗ゼロコイル配線技術。
【００８１】
本考案の、高出力銅筒管コイルは、陽電子及び陰電子スパーク治療器の電気抵抗ゼロ電気を、作り易く保ち易く擦る事に依って、電気電子のマイクロ電子の細胞の電気分解スピードを早くする事によって、細胞の電気熱治療だった分野を、細胞の常温電気分解を擦る事によって、細胞の血液分解の促進を行う事によって、治療の効果を得る医療の新しい治療手段技術に成るつまり、常温電気抵抗ゼロ技術が、他に存在していなかったからで有る。
【００８２】
本考案の、高出力銅筒管コイルは、家電製品の固形フロンの窒素ガス使用の窒素入りプラスチック冷蔵庫内パネル使用の室内冷風の調整装置は、通常の冷凍庫以外の冷蔵庫室内の送風装置によって低冷却風を送り続けると部分的に凍ったりする場合が有る為、または冷やし過ぎる為、必ず冷蔵庫の冷却風装置を、それぞれの冷蔵庫室内の水銀に軽水素トリチウム電子と圧電素子を混合合成内蔵させた温度感知連絡装置センサーと高出力コイル送風装置と高出力コイルモーターによって、低電気消費冷蔵庫が出来る電気抵抗ゼロコイル本位の低電気消費家電の通常知られている電気消費の多い家電の冷蔵庫の高出力コイル配線説明。
【００８３】
本考案の、高出力銅筒管コイルは、リニアーモーターカーの電磁石コイルのコイル配線に使用する事によって、電気抵抗ゼロ電気使用のリニアーモーターカーに成り、常温の電気抵抗ゼロ配線は、リニアーモーターカーを作る側に取っては魅力的な世界電気抵抗ゼロ配線技術に成る。
【００８４】
本考案の、高出力銅筒管コイルは、高出力４連振り子型機械式発電機の通常コイルから高出力コイルに変え、高出力発電回路内蔵の高出力４連振り子型機械式発電機更に、その上の数の振り子数と高出力ダイナモ効果の電気増幅型発電機は、永久発電機社会の機械部門の電気抵抗ゼロ配線の基礎を目指す。
【００８５】
本考案の、高出力銅筒管コイルは、超高速送受信装置の通常コイルを高出力コイルに変え携帯電話等の決められた電源の増幅電源装置に高出力発電回路を使用した超高速送受信装置。
【００８６】
本考案の、高出力銅筒管コイルは、スーパーコンピューターの計算速度を早くする為に、通常コイルから高出力コイルに変え、通常電気から常温電気抵抗ゼロ電気社会のスーパーコンピューターによる地震予知システム等の光計算に届こうとする高速計算による磁波移動及び海水温及び地下マグマ温度及び太陽系の地球位置マグマ移動説明及び時間年数間マグマ移動の変貌する年代地層のマグマ移動予知の年代マグマ地層移動系図データー等による磁波計測から、地震発生の短い数時間以内の大型地震発生の予知データー作りに必要視される高出力銅筒管コイルの常温電気抵抗ゼロ電気配線技術。
【図面の簡単な説明】
【００８７】
【図１】本考案の高出力銅筒管コイル全体図
【図２】本考案の高出力銅筒管コイル図
【図３】本考案の高出力銅筒管コイル配線図
【図４】本考案の高出力銅筒管コイル配線構造図
【図５】本考案の著作権技術の個人情報公開書のコピー図面
【図６】本考案の電気抵抗ゼロ配線部分の不正競争防止法介入盗作著作権物説明のコイル配線と回路配線の参考図１のＯＮＥ
【図７】本考案の電気抵抗ゼロ配線部分の不正競争防止法介入盗作著作権物説明のコイル配線と回路配線の参考図２のＴＯＯ
【図８】本考案の電気抵抗ゼロ配線部分の不正競争防止法介入盗作著作権物説明のコイル配線と回路配線の参考図３のｔｈｒｅｅ
【図９】本考案の電気抵抗ゼロ配線部分の不正競争防止法介入盗作著作権物説明のコイル配線と回路配線の参考図４のｆｏｒ
【図１０】本考案の電気抵抗ゼロ配線部分の不正競争防止法介入盗作著作権物説明のコイル配線と回路配線の参考図５のｆｉｖｅ
【図１１】本考案の電気抵抗ゼロ配線部分の不正競争防止法介入盗作著作権物説明のコイル配線と回路配線の参考図６のｓｉｘ
【図１２】本考案の電気抵抗ゼロ配線部分の不正競争防止法介入盗作著作権物説明のコイル配線と回路配線の参考図７のｓｅｖｅｎ
【図１３】本考案の電気抵抗ゼロ配線部分の不正競争防止法介入盗作著作権物説明のコイル配線と回路配線の参考図８のｅｉｇｈｔ
【図１４】本考案の電気抵抗ゼロ配線部分の不正競争防止法介入盗作著作権物説明のコイル配線と回路配線の参考図９のｎｉｎｅ
【図１５】本考案の電気抵抗ゼロ配線部分の不正競争防止法介入盗作著作権物説明のコイル配線と回路配線の参考図１０のｔｅｅｎ
【図１６】本考案の電気抵抗ゼロ配線部分の不正競争防止法介入盗作著作権物説明のコイル配線と回路配線の参考図１１のｅｌｅｖｅｎ
【図１７】本考案の電気抵抗ゼロ配線部分の不正競争防止法介入盗作著作権物説明のコイル配線と回路配線の参考図１２のｔｗｅｌｖｅ
【図１８】本考案の電気抵抗ゼロ配線部分の不正競争防止法介入盗作著作権物説明のコイル配線と回路配線の参考図１３のｔｈｉｒｔｅｅｎ
【図１９】本考案の電気抵抗ゼロ配線部分の不正競争防止法介入盗作著作権物説明のコイル配線と回路配線の参考図１４のｆｏｕｒｔｅｅｎ
【図２０】本考案の電気抵抗ゼロ配線部分の不正競争防止法介入盗作著作権物説明のコイル配線と回路配線の参考図１５のｆｉｆｔｅｅｎ
【図２１】本考案の電気抵抗ゼロ配線部分の不正競争防止法介入盗作著作権物説明のコイル配線と回路配線の参考図１６のｓｉｘｔｅｅｎ
【図２２】本考案の電気抵抗ゼロ配線部分の不正競争防止法介入盗作著作権物説明のコイル配線と回路配線の参考図１７のｓｅｖｅｎｔｅｅｎ
【図２３】本考案の電気抵抗ゼロ配線部分の不正競争防止法介入盗作著作権物説明のコイル配線と回路配線の参考図１８のｅｉｇｈｔｅｅｎ
【図２４】本考案の電気抵抗ゼロ配線部分の不正競争防止法介入盗作著作権物説明のコイル配線と回路配線の参考図の北海道知事宛に提出したアプローチ配線回路の抵抗器を取り除いた異なった電気の量の電圧が流れる電気配線及びアプローチ配線の著作権説明図の参考図１９のｎｉｎｅｔｅｅｎ
【図２５】本考案の電気抵抗ゼロ配線部分の不正競争防止法介入盗作著作権物説明のコイル配線と回路配線の参考図２０のｔｗｅｎｔｙ
【図２６】本考案の電気抵抗ゼロ配線部分の不正競争防止法介入盗作著作権物説明のコイル配線と回路配線の参考図２１のｔｗｅｎｔｙ ＯＮＥ
【図２７】本考案の電気抵抗ゼロ配線部分の不正競争防止法介入盗作著作権物説明のコイル配線と回路配線の参考図２２のｔｗｅｎｔｙ ＴＯＯ
【図２８】本考案の電気抵抗ゼロ配線部分の不正競争防止法介入盗作著作権物説明のコイル配線と回路配線の参考図２３のｔｗｅｎｔｙ ｔｈｒｅｅ
【図２９】本考案の電気抵抗ゼロ配線部分の不正競争防止法介入盗作著作権物説明のコイル配線と回路配線の参考図２４のｔｗｅｎｔｙ ｆｏｒ
【図３０】本考案の電気抵抗ゼロ配線部分の不正競争防止法介入盗作著作権物説明のコイル配線と回路配線の参考図２５のｔｗｅｎｔｙ ｆｉｖｅ
【図３１】本考案の電気抵抗ゼロ配線部分の不正競争防止法介入盗作著作権物説明のコイル配線と回路配線の参考図の北海道知事宛に提出した磁気コイル配線の著作権原本証拠の送付写し図の参考図２６のｔｗｅｎｔｙ ｓｉｘ
【図３２】本考案の電気抵抗ゼロ配線部分の不正競争防止法介入盗作著作権物説明のコイル配線と回路配線の参考図２７のｔｗｅｎｔｙ ｓｅｖｅｎ
【図３３】本考案の電気抵抗ゼロ配線部分の不正競争防止法介入盗作著作権物説明のコイル配線と回路配線の参考図２８のｔｗｅｎｔｙ ｅｉｇｈｔ
【図３４】本考案の電気抵抗ゼロ配線部分の不正競争防止法介入盗作著作権物説明のコイル配線と回路配線の参考図２９のｔｗｅｎｔｙ ｎｉｎｅ
【図３５】本考案の電気抵抗ゼロ配線部分の不正競争防止法介入盗作著作権物説明のコイル配線と回路配線の参考図３０のｔｈｉｒｔｙ
【図３６】本考案の電気抵抗ゼロ配線部分の不正競争防止法介入盗作著作権物説明のコイル配線と回路配線の参考図３１のｔｈｉｒｔｙ ＯＮＥ
【図３７】本考案の電気抵抗ゼロ配線部分の不正競争防止法介入盗作著作権物説明のコイル配線と回路配線の参考図３２のｔｈｉｒｔｙ ＴＯＯ
【図３８】本考案の電気抵抗ゼロ配線部分の不正競争防止法介入盗作著作権物説明のコイル配線と回路配線の参考図３３のｔｈｉｒｔｙ ｔｈｒｅｅ
【図３９】本考案の電気抵抗ゼロ配線部分の不正競争防止法介入盗作著作権物説明のコイル配線と回路配線の参考図３４のｔｈｉｒｔｙ ｆｏｒ
【図４０】本考案の電気抵抗ゼロ配線部分の不正競争防止法介入盗作著作権物説明のコイル配線と回路配線の参考図３５のｔｈｉｒｔｙ ｆｉｖｅ
【図４１】本考案の電気抵抗ゼロ配線部分の不正競争防止法介入盗作著作権物説明のコイル配線と回路配線の参考図３６のｔｈｉｒｔｙ ｓｉｘ
【図４２】本考案の電気抵抗ゼロ配線部分の不正競争防止法介入盗作著作権物説明のコイル配線と回路配線の参考図３７のｔｈｉｒｔｙ ｓｅｖｅｎ
【図４３】本考案の電気抵抗ゼロ配線部分の不正競争防止法介入盗作著作権物説明のコイル配線と回路配線の参考図３８のｔｈｉｒｔｙ ｅｉｇｈｔ
【図４４】本考案の電気抵抗ゼロ配線部分の不正競争防止法介入盗作著作権物説明のコイル配線と回路配線の参考図３９のｔｈｉｒｔｙ ｎｉｎｅ
【図４５】本考案の電気抵抗ゼロ配線部分の不正競争防止法介入盗作著作権物説明のコイル配線と回路配線の参考図４０のｆｏｒｔｙ
【図４６】本考案の電気抵抗ゼロ配線部分の不正競争防止法介入盗作著作権物説明のコイル配線と回路配線の参考図４１のｆｏｒｔｙ ＯＮＥ
【図４７】本考案の電気抵抗ゼロ配線部分の不正競争防止法介入盗作著作権物説明のコイル配線と回路配線の参考図４２のｆｏｒｔｙ ＴＯＯ
【図４８】本考案の電気抵抗ゼロ配線部分の不正競争防止法介入盗作著作権物説明のコイル配線と回路配線の参考図４３のｆｏｒｔｙ ｔｈｒｅｅ
【図４９】本考案の電気抵抗ゼロ配線部分の不正競争防止法介入盗作著作権物説明のコイル配線と回路配線の参考図４４のｆｏｒｔｙ ｆｏｒ
【図５０】本考案の電気抵抗ゼロ配線部分の不正競争防止法介入盗作著作権物説明のコイル配線と回路配線の参考図４５のｆｏｒｔｙ ｆｉｖｅ
【図５１】本考案の電気抵抗ゼロ配線部分の不正競争防止法介入盗作著作権物説明のコイル配線と回路配線の参考図４６のｆｏｒｔｙ ｓｉｘ
【図５２】本考案の電気抵抗ゼロ配線部分の不正競争防止法介入盗作著作権物説明のコイル配線と回路配線の参考図４７のｆｏｒｔｙ ｓｅｖｅｎ
【図５３】本考案の電気抵抗ゼロ配線部分の不正競争防止法介入盗作著作権物説明のコイル配線と回路配線の参考図４８のｆｏｒｔｙ ｅｉｇｈｔ
【図５４】本考案の電気抵抗ゼロ配線部分の不正競争防止法介入盗作著作権物説明のコイル配線と回路配線の参考図４９のｆｏｒｔｙ ｎｉｎｅ
【図５５】本考案の電気抵抗ゼロ配線部分の不正競争防止法介入盗作著作権物説明のコイル配線と回路配線の参考図５０のｆｉｆｔｙ
【図５６】本考案の電気抵抗ゼロ配線部分の不正競争防止法介入盗作著作権物説明のコイル配線と回路配線の参考図５１のｆｉｆｔｙ ＯＮＥ
【図５７】本考案の電気抵抗ゼロ配線部分の不正競争防止法介入盗作著作権物説明のコイル配線と回路配線の参考図５２のｆｉｆｔｙ ＴＯＯ
【図５８】本考案の電気抵抗ゼロ配線部分の不正競争防止法介入盗作著作権物説明のコイル配線と回路配線の参考図５３のｆｉｆｔｙ ｔｈｒｅｅ
【図５９】本考案の電気抵抗ゼロ配線部分の不正競争防止法介入盗作著作権物説明のコイル配線と回路配線の参考図５４のｆｉｆｔｙ ｆｏｒ
【図６０】本考案の電気抵抗ゼロ配線部分の不正競争防止法介入盗作著作権物説明のコイル配線と回路配線の参考図５５のｆｉｆｔｙ ｆｉｖｅ
【図６１】本考案の電気抵抗ゼロ配線部分の不正競争防止法介入盗作著作権物説明のコイル配線と回路配線の参考図５６のｆｉｆｔｙ ｓｉｘ
【図６２】本考案の電気抵抗ゼロ配線部分の不正競争防止法介入盗作著作権物説明のコイル配線と回路配線の参考図５７のｆｉｆｔｙ ｓｅｖｅｎ
【図６３】本考案の電気抵抗ゼロ配線部分の不正競争防止法介入盗作著作権物説明のコイル配線と回路配線の参考図５８のｆｉｆｔｙ ｅｉｇｈｔ
【図６４】本考案の電気抵抗ゼロ配線部分の不正競争防止法介入盗作著作権物説明のコイル配線と回路配線の参考図５９のｆｉｆｔｙ ｎｉｎｅ
【図６５】本考案の電気抵抗ゼロ配線部分の不正競争防止法介入盗作著作権物説明のコイル配線と回路配線の参考図６０のｓｉｘｔｙ
【図６６】本考案の電気抵抗ゼロ配線部分の不正競争防止法介入盗作著作権物説明のコイル配線と回路配線の参考図６１のｓｉｘｔｙ ＯＮＥ
【図６７】本考案の電気抵抗ゼロ配線部分の不正競争防止法介入盗作著作権物説明のコイル配線と回路配線の参考図６２のｓｉｘｔｙ ＴＯＯ
【図６８】本考案の電気抵抗ゼロ配線部分の不正競争防止法介入盗作著作権物説明のコイル配線と回路配線の参考図６３のｓｉｘｔｙ ｔｈｒｅｅ
【図６９】本考案の電気抵抗ゼロ配線部分の不正競争防止法介入盗作著作権物説明のコイル配線と回路配線の参考図６４のｓｉｘｔｙ ｆｏｒ
【図７０】本考案の電気抵抗ゼロ配線部分の不正競争防止法介入盗作著作権物説明のコイル配線と回路配線の参考図６５のｓｉｘｔｙ ｆｉｖｅ
【図７１】本考案の電気抵抗ゼロ配線部分の不正競争防止法介入盗作著作権物説明のコイル配線と回路配線の参考図６６のｓｉｘｔｙ ｓｉｘ
【図７２】本考案の電気抵抗ゼロ配線部分の不正競争防止法介入盗作著作権物説明のコイル配線と回路配線の参考図６７のｓｉｘｔｙ ｓｅｖｅｎ
【図７３】本考案の電気抵抗ゼロ配線部分の不正競争防止法介入盗作著作権物説明のコイル配線と回路配線の参考図６８のｓｉｘｔｙ ｅｉｇｈｔ
【図７４】本考案の電気抵抗ゼロ配線部分の不正競争防止法介入盗作著作権物説明のコイル配線と回路配線の参考図６９のｓｉｘｔｙ ｎｉｎｅ
【図７５】本考案の電気抵抗ゼロ配線部分の不正競争防止法介入盗作著作権物説明のコイル配線と回路配線の参考図７０のｓｅｖｅｎｔｙ
【図７６】本考案の電気抵抗ゼロ配線部分の不正競争防止法介入盗作著作権物説明のコイル配線と回路配線の参考図７１のｓｅｖｅｎｔｙ ＯＮＥ
【図７７】本考案の電気抵抗ゼロ配線部分の不正競争防止法介入盗作著作権物説明のコイル配線と回路配線の参考図７２のｓｅｖｅｎｔｙ ＴＯＯ
【図７８】本考案の電気抵抗ゼロ配線部分の不正競争防止法介入盗作著作権物説明のコイル配線と回路配線の参考図７３のｓｅｖｅｎｔｙ ｔｈｒｅｅ
【図７９】本考案の電気抵抗ゼロ配線部分の不正競争防止法介入盗作著作権物説明のコイル配線と回路配線の参考図７４のｓｅｖｅｎｔｙ ｆｏｒ
【図８０】本考案の電気抵抗ゼロ配線部分の不正競争防止法介入盗作著作権物説明のコイル配線と回路配線の参考図７５のｓｅｖｅｎｔｙ ｆｉｖｅ
【図８１】本考案の電気抵抗ゼロ配線部分の不正競争防止法介入盗作著作権物説明のコイル配線と回路配線の参考図７６のｓｅｖｅｎｔｙ ｓｉｘ
【図８２】本考案の電気抵抗ゼロ配線部分の不正競争防止法介入盗作著作権物説明のコイル配線と回路配線の参考図７７のｓｅｖｅｎｔｙ ｓｅｖｅｎ
【図８３】本考案の電気抵抗ゼロ配線部分の不正競争防止法介入盗作著作権物説明のコイル配線と回路配線の参考図７８のｓｅｖｅｎｔｙ ｅｉｇｈｔ
【図８４】本考案の電気抵抗ゼロ配線部分の不正競争防止法介入盗作著作権物説明のコイル配線と回路配線の参考図７９のｓｅｖｅｎｔｙ ｎｉｎｅ
【図８５】本考案の電気抵抗ゼロ配線部分の不正競争防止法介入盗作著作権物説明のコイル配線と回路配線の参考図８０のｅｉｇｈｔｙ
【図８６】本考案の電気抵抗ゼロ配線部分の不正競争防止法介入盗作著作権物説明のコイル配線と回路配線の参考図８１のｅｉｇｈｔｙ ＯＮＥ
【図８７】本考案の電気抵抗ゼロ配線部分の不正競争防止法介入盗作著作権物説明のコイル配線と回路配線の参考図８２のｅｉｇｈｔｙ ＴＯＯ
【図８８】本考案の電気抵抗ゼロ配線部分の不正競争防止法介入盗作著作権物説明のコイル配線と回路配線の参考図８３のｅｉｇｈｔｙ ｔｈｒｅｅ
【図８９】本考案の電気抵抗ゼロ配線部分の不正競争防止法介入盗作著作権物説明のコイル配線と回路配線の参考図８４のｅｉｇｈｔｙ ｆｏｒ
【図９０】本考案の電気抵抗ゼロ配線部分の不正競争防止法介入盗作著作権物説明のコイル配線と回路配線の参考図８５のｅｉｇｈｔｙ ｆｉｖｅ
【図９１】本考案の電気抵抗ゼロ配線部分の不正競争防止法介入盗作著作権物説明のコイル配線と回路配線の参考図８６のｅｉｇｈｔｙ ｓｉｘ
【図９２】本考案の電気抵抗ゼロ配線部分の不正競争防止法介入盗作著作権物説明のコイル配線と回路配線の参考図８７のｅｉｇｈｔｙ ｓｅｖｅｎ
【図９３】本考案の電気抵抗ゼロ配線部分の不正競争防止法介入盗作著作権物説明のコイル配線と回路配線の参考図８８のｅｉｇｈｔｙ ｅｉｇｈｔ
【図９４】本考案の電気抵抗ゼロ配線部分の不正競争防止法介入盗作著作権物説明のコイル配線と回路配線の参考図８９のｅｉｇｈｔｙ ｎｉｎｅ
【図９５】本考案の電気抵抗ゼロ配線部分の不正競争防止法介入盗作著作権物説明のコイル配線と回路配線の参考図９０のｎｉｎｅｔｙ
【図９６】本考案の電気抵抗ゼロ配線部分の不正競争防止法介入盗作著作権物説明のコイル配線と回路配線の参考図９１のｎｉｎｅｔｙ ＯＮＥ
【図９７】本考案の電気抵抗ゼロ配線部分の不正競争防止法介入盗作著作権物説明のコイル配線と回路配線の参考図９２のｎｉｎｅｔｙ ＴＯＯ
【図９８】本考案の電気抵抗ゼロ配線部分の不正競争防止法介入盗作著作権物説明のコイル配線と回路配線の参考図９３のｎｉｎｅｔｙ ｔｈｒｅｅ
【図９９】本考案の電気抵抗ゼロ配線部分の不正競争防止法介入盗作著作権物説明のコイル配線と回路配線の参考図９４のｎｉｎｅｔｙ ｆｏｒ
【図１００】本考案の電気抵抗ゼロ配線部分の不正競争防止法介入盗作著作権物説明のコイル配線と回路配線の参考図９５のｎｉｎｅｔｙ ｆｉｖｅ
【図１０１】本考案の電気抵抗ゼロ配線部分の不正競争防止法介入盗作著作権物説明のコイル配線と回路配線の参考図９６のｎｉｎｅｔｙ ｓｉｘ
【図１０２】本考案の電気抵抗ゼロ配線部分の不正競争防止法介入盗作著作権物説明のコイル配線と回路配線の参考図９７のｎｉｎｅｔｙ ｓｅｖｅｎ
【図１０３】本考案の電気抵抗ゼロ配線部分の不正競争防止法介入盗作著作権物説明のコイル配線と回路配線の参考図９８のｎｉｎｅｔｙ ｅｉｇｈｔ
【図１０４】本考案の電気抵抗ゼロ配線部分の不正競争防止法介入盗作著作権物説明のコイル配線と回路配線の参考図９９のｎｉｎｅｔｙ ｎｉｎｅ
【図１０５】本考案の電気抵抗ゼロ配線部分の不正競争防止法介入盗作著作権物説明のコイル配線と回路配線の参考図１００のｈｕｎｄｒｅｄ
【図１０６】本考案の電気抵抗ゼロ配線部分の不正競争防止法介入盗作著作権物説明のコイル配線と回路配線の参考図１０１のｈｕｎｄｒｅｄ ＯＮＥ
【図１０７】本考案の電気抵抗ゼロ配線部分の不正競争防止法介入盗作著作権物説明のコイル配線と回路配線の参考図１０２のｈｕｎｄｒｅｄ ＴＯＯ
【図１０８】本考案の電気抵抗ゼロ配線部分の不正競争防止法介入盗作著作権物説明のコイル配線と回路配線の参考図１０３のｈｕｎｄｒｅｄ ｔｈｒｅｅ
【図１０９】本考案の電気抵抗ゼロ配線部分の不正競争防止法介入盗作著作権物説明のコイル配線と回路配線の参考図１０４のｈｕｎｄｒｅｄ ｆｏｒ
【図１１０】本考案の電気抵抗ゼロ配線部分の不正競争防止法介入盗作著作権物説明のコイル配線と回路配線の参考図１０５のｈｕｎｄｒｅｄ ｆｉｖｅ
【図１１１】本考案の電気抵抗ゼロ配線部分の不正競争防止法介入盗作著作権物説明のコイル配線と回路配線の参考図１０６のｈｕｎｄｒｅｄ ｓｉｘ
【図１１２】本考案の電気抵抗ゼロ配線部分の不正競争防止法介入盗作著作権物説明のコイル配線と回路配線の参考図１０７のｈｕｎｄｒｅｄ ｓｅｖｅｎ
【図１１３】本考案の電気抵抗ゼロ配線部分の不正競争防止法介入盗作著作権物説明のコイル配線と回路配線の参考図１０８のｈｕｎｄｒｅｄ ｅｉｇｈｔ
【図１１４】本考案の電気抵抗ゼロ配線部分の不正競争防止法介入盗作著作権物説明のコイル配線と回路配線の参考図１０９のｈｕｎｄｒｅｄ ｎｉｎｅ
【図１１５】本考案の電気抵抗ゼロ配線部分の不正競争防止法介入盗作著作権物説明のコイル配線と回路配線の参考図１１０のｈｕｎｄｒｅｄ ｔｅｎ
【図１１６】本考案の電気抵抗ゼロ配線部分の不正競争防止法介入盗作著作権物説明のコイル配線と回路配線の参考図１１１のｈｕｎｄｒｅｄ ｅｌｅｖｅｎ
【図１１７】本考案の電気抵抗ゼロ配線部分の不正競争防止法介入盗作著作権物説明のコイル配線と回路配線の参考図１１２のｈｕｎｄｒｅｄ ｔｗｅｌｖｅ
【図１１８】本考案の電気抵抗ゼロ配線部分の不正競争防止法介入盗作著作権物説明のコイル配線と回路配線の参考図１１３のｈｕｎｄｒｅｄ ｔｈｉｒｔｅｅｎ
【図１１９】本考案の電気抵抗ゼロ配線部分の不正競争防止法介入盗作著作権物説明のコイル配線と回路配線の参考図１１４のｈｕｎｄｒｅｄ ｆｏｕｒｔｅｅｎ
【図１２０】本考案の電気抵抗ゼロ配線部分の不正競争防止法介入盗作著作権物説明のコイル配線と回路配線の参考図１１５のｈｕｎｄｒｅｄ ｆｉｆｔｅｅｎ
【図１２１】本考案の電気抵抗ゼロ配線部分の不正競争防止法介入盗作著作権物説明のコイル配線と回路配線の参考図１１６のｈｕｎｄｒｅｄ ｓｉｘｔｅｅｎ
【図１２２】本考案の電気抵抗ゼロ配線部分の不正競争防止法介入盗作著作権物説明のコイル配線と回路配線の参考図１１７のｈｕｎｄｒｅｄ ｓｅｖｅｎｔｅｅｎ
【図１２３】本考案の電気抵抗ゼロ配線部分の不正競争防止法介入盗作著作権物説明のコイル配線と回路配線の参考図１１８のｈｕｎｄｒｅｄ ｅｉｇｈｔｅｅｎ
【図１２４】本考案の電気抵抗ゼロ配線部分の不正競争防止法介入盗作著作権物説明のコイル配線と回路配線の参考図１１９のｈｕｎｄｒｅｄ ｎｉｎｅｔｅｅｎ
【図１２５】本考案の電気抵抗ゼロ配線部分の不正競争防止法介入盗作著作権物説明のコイル配線と回路配線の参考図１２０のｈｕｎｄｒｅｄ ｔｗｅｎｔｙ
【図１２６】本考案の電気抵抗ゼロ配線部分の不正競争防止法介入盗作著作権物説明のコイル配線と回路配線の参考図１２１のｈｕｎｄｒｅｄ ｔｗｅｎｔｙ ＯＮＥ
【図１２７】本考案の電気抵抗ゼロ配線部分の不正競争防止法介入盗作著作権物説明のコイル配線と回路配線の参考図１２２のｈｕｎｄｒｅｄ ｔｗｅｎｔｙ ＴＯＯ
【図１２８】本考案の電気抵抗ゼロ配線部分の不正競争防止法介入盗作著作権物説明のコイル配線と回路配線の参考図１２３のｈｕｎｄｒｅｄ ｔｗｅｎｔｙ ｔｈｒｅｅ
【図１２９】本考案の電気抵抗ゼロ配線部分の不正競争防止法介入盗作著作権物説明のコイル配線と回路配線の参考図１２４のｈｕｎｄｒｅｄ ｔｗｅｎｔｙ ｆｏｒ
【図１３０】本考案の電気抵抗ゼロ配線部分の不正競争防止法介入盗作著作権物説明のコイル配線と回路配線の参考図１２５のｈｕｎｄｒｅｄ ｔｗｅｎｔｙ ｆｉｖｅ
【図１３１】本考案の電気抵抗ゼロ配線部分の不正競争防止法介入盗作著作権物説明のコイル配線と回路配線の参考図１２６のｈｕｎｄｒｅｄ ｔｗｅｎｔｙ ｓｉｘ
【図１３２】本考案の電気抵抗ゼロ配線部分の不正競争防止法介入盗作著作権物説明のコイル配線と回路配線の参考図１２７のｈｕｎｄｒｅｄ ｔｗｅｎｔｙ ｓｅｖｅｎ
【図１３３】本考案の電気抵抗ゼロ配線部分の不正競争防止法介入盗作著作権物説明のコイル配線と回路配線の参考図１２８のｈｕｎｄｒｅｄ ｔｗｅｎｔｙ ｅｉｇｈｔ
【図１３４】本考案の電気抵抗ゼロ配線部分の不正競争防止法介入盗作著作権物説明のコイル配線と回路配線の参考図１２９のｈｕｎｄｒｅｄ ｔｗｅｎｔｙ ｎｉｎｅ
【図１３５】本考案の電気抵抗ゼロ配線部分の不正競争防止法介入盗作著作権物説明のコイル配線と回路配線の参考図１３０のｈｕｎｄｒｅｄ ｔｈｉｒｔｙ
【図１３６】本考案の電気抵抗ゼロ配線部分の不正競争防止法介入盗作著作権物説明のコイル配線と回路配線の参考図１３１のｈｕｎｄｒｅｄ ｔｈｉｒｔｙ ＯＮＥ
【図１３７】本考案の電気抵抗ゼロ配線部分の不正競争防止法介入盗作著作権物説明のコイル配線と回路配線の参考図１３２のｈｕｎｄｒｅｄ ｔｈｉｒｔｙ ＴＯＯ
【図１３８】本考案の電気抵抗ゼロ配線部分の不正競争防止法介入盗作著作権物説明のコイル配線と回路配線の参考図１３３のｈｕｎｄｒｅｄ ｔｈｉｒｔｙ ｔｈｒｅｅ
【図１３９】本考案の電気抵抗ゼロ配線部分の不正競争防止法介入盗作著作権物説明のコイル配線と回路配線の参考図１３４のｈｕｎｄｒｅｄ ｔｈｉｒｔｙ ｆｏｒ
【図１４０】本考案の電気抵抗ゼロ配線部分の不正競争防止法介入盗作著作権物説明のコイル配線と回路配線の参考図１３５のｈｕｎｄｒｅｄ ｔｈｉｒｔｙ ｆｉｖｅ
【図１４１】本考案の電気抵抗ゼロ配線部分の不正競争防止法介入盗作著作権物説明のコイル配線と回路配線の参考図１３６のｈｕｎｄｒｅｄ ｔｈｉｒｔｙ ｓｉｘ
【図１４２】本考案の電気抵抗ゼロ配線部分の不正競争防止法介入盗作著作権物説明のコイル配線と回路配線の参考図１３７のｈｕｎｄｒｅｄ ｔｈｉｒｔｙ ｓｅｖｅｎ
【図１４３】本考案の電気抵抗ゼロ配線部分の不正競争防止法介入盗作著作権物説明のコイル配線と回路配線の参考図１３８のｈｕｎｄｒｅｄ ｔｈｉｒｔｙ ｅｉｇｈｔ
【図１４４】本考案の電気抵抗ゼロ配線部分の不正競争防止法介入盗作著作権物説明のコイル配線と回路配線の参考図１３９のｈｕｎｄｒｅｄ ｔｈｉｒｔｙ ｎｉｎｅ
【図１４５】本考案の電気抵抗ゼロ配線部分の不正競争防止法介入盗作著作権物説明のコイル配線と回路配線の参考図１４０のｈｕｎｄｒｅｄ ｆｏｒｔｙ
【図１４６】本考案の電気抵抗ゼロ配線部分の不正競争防止法介入盗作著作権物説明のコイル配線と回路配線の参考図１４１のｈｕｎｄｒｅｄ ｆｏｒｔｙ ＯＮＥ
【図１４７】本考案の電気抵抗ゼロ配線部分の不正競争防止法介入盗作著作権物説明のコイル配線と回路配線の参考図１４２のｈｕｎｄｒｅｄ ｆｏｒｔｙ ＴＯＯ
【図１４８】本考案の電気抵抗ゼロ配線部分の不正競争防止法介入盗作著作権物説明のコイル配線と回路配線の参考図１４３のｈｕｎｄｒｅｄ ｆｏｒｔｙ ｔｈｒｅｅ
【図１４９】本考案の電気抵抗ゼロ配線部分の不正競争防止法介入盗作著作権物説明のコイル配線と回路配線の参考図１４４のｈｕｎｄｒｅｄ ｆｏｒｔｙ ｆｏｒ
【図１５０】本考案の電気抵抗ゼロ配線部分の不正競争防止法介入盗作著作権物説明のコイル配線と回路配線の参考図１４５のｈｕｎｄｒｅｄ ｆｏｒｔｙ ｆｉｖｅ
【図１５１】本考案の電気抵抗ゼロ配線部分の不正競争防止法介入盗作著作権物説明のコイル配線と回路配線の参考図１４６のｈｕｎｄｒｅｄ ｆｏｒｔｙ ｓｉｘ
【図１５２】本考案の電気抵抗ゼロ配線部分の不正競争防止法介入盗作著作権物説明のコイル配線と回路配線の参考図１４７のｈｕｎｄｒｅｄ ｆｏｒｔｙ ｓｅｖｅｎ
【図１５３】本考案の電気抵抗ゼロ配線使用の菜種油合成軽油エンジンハイブリット車の中抜き芯無ミッション歯車及び二段連動斜型ミッション歯車及び二段連動斜型ミッション歯車及び長さ調整軸及び連動用二重円柱歯車等のエンジンクランクシャフト軸作動型ミッションと高出力レールモーター連動型ミッションとミッション歯車の戻り増幅の三パターン増幅歯車の考え方に成り、この他として、電磁誘導発電ホイル軸四個の補助モーター作動動力を備えたハイブリットエンジンのミッション歯車説明の参考図。
【図１５４】本考案の電気抵抗ゼロ配線使用の菜種油合成軽油エンジンハイブリット車の二段動力歯車と振れ防止歯車とハイブリット加速動力循環増幅型ミッション歯車の参考図。
【図１５５】本考案の電気抵抗ゼロ配線使用の冷暖房風切り換え装置付きの首振り調整スプリングピン付きの首振り装置とジグザク通路付き固形ヘリウムビニール粒子入り固形フロン窒素入りビニール二重膜フロン付きの冷却装置付きの高出力送風モーター付きの送風官の高出力電磁弁付きの冷暖房風切り換え装置付きの二重ニクロム線設置型の竹灰二重ステンレスシートの電気熱防護パネル付きのドライャ装置の電気抵抗ゼロ配線使用の参考図。２０１５年１月１日ＰＭ２２時５５分栃木県真岡市中西建設でペンを置く。
【図１５６】本考案の電気抵抗ゼロ配線使用のドライヤーの竹灰入り軽量プラスチックパネル使用の図柄に関して本毛を使った三つ編み突起図柄に対して纏め髪部分にダイヤモンド球を取り付け、更に三つに分けた髪にルビー玉三個とエメラルド玉三個とサフアイャ玉三個に髪を通して最後にリボン布留め及び羽飾り留め等の本髪デザインをドライヤーに施した今までに無いデザイン参考図。２０１５年１月２１日ＰＭ１８時２６分栃木県真岡市で電気抵抗ゼロ配線使用の最新モーターの参考図を追加擦る。
【図１５７】本考案の電気抵抗ゼロ配線使用の超小型高出力レールモーターの改良型の高出力レールモーター及び最初のレールモーターに設置内蔵して有った絶縁体を全て取り除いた高出力レールモーターの高出力圧電素子磁石体シートの配置位置を卵型形状にして、モーターの回転磁力線発電を可能に擦る為の高出力圧電素子シートの其々の構造を説明した図。
【図１５８】本考案の電気抵抗ゼロ配線使用の究極の古いレールモーター及び高出力レールモーターの絶縁体を外して、高出力圧電素子磁石体の形状を長方形磁石の両サイドの先を尖らした複数の高出力圧電素子磁石体の磁力線連続発電を可能にした高出力発電レールモーター及びコイル無高出力発電レールモーターの構造説明図。
【図１５９】本考案の電気抵抗ゼロ配線使用の外コイル型軽水素タンク発電型変則レールモーターの構造説明図。
【図１６０】本考案の電気抵抗ゼロ配線使用の別途磁力線軽水素増幅型内コイルモーターの構造説明図。
【図１６１】本考案の電気抵抗ゼロ配線使用のスクリュー波受信発電装置の説明図。
【図１６２】本考案の電気抵抗ゼロ配線使用の三重ニクロム線の構造説明参考図。
【図１６３】本考案の電気抵抗ゼロ配線使用の圧電素子４電子磁気分割装置を使わない電気中の熱電気抵抗を取り除く装置の説明参考図。
【図１６４】本考案の電気抵抗ゼロ配線使用の餅つき機を使用して作る餅の形状説明参考図。
【図１６５】本考案の電気抵抗ゼロ配線の形状の異なる銅コイル配線の形状説明参考図。２０１５年３月２９日ＰＭ１９時４７分栃木県真岡市で書き始める。
【図１６６】本考案の電気抵抗ゼロ配線使用の新型アルゴンガス画像パネルとロボット家電リモコンスイッチの参考図。
【図１６７】本考案の電気抵抗ゼロ配線使用のロボット家電の解凍装置の説明参考図。
【図１６８】本考案の電気抵抗ゼロ配線使用のロボット家電冷蔵庫説明参考図。
【図１６９】本考案の電気抵抗ゼロ配線使用のロボット家電寿司参考図。
【図１７０】本考案の電気抵抗ゼロ配線使用のロボット家電高周波磁気電波補助発電装置参考図。
【図１７１】本考案の電気抵抗ゼロ配線使用の寿司ロボット家電参考図。
【図１７２】本考案の電気抵抗ゼロ配線使用の高出力発電レールモータータイヤの構造説明参考図。
【図１７３】本考案の電気抵抗ゼロ配線使用の高出力プラスチックゴミ処理装置の参考図。
【図１７４】本考案の電気抵抗ゼロ配線使用の電磁石反発免震の外壁サイドの隙間留め横衝撃吸収参考図。
【図１７５】本考案の電気抵抗ゼロ配線使用の全自動食器洗い茶タンスロボット装置の参考図。
【図１７６】本考案の電気抵抗ゼロ配線使用の特殊ファン説明参考図。
【図１７７】本考案の電気抵抗ゼロ配線使用のアルコール醗酵油の撹拌機による薬草発酵油の説明参考図。
【図１７８】本考案の電気抵抗ゼロ配線使用の未来的八本タイヤの変則電気自動車の車体床概略参考図。
【図１７９】本考案の電気抵抗ゼロ配線使用の未来的電気自動車の異なったオープンカー参考図。
【図１８０】本考案の電気抵抗ゼロ配線使用の未来的電気自動車の四足から独立四足への為のギアーの出し入れ装置の参考図。
【図１８１】本考案の電気抵抗ゼロ配線使用の全自動装置の三重のカラー光ライン装置の参考図。
【図１８２】本考案の電気抵抗ゼロ配線使用の二重ニクロム電熱線使用の竹灰入りプラスチック型装置に拠る手指リハビリ改善装置の参考図。
【図１８３】本考案の電気抵抗ゼロ配線使用の介護用の全自動リモコン装置使用の衣類スイッチロン脱却装置参考図。
【図１８４】本考案の電気抵抗ゼロ配線使用のフッ化カルシウムとネオンガスと微量アルゴンガス入りの多色発光プラスチック糸及び多色発光ナイロン糸及び多色発光テトロン糸及び多色発光樹脂ナイロン糸及び多色発光樹脂テトロン糸及び多色発光樹脂プラスチック糸及び多色発光竹灰入りナイロン糸及び多色発光竹灰入りプラスチック糸及び多色発光竹灰入りテトロン糸を作る機械による一例糸及び発光パネル糸及び発光鎖パネルの一例説明図。
【図１８５】本考案の電気抵抗ゼロ配線使用のフッ化カルシウムの発光素子を紙幣素子に染み込ませて定着させた多色発光デザイン紙幣を作る機械によって、多色発光紙幣番号の一例の説明図。
【図１８６】本考案の電気抵抗ゼロ配線使用のフッ化カルシウムとネオンガスと微量アルゴンガス入りの多色発光プラスチック糸及び多色発光ナイロン糸及び多色発光テトロン糸及び多色発光樹脂ナイロン糸及び多色発光樹脂テトロン糸及び多色発光樹脂プラスチック糸及び多色発光竹灰入りナイロン糸及び多色発光竹灰入りプラスチック糸及び多色発光竹灰入りテトロン糸を作る機械による一例の男性用と女性用の衣服の一例説明図。
【図１８７】本考案の電気抵抗ゼロ配線使用のフッ化カルシウムとネオンガスと微量アルゴンガス入りの多色発光プラスチック糸及び多色発光ナイロン糸及び多色発光テトロン糸及び多色発光樹脂ナイロン糸及び多色発光樹脂テトロン糸及び多色発光樹脂プラスチック糸及び多色発光竹灰入りナイロン糸及び多色発光竹灰入りプラスチック糸及び多色発光竹灰入りテトロン糸を作る機械による一例の軽水素トリチウム電子圧電素子磁石体粒子入りシリコンビニールアルゴン糸とフッ化カルシウムネオンアルゴンシリコンビニールプラスチック糸の合わせ糸を使った電池シートワッペン使用の女性用及び男性用下着の一例説明図。
【図１８８】本考案の電気抵抗ゼロ配線使用の沸騰水発電機の改良型装置の部分説明図。
【図１８９】本考案の電気抵抗ゼロ配線使用のローターリー菜種油エンジンの部分構造の改良説明図と燃料噴射システムの改良説明図。
【図１９０】本考案の電気抵抗ゼロ配線使用の装置を使用した作成機に拠る透明糸作成を使ったデザイン服の説明参考図。
【図１９１】本考案の電気抵抗ゼロ配線使用の二酸化炭素分解装置として、納豆菌分解及び乳酸菌分解の説明参考図。
【図１９２】本考案の電気抵抗ゼロ配線使用の異なったエンジンのピストンシリンダーの説明参考図。
【考案を実施するための形態】
【００８８】
以下本考案の実施の形態を図１〜図に基づいて説明する。
【００８９】
図１の場合は、（１）、は高出力銅筒管コイル配線の呼び名つまり、名称に成り、銅筒管に圧電素子磁石体粒子を入れた配線に軽水素トリチウム電子ガスを入れた配線に成り、（２）、のコイル台Ａは、（３）、のコイル台Ｂと（４）、のコイル台Ｃと（５）のプラス高出力銅筒管コイル配線の其々の（１１）、のコイル台組立溝Ａと（１２）のコイル台組立溝Ｂと(１３)のコイル台組立溝Ｃと（１４）のコイル台組み立て溝Ｄに成り、（９）、の突起部分Ａと（１４）、のコイル台組立溝Ｄと(１０)の突起部分Ｂが填め込み固定形状に成り、（１５）のコイル芯に（１６）の高出力銅筒管コイルの巻コイル部分の（５）のプラス高出力銅筒管コイル配線がキチンと列状に巻かれている（１）の軽水素トリチウム電子ガスと圧電素子磁石体粒子を使った高出力銅筒管コイルに成る。
【００９０】
図２の場合は、（１）、は高出力銅筒管コイル配線に成り、（２）のコイル台Ａと（３）のコイル台Ｂは（１５）のコイル芯に固定擦るように填め込み接合型に成り、（６）のマイナス高出力銅筒管コイル配線が（７）の高出力銅筒管コイル配線部分に綺麗に順番に巻かれた（１）、の高出力銅筒管コイル配線に成る。
【００９１】
図３の場合は、（８）の、軽水素トリチウム電子ガス入り圧電素子磁石体粒子配線は、（４１）の銅筒管コイル配線の中に入った外側が通常銅コイル配線に成り、内部が電子集合体の軽水素トリチウムガス入りの圧電素子磁石体粒子がキッチリ入った銅筒管コイル配線の内側の方が先に常温電気が電気抵抗ゼロで流す事の出来る超電導配線と異なる最初から常温温度電気の電気抵抗ゼロ状態で高出力銅筒管コイル配線の内部すなわ池７の高出力銅筒管コイル配線部分の中に（８）の、軽水素トリチウム電子ガス入り圧電素子磁石体粒子配線を入れた（１）の、高出力銅筒管コイル配線に成る。
【００９２】
図４の場合は、高出力銅筒管コイル配線構造図の（７）は、通常の高出力銅筒管コイル配線部分の銅筒管コイル部分に成り、銅筒管コイル部分の中間に（１７）の、固形窒素入り軽水素トリチウム電子ガス内蔵プラスチックビニール円柱配線が入りその周囲に（８）の、軽水素トリチウム電子ガス入り圧電素子磁石体粒子配線が取り巻いた電気抵抗ゼロ配線に取り巻く（４２）の、軽水素トリチウム電子ガス入り再生硝子微粒子内蔵圧電素子磁石体配線部分を内蔵させた（１）の、高出力銅筒管コイルの冷却熱燃焼防止型の（１）の、高出力銅筒管コイルに良く似たコイル配線に成る。
【００９３】
図５の場合は、個人情報開示請求書に成り、著作権物の著作権の年月日発生証明書に成り、特許アイデアの基本に成り、特許アイデアの保護スタイルの一例に成る。
【００９４】
図６の参考図１の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（１８）の、レアーアース金属円柱配線が（７）の、高出力銅筒管コイル配線部分の内側に入る誰でも書けてアイデアでは、低レベルアイデアで有り、全てのモーターのレアーアース金属を入手する事が大変な作業に成り、超効果なコイル配線とも言えて、但し常温電気抵抗ゼロ配線に程遠いコイル配線に成るが、技術盗作の濃い著作権物に成り、この他、合金手段としても、レアーアースの金属資源を大量に必要とする為、経済産業省などの、国の、国民のお金の援助を企業側にする場合、絶対にテレビ公開出演が必要な時代増え続ける国の借金に成るが、電気抵抗ゼロ配線の（１）の高出力銅筒管コイル配線には勝てない（１８）の、レアーアース金属入りの銅筒管コイル配線構造仕組及び実施形態説明。
従って、特許請求に対してと実用新案の著作権文書図に対しての（１９）の、電気抵抗ゼロ配線部分の不正競争防止法の介入著作権物配線の説明に成る。
【００９５】
図７の参考図２の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（２０）の、全世界で特許公開している超電導配線構造物質配線は、俗に言う超電導コイル配線とも命名出来る超電導コイル配線だが、電気抵抗ゼロ配線に程遠い超電導配線に成り、例えば、超電導配線の中央部分にヘリウムガス入りプラスチック円柱配線及びフロンガス入りプラスチック配線等の、冷却手段も有るが、超電導配線の場合、超電導配線物質に熱電気を溜め置きして、銅配線に電気抵抗の少ない電気を流す手段に成るが、この場合、既に、特開商品と実用新案登録商品の圧電素子４電子磁気分割装置を使った場合は、電気抵抗ゼロ電気を超電導配線物質に流すので無く通常の銅コイル配線に電気抵抗ゼロで電気を流す事に成り、この場合は、レアーアース金属の方が電気の流れるスピードが弱冠早く成ると考える。
従って、超電導配線として、超電導配線物質とレアーアース金属の合成物質配線でも、電気抵抗ゼロ配線には程遠い電気配線とコイル配線の説明に成り、確かにマイナス２百数十度の電気抵抗ゼロ事実配線は、循環冷却ヘリウム官の中に超電導配線及び銅配線及びレアーアース配線を入れなければ成り立たなかった電気抵抗ゼロ冷却配線に成り、工業用及び商業用は、有り得てもコストが高く、高温爆発の危険性が有り、中々踏み込めない知り得た技術を書いて見る事に成る。
つまり、金属単品の電気抵抗ゼロ技術と固形物質の電気抵抗ゼロ物質と国民から聞かれると未だにゼロそして、未確認だが気化物質では電気抵抗ゼロは達成出来る事実に成り、他としては、圧電素子４電子磁気分割装置の常温電気中の熱電気のみを取り除いた電気抵抗ゼロ電気技術以外電気抵抗ゼロの世界は無く、合成固形物質としては、圧電素子磁石体粒子配線が超電導ゼロ配線に近いが、気化ガスを入れるのが一番理想的に成り、電子集合体の軽水素トリチウム電子ガスが一番使い易いが、間違えると直ぐ燃える為、燃えづらい固形窒素入り電気配線構造が理想的な電気配線構造に成る。
従って、特許請求に対してと実用新案の著作権文書図に対しての（１９）の、電気抵抗ゼロ配線部分の不正競争防止法の介入著作権物配線の説明に成る。
【００９６】
図８の参考図３の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（２１）の水素ガス入りのプラスチック円柱電気配線を入れた銅筒管コイル配線は、軽水素トリチウム電子ガス入りのプラスチック配線より、電気の流れが水素中の重水素プルトニウムガスが電気抵抗ガス物質に成る為、軽水素トリチウム電子ガス入りのプラスチックは、ストレートに電気が抵抗無で流れる事に成り、燃焼防止材として、固形窒素入りの軽水素トリチウム電子ガス内蔵の塩化プラスチックにビニールを少し混ぜて曲がり易い電気配線にした銅筒管配線では、高出力銅筒管コイル配線としては、電気抵抗ゼロ配線の代用コイル配線には成るが、電磁石コイル配線としては、不向きに成る。
理由説明として。
モーターコイル板の軽減対策と鉄に変わる磁石体の存在として、圧電素子磁石体に成り、圧電素子磁石体を更に軽くした竹灰入り再生硝子微粒子は、黒雲母などの代替え物質に成り、チタン酸バリウムに軽水素トリチウム電子ガスを入れた軽水素トリチウム電子ガス入りの軽量圧電素子磁石体物質を使ったコイル板は、磁気圧を少ない電気量で高めなければ成らない為、コイル板の超軽量圧電素子磁石板とコイル配線も、磁気コイル配線でなければ電気消費つまり、モーターの電気消費を更に減らす事が出来ない為、銅筒管コイル配線には、軽水素トリチウム電子ガス入りの圧電素子磁石体粒子配線に成り、この他、砂鉄粒子と圧電素子磁石体粒子の混合配線では、モーターの内コイルに中っては、コイルが重く成り、不向きに成る。
従って、この他テープ磁気に使用されている磁気物質としての、砂鉄微粒子磁気及び黒砂鉄粒子なども、コイル配線の中に入れる事も考えられるが、炭素鉄とチタン酸バリウムの軽水素トリチウム電子ガス入り物質が有るが、今後、異なった圧電素子以外の軽量圧電素子の似た作品との不正競争作品との戦いの日々の始まりとも言える。
即ち、銅筒管コイルに磁石体物質と気化ガス物質の合成物質を入れたコイル配線と電気配線は、著作権上は盗作作品に成り、特許侵害と実用新案登録侵害の三つの侵害と国の借金返済を妨げる行為の４つの侵害は、絶対に逃れない犯罪に成る為、尚国の借金返済に時効が無い為、永久的に犯罪の時効が無い犯罪に成る事を前置きとして説明して置きます。
従って、特許請求に対してと実用新案の著作権文書図に対しての（１９）の、電気抵抗ゼロ配線部分の不正競争防止法の介入著作権物配線の説明に成る。
【００９７】
図９の参考図４の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（２２）の臭素入りビニール円柱電気配線を入れた銅筒管コイル配線は、臭素も気化ガスの為、電気抵抗ゼロで電気が流れる気化物質の臭素または、アンモニアガスなどは、気化ガスの中でも、弱冠燃焼しづらい気化ガスに成り、水素ガスを取り除いた臭素ガス及びアンモニアガスはガス状で有るから電気抵抗ゼロは可能と思われるが、水素ガスが殆どに成り、酸素入り臭素ガスと酸素アンモニアガスは、水素ガス入りの臭素と水素ガス入りのアンモニアガスより、電気スピードが遅く成る為、ビニールにシリコンを混ぜた臭素入りシリコンビニール円柱配線そして燃えづらくする為に、固形窒素と臭素ガスとシリコンビニール円柱電気配線を入れた（７）の銅筒管コイル配線では、高出力モーターのコイル配線には不向きな電気抵抗ゼロ配線に成り、軽水素トリチウム電子ガスを入れて見ても、磁気コイル配線に成らない為、高出力銅筒管コイル配線の磁気配線の名にふさわしい高出力銅筒管コイル磁気構造の気化ガス入り配線には程遠い（２２）臭素入りビニール円柱の銅筒コイル配線の電気抵抗ゼロ配線に成る。
従って、特許請求に対してと実用新案の著作権文書図に対しての（１９）の、電気抵抗ゼロ配線部分の不正競争防止法の介入著作権物配線の説明に成る。
【００９８】
図１０の参考図５の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（２３）の軽水素トリチウム電子ガス入り石油製品化合物質及び植物性化合物質の円柱電気配線を入れた銅筒管コイル配線は、軽水素トリチウム電子ガス入りの為、石油製品のプラスチック及びビニール及びエボナイト物質及びナイロン及びテトロン及びシリコン及び液晶及び混合物質自体が電気を通さない物質で有っても軽水素トリチウム電子ガスを混合撹拌合成して型を取って固めた円柱電気配線を銅筒管コイル配線内部に内蔵擦る事によって銅筒管配線より、軽水素トリチウム電子ガス入りの石油製品化合物質及び植物性化合物質の方が先に電気が流れる。
更に、植物性化合物質では、ゴム物質に軽水素トリチウム電子ガスの混合合成物質と樹脂物質に軽水素トリチウム電子ガスを入れた場合電気抵抗ゼロで絶縁物質でも電気が流れる事に成り、軽水素トリチウム電子ガスの入れ方の量によって電気の流れるスピードも変化して来る。
従って、特許請求に対してと実用新案の著作権文書図に対しての（１９）の、電気抵抗ゼロ配線部分の不正競争防止法の介入著作権物配線の説明に成る。
【００９９】
図１１の参考図６の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（２４）のガス物質全体入り石油製品化合物質及び植物性化合物質の円柱電気配線を入れた銅筒管コイル配線は、軽水素トリチウム電子ガス等のガス物質入りの為、石油製品のプラスチック及びビニール及びエボナイト物質及びナイロン及びテトロン及びシリコン及び液晶及び混合物質自体が電気を通さない物質で有っても軽水素トリチウム電子ガス等を混合撹拌合成して型を取って固めた円柱電気配線を銅筒管コイル配線内部に内蔵擦る事によって銅筒管配線より、軽水素トリチウム電子ガス等のガス物質入りの石油製品化合物質及び植物性化合物質の方が先に電気が流れる。
従って、特許請求に対してと実用新案の著作権文書図に対しての（１９）の、電気抵抗ゼロ配線部分の不正競争防止法の介入著作権物配線の説明に成る。
【０１００】
図１２の参考図７の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（２０）の、全世界で特許公開している超電導配線構造物質配線は、俗に言う超電導コイル配線とも命名出来る超電導コイル配線だが、電気抵抗ゼロ配線に程遠い超電導配線に成り、例えば、超電導配線の中心部に、（２５）の、固形窒素ガス入りプラスチックビニール円柱物質配線は固形窒素ガスに水素が弱冠入っている為、ガス物質側の方が先に電気が流れる事に成る三重コイル配線に成り、四重及び五重にしても、気化ガス内蔵側の配線の方が先に電気が流れ、電気抵抗ゼロ状態で電気が流れるコイル配線。
従って、特許請求に対してと実用新案の著作権文書図に対しての（１９）の、電気抵抗ゼロ配線部分の不正競争防止法の介入著作権物配線の説明に成る。
【０１０１】
図１３の参考図８の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（２６）の、固形窒素ガスとアルゴンガスの混合ガス入りプラスチック入りグラスフアイバー物質の円柱配線は、（１８）のレアーアース金属を更に巻いて(７)の、高出力銅筒管コイル配線部分としたコイル配線に電気を流した場合、（２６）の、固形窒素ガスとアルゴンガスの混合ガス入りプラスチック入りグラスフアイバー物質の円柱配線に先に電気が流れ、次に（１８）のレアーアース金属に電気が流れ最後に（７）の、高出力銅筒管コイル配線部分に電気が流れる計算に成る為、実際は電気抵抗ゼロに於いて(２６)の、固形窒素ガスとアルゴンガスの混合ガス入りプラスチック入りグラスフアイバー物質を優先して、電気抵抗ゼロで電気が流れるコイル配線成る。
従って、特許請求に対してと実用新案の著作権文書図に対しての（１９）の、電気抵抗ゼロ配線部分の不正競争防止法の介入著作権物配線の説明に成る。
【０１０２】
図１４の参考図９の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（２７）の、固形窒素ガスとネオンガスの混合ガス入りプラスチック入り竹灰入り軽量ゴム物質の円柱配線は、（２１）の水素ガス入りのプラスチック物質配線を取り巻き、（７）の、高出力銅筒管コイル配線部分を被せた（７）の、高出力銅筒管コイル配線部分の同じく（１９）の、電気抵抗ゼロ配線部分の不正競争防止法の介入著作権物配線の説明に成り、ここでも、（２７）の、固形窒素ガスとネオンガスの混合ガス入りプラスチック入り竹灰入り軽量ゴム物質の円柱配線に先に電気抵抗ゼロの電気が流れ、（２１）の、水素ガス入りのプラスチック物質配線は、重水素プルトニウムガスの分だけ、事実は、（２７）の、固形窒素ガスとネオンガスの混合ガス入りプラスチック入り竹灰入り軽量ゴム物質の円柱配線より、電気スピードが遅く成り、次に（７）の、高出力銅筒管コイル配線部分に電気が流れる計算だが、ここでも、（２７）の、固形窒素ガスとネオンガスの混合ガス入りプラスチック入り竹灰入り軽量ゴム物質の円柱配線の気化ガスに電気抵抗ゼロ電気が流れる為、（７）の、高出力銅筒管コイル配線部分全体に電気が流れる事に成る電気抵抗ゼロ配線。
従って、特許請求に対してと実用新案の著作権文書図に対しての（１９）の、電気抵抗ゼロ配線部分の不正競争防止法の介入著作権物配線の説明に成る。
【０１０３】
図１５の参考図１０の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（２８）の、固形窒素ガスと臭素ガスの混合ガス入り竹灰入り軽量プラスチック物質円柱配線に取り巻く（２２）の、臭素入りビニールを取り巻く（７）の、高出力銅筒管コイル配線部分に成り、（２２）の、臭素の中のアンモニアガス部分の水素ガス部分と（２８）の、固形窒素ガスと臭素ガスの混合ガス入り竹灰入り軽量プラスチック物質円柱配線の水素ガス物質の両方同時に電気が流れる構造の円柱配線に（７）の、高出力銅筒管コイル配線部分を被せたコイル配線は、水素ガス配線の電気の流れ方に成る（７）の、高出力銅筒管コイル配線。
従って、特許請求に対してと実用新案の著作権文書図に対しての（１９）の、電気抵抗ゼロ配線部分の不正競争防止法の介入著作権物配線の説明に成る。
【０１０４】
図１６の参考図１１の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（３６）の、固形窒素アンモニア軽水素トリチウム電子混合ガス入り雑草灰入り軽量エボナイトビニールプラスチック混合物質円柱配線を取り巻く（２３）の、軽水素トリチウム電子ガス入り石油製品化合物質及び植物性化合物質円柱配線を取り巻く（７）の、高出力銅筒管コイル配線部分は、軽水素トリチウム電子ガスが電気抵抗ゼロ配線として優先して電気が流れ（７）の、高出力銅筒管コイル配線部分に電気が流れる三重コイル配線に成り、いずれも、特許請求に対してと実用新案の著作権文書図に対しての（１９）の、電気抵抗ゼロ配線部分の不正競争防止法の介入著作権物配線の説明に成る。
【０１０５】
図１７の参考図１２の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（２９）の、固形窒素ガスとアンモニアガスの混合ガス入り木材灰入り軽量樹脂プラスチックビニール物質円柱配線を取り巻く（２４）の、ガス物質全体入り石油製品化合物質及び植物性化合物質円柱配線を取り巻く（７）の、高出力銅筒管コイル配線部分は、固形窒素と窒素ガスとアンモニアガス自体に含まれる水素ガスに電気が流れる為、電気抵抗ゼロに近いスピードで電気が流れ、（２４）の、ガス物質全体入り石油製品化合物質及び植物性化合物質の場合、水素ガス及び重水素ガス及び軽水素ガス等の気化ガスが含まれた場合、電気抵抗ゼロに略等しい電気スピードで電気が流れる特許請求に対してと実用新案の著作権文書図に対しての（１９）の、電気抵抗ゼロ配線部分の不正競争防止法の介入著作権物配線の説明に成る。
【０１０６】
図１８の参考図１３の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（２５）の、固形窒素ガス入りプラスチックビニール円柱物質配線の部分的円柱配線を入れた（２０）の、全世界で特許公開している超電導配線構造物質円柱配線を取り巻く（７）の、高出力銅筒管コイル配線部分は、銅筒コイル配線が網目銅筒コイル配線に成って入る為、網目銅筒管コイル配線にも電気が流れる為、コイル配線の効力を発揮出来る為、コイル配線として使用可能に成り、電気配線の表皮絶縁体配線部分を被せると電気配線にも成る著作した文章に成る特許請求に対してと実用新案の著作権文書図に対しての（１９）の、電気抵抗ゼロ配線部分の不正競争防止法の介入著作権物配線の説明に成る。
【０１０７】
図１９の参考図１４の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（３０）の、固形窒素ガスとアルゴン窒素ガスの混合ガス入りプラスチックグラスフアイバー混合網柱物質網目円柱配線を入れた電気コイル配線を取り巻く（１８）の、レアーアース金属円柱配線が取り巻く（７）の、高出力銅筒管コイル配線部分は、複数針穴形状の銅筒管コイル配線の為、銅コイル配線の効力を発揮出来る為、（１８）の、レアーアース金属円柱配線に先に電気が流れるのでは無く（３０）の、固形窒素と窒素ガスとアルゴン窒素ガスの混合ガス入りプラスチックグラスフアイバー混合網柱物質網目円柱配線の窒素ガスとアルゴンガス中の水素ガス成分に間違いなく電気抵抗ゼロに近い電気が水素成分ガス及び気化ガス物質中を電気抵抗ゼロに近い電気スピードで電気を流す事の出来る特許請求に対してと実用新案の著作権文書図に対しての（１９）の、電気抵抗ゼロ配線部分の不正競争防止法の介入著作権物配線の説明に成る。
【０１０８】
図２０の参考図１５の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（３２）の、固形窒素と固形窒素ガスとネオン軽水素トリチウムム電子混合ガス入り軽量竹灰入りプラスチックビニールゴム立体絵柱形状物質円柱配線を取り巻く（３１）の、水素ガス入り固形窒素内蔵プラスチック円柱配線を取り巻く（７）の、高出力銅筒管コイル配線部分は銅ペーパー網目の為、銅コイル配線の効力を発揮する為、（３１）の、水素ガス入り固形窒素内蔵プラスチック円柱配線の水素ガス成分に電気が電気抵抗ゼロに近い状態で流す事の出来る特許請求に対してと実用新案の著作権文書図に対しての（１９）の、電気抵抗ゼロ配線部分の不正競争防止法の介入著作権物配線の説明に成る。
【０１０９】
図２１の参考図１６の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（３４）の、固形窒素と固形窒素ガスと臭素アルゴン混合ガス入り軽量竹灰入りプラスチックビニール混合物質配線超細糸間隔配線を取り巻く（３３）の、臭素軽水素トリチウム電子混合ガス入りプラスチックビニール微粒子物質を取り巻く円柱配線を更に取り巻く、（７）の、高出力銅筒管コイル配線部分は銅金属成分の割合を９割または９割５分の合金コイル配線は銅成分が９割または９割５分の為、銅金属成分が多い複数穴空きコイルの為、コイル配線としての効力を発揮する為、（３３）の、臭素軽水素トリチウム電子混合ガス入りプラスチックビニール微粒子物質円柱配線の軽水素トリチウム電子ガス成分物質配線の方が先に電気抵抗ゼロに近い状態で流す事の出来る特許請求に対してと実用新案の著作権文書図に対しての（１９）の、電気抵抗ゼロ配線部分の不正競争防止法の介入著作権物配線の説明に成る。
【０１１０】
図２２の参考図１７の場合は、(１９)の、電気抵抗ゼロ配線部分の不正競争防止法の介入著作権物盗作説明図の配線の説明に成り、（７）の、高出力銅筒管コイル配線部分に成り、銅筒管配線の内部に(３７)の、渦巻状固形窒素軽水素トリチウム電子窒素混合ガス入りシリコンビニール混合物質シート配線を取り巻く（３５）の、軽水素トリチウム電子窒素アルゴン混合ガス入りエボナイト混合物質シート円柱配線を取り巻く（７）の、高出力銅筒管コイル配線部分は銅網目配線と銅合金網目配線の二重金属網目コイル配線はコイル配線としての効力を発揮する為、（３５）の、軽水素トリチウム電子窒素アルゴン混合ガス入りエボナイト混合物質シート円柱配線の軽水素トリチウム電子窒素アルゴン混合ガス物質配線の軽水素トリチウム電子ガス部分に優先的に電気が流れる為、更に、（３７）の、渦巻状固形窒素軽水素トリチウム電子窒素混合ガス入りシリコンビニール混合物質シート配線の固形窒素軽水素トリチウム電子窒素混合ガス入りシリコンビニール混合物質の軽水素トリチウム電子ガスに同じく優先的に電気が電気抵抗ゼロの状態で流す事の出来る特許請求に対してと実用新案の著作権文書図に対しての（１９）の、電気抵抗ゼロ配線部分の不正競争防止法の介入著作権物配線の説明に成る。
【０１１１】
図２３の参考図１８の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（３８）の、空間アプローチ配線の（３９）の、窒素軽水素トリチウム電子混合ガス入り圧電素子磁石体円柱配線を取り巻く（４０）の、窒素軽水素トリチウム電子混合ガスビニールシリコン粒子入り圧電素子磁石体円柱配線を取り巻く（７）の、高出力銅筒管コイル配線部分は、図柄銅コイル配線の為、コイル配線の効力を発揮する為、（４０）の、窒素軽水素トリチウム電子混合ガスビニールシリコン粒子入り圧電素子磁石体円柱配線中の窒素軽水素トリチウム電子混合ガスの圧電素子物質に電気が電気抵抗ゼロの状態で流す事の出来る特許請求に対してと実用新案の著作権文書図に対しての（１９）の、電気抵抗ゼロ配線部分の不正競争防止法の介入著作権物配線の説明に成る。
【０１１２】
図２４の参考図１８の場合は、２０１３年１１月１８日北海道知事宛に提出した電気配線の抵抗器具装置無とコンデンサー電圧増幅器の代わりの高出力発電回路とコイルの代わりに電気配線のみでつまり、軽量電気配線に改良を続ける為の電気銅筒管配線中の中に圧電素子円柱磁石体及び軽水素トリチウム電子ガス入りの圧電素子磁石体を使った電気配線の増幅発電等の電気配線回路システムの異なった形状説明に成り、コンパクト軽量化を目的とした新技術の未来製品のシナリオ著作権説明に成り、他の者が絶対に製品作成が出来ない世界最新技術に成り、他の者は、全て異なった技術開発に進む事に成り、軽水素トリチウム電子ガスと水素を内蔵した圧電素子磁石体及び、回路に圧電素子磁石体を混合合成した技術と軽水素トリチウム電子ガスを混合合成した回路素子技術と少し下回る水素ガスを混合合成した回路技術説明に成り、今後、特許公開した著作権新技術に対して、実用新案登録も有り得る説明。
【０１１３】
図２４の参考図１９の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（４３）の、軽量炭素入り酸化鉄微粒子円柱配線部分を入れると同時に軽量炭素入り酸化鉄微粒子を予め磁石体にしておく事と更に、（７）の、高出力銅筒管コイル配線部分の中間に（４５）の軽水素トリチウム電子ガス入り固形窒素内蔵プラスチックビニール円柱配線を入れる事で、軽水素トリチウム電子ガス入り固形窒素内蔵プラスチックビニール円柱配線の電気抵抗ゼロ効果配線とした圧電素子磁石体粒子及び軽水素トリチウム電子ガスを入れた高出力圧電素子磁石体粒子入り配線とは電気スピードが同じコイルで有っても、同じ高出力銅筒管コイル形状に於いても、酸化鉄を固めない工夫の微量の炭素入りの酸化鉄の磁石化した電気配線粒子でも、軽水素トリチウム電子ガス入りの圧電素子磁石体の磁気電子増幅効果とは、同一に成らない軽水素トリチウム電子ガスに通常電気が無抵抗で電気が流れてしまう電気抵抗ゼロ現象電気配線及びコイル電気配線説明に成る。
更に、（４４）の、通常複数穴空き銅１００％コイル配線の穴空き銅筒管部分からの磁気放出によってでも、軽水素トリチウム電子ガス入りの圧電素子磁石体粒子を使ったコイル配線磁気増幅配線と同じ磁気増幅現象を得る事が出来ないのが事実で有り、酸化鉄に軽水素トリウム電子を付着させる為に、軽水素トリチウム電子ガス入りシリコン粒子に酸化鉄を被せても磁気増幅に成らなければ軽水素トリチウム電子ガス入りの圧電素子磁石体粒子入りの銅筒管コイル配線は磁気増幅配線に於いても、世界トップ技術説明に成り、世界特許の資格が有る世界特許に成り得る（７）の、高出力銅筒管コイル配線技術説明。
従って、特許請求に対してと実用新案の著作権文書図に対しての（１９）の、電気抵抗ゼロ配線部分の不正競争防止法の介入著作権物盗作説明図の配線の説明に成る。
【０１１４】
図２５の参考図２０の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（４６）の、混合竹灰入り酸化鉄微粒子円柱配線部分は、酸化鉄微粒子円柱配線部分を弱冠軽く擦る為の酸化鉄微粒子円柱配線部分に成り、（７）の、高出力銅筒管コイル配線部分の中間部分に（４８）の、水素ガス入り竹灰内蔵プラスチックビニール円柱配線を（７）の、高出力銅筒管コイル配線部分の中間部分に内蔵する事で、水素ガス入り竹灰内蔵プラスチックビニール円柱配線効果の水素ガスに電気が電気抵抗ゼロ状態で（７）の、高出力銅筒管コイル配線部分の中間部分配線全体に通る事によって、電気抵抗ゼロ配線は、ここでも成立しているが、水素中の重水素プルトニウムガス部分が、電気の流れを止める要因に成る為、水素中に別に軽水素トリチウム電子ガスを増幅させた軽水素トリチウム電子ガス増幅水素の場合は、有る程度熱を持った電気配線状態に於いても、電気抵抗ゼロ状態を保てる（７）の、高出力銅筒管コイル配線に成り、（４６）の、混合竹灰入り酸化鉄微粒子円柱配線部分を磁石化して、（７）の、高出力銅筒管コイル配線の表面の４７の通常複数図柄穴空き銅１００％コイル配線の複数図柄穴空き部分から磁気放出出来るコイル配線でも、軽水素トリチウム電子ガスを使った高出力圧電素子磁石体粒子入りの（７）の、高出力銅筒管コイル配線より、磁気電気増幅は多くは見込めないが電気抵抗ゼロ配線には成る。
従って、特許請求に対してと実用新案の著作権文書図に対しての（１９）の、電気抵抗ゼロ配線部分の不正競争防止法の介入著作権物盗作説明図の配線の説明に成る。
２０１３年１２月８日最近インターネットで、気化ガスを使用しない電気抵抗ゼロ配線が有る事が事実だとすればノーベル化学賞に成るが、テレビマスコミ及び新聞マスコミが取り上げる日は近いと言える。ＰＭ２１時５５分栃木県でペンを置くニャン。
【０１１５】
図２６の参考図２１の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（５３）の、生ゴミ灰入り酸化鉄微粒子配線部分の（７）の、高出力銅筒管コイル配線部分は、複数の（４９）の銅１００％コイル波細配線に対して（５０）の遅い電気の通る銅コイル合金配線部分を列状に並べた銅筒管コイル配線の中に（５３）の、生ゴミ灰入り酸化鉄微粒子配線部分を内蔵し、（７）の、高出力銅筒管コイル配線部分の中心部分に（５２）の、軽水素トリチウム電子ガス入り綿糸合成ビニール円柱配線部分を（７）の、高出力銅筒管コイル配線部分に内蔵させた（５１）の異種異形銅筒管コイル配線に成り、ここでも気化ガスの軽水素トリチウム電子ガス入りの綿糸合成ビニール円柱配線部分に電気抵抗ゼロ状態で電気が通る電気抵抗ゼロ配線の（１９）の、特許請求に対してと実用新案の著作権文書図に対しての電気抵抗ゼロ配線部分の不正競争防止法の介入著作権物盗作説明に成る。
【０１１６】
図２７の参考図２２の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（５４）の、雑草灰入り軽水素シリコン炭素粒子内蔵中和硫化鉄微粒子配線は、気化ガスの軽水素トリチウム電子ガス内蔵のシリコン炭素粒子入りの中和硫化鉄粒子体に成り電気自体は、（７）の、高出力銅筒管コイル配線部分の中心部分の（５８）の、軽水素トリチウム電子ガス入り亜麻糸合成ナイロンビニール円柱配線を内蔵する事で気化ガスの軽水素トリチウム電子ガスに電気が電気抵抗ゼロ状態で走る（５７）の異種異形複数線コイル配線に成り、特許権切れまたは実用新案登録切れその後の著作権のみに成ってからも、電気抵抗ゼロ配線は他では創れ無い事に成り、電気配線料金が下がるだけの知的所有財産システムの特許請求に対してと実用新案の著作権文書図に対しての（１９）の、電気抵抗ゼロ配線部分の不正競争防止法の介入著作権物盗作説明図の配線の説明に成る。
【０１１７】
図２８の参考図２３の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（６２）の、銅合金９４％コイル超細芯入り配線を内蔵させた（７）の、高出力銅筒管コイル配線部分に成り、更に、（６０）の燃えるゴミ灰入り軽水素トリチウム電子ガスビニール石灰内蔵中和硝酸鉄微粒子配線が内蔵され、気化ガスの軽水素トリチウム電子ガス体に電気が電気抵抗ゼロ状態で走り、（７）の、高出力銅筒管コイル配線部分の中心部の（６１）の軽水素トリチウム電子ガス入り窒素合成炭素入りプラスチックナイロンビニール円柱配線に対しても、気化ガスの窒素合成炭素入りプラスチックナイロンビニール円柱配線の軽水素トリチウム電子ガス入りのプラスチックナイロンビニール円柱配線部分に通常電気が電気抵抗ゼロ状態で（７）の、高出力銅筒管コイル配線部分に電気が流れる事に成る（１９）の、特許請求に対してと実用新案の著作権文書図に対しての電気抵抗ゼロ配線部分の不正競争防止法の介入著作権物盗作説明図の配線の説明に成る。
【０１１８】
図２９の参考図２４の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に５層の電気配線説明に成り、外側は、（６３）の、銅１００％筒管コイル配線部分に成り、次に、（６４）の、軽水素トリチウム電子ガス入り固形窒素合成エボナイトプラスチックビニール円柱配線部分では、気化ガスの軽水素トリチウム電子ガス入りの固形窒素合成エボナイトプラスチックビニール円柱配線部分に通常電気が電気抵抗ゼロ状態で電気が流れる事に成り、その次の（６５）の、軽水素トリチウム電子ガス入り固形窒素合成プラスチックビニール円柱配線の気化ガスの軽水素トリチウム電子ガス入りの固形窒素合成プラスチックビニール円柱配線部分に通常電気が電気抵抗ゼロ状態で流れる事に成り、更に（６７）の、軽水素トリチウム電子ガス入り竹灰入り再生硝子粒子内蔵超軽量圧電素子磁石体粒子配線部分の気化ガスの軽水素トリチウム電子ガス入りの竹灰入り再生硝子粒子内蔵超軽量圧電素子磁石体粒子配線部分に通常電気が電気抵抗ゼロ状態で流れ、中心部の（６６）の、軽水素トリチウム電子ガス入り窒素合成ゴムナイロンビニール円柱配線部分に通常電気が電気抵抗ゼロ状態で流れる一部圧電素子磁石体を使った磁気配線に成り、手間がかかり過ぎるのも欠点の一つかも知れない（１９）の、特許請求に対してと実用新案の著作権文書図に対しての電気抵抗ゼロ配線部分の不正競争防止法の介入著作権物盗作説明図の配線の説明に成る。
【０１１９】
図３０の参考図２５の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に文字及び会社名を彫り抜きした文字形状デザイン付きの（７）の、高出力銅筒管コイル配線部分に成り、次に（４２）の、軽水素トリチウム電子ガス入り再生硝子微粒子内蔵圧電素子磁石体配線部分に通常電気が電気抵抗ゼロ状態で気化ガス部分の再生硝子微粒子内蔵圧電素子磁石体配線部分に電気が流れる事に成り、（７）の、高出力銅筒管コイル配線部分の中心部の（６９）の、フロンガス入りプラスチック粒子入り燃焼防止プラスチックビニール円柱配線の気化ガス部分のフロンガス部分に同じく通常電気が電気抵抗ゼロ状態で流れ、フロンガスの代わりに、他のアルゴンガス及びネオンガス及び臭素ガス及びアンモニアガスでも、同じく通常電気が電気抵抗ゼロ状態で流れるおそらくここでは、一般常識の電気抵抗ゼロ配線技術説明に成る（６８）の、切抜き無文字を使った（１９）の、特許請求に対してと実用新案の著作権文書図に対しての電気抵抗ゼロ配線部分の不正競争防止法の介入著作権物盗作説明のコイル配線に成り、モーターコイル配線その他全てのコイル配線使用説明に成る。
【０１２０】
図３１の参考図２６の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（７１）の、軽水素トリチウム電子ガス入り雑草灰入りプラスチック硝子粒子入り圧電素子磁石体粒子円柱配線のやはり、気化ガス部分の軽水素トリチウム電子ガス入りのチタン酸バリウムを絡めたプラスチック硝子粒子体に通常電気が電気抵抗ゼロ状態で流れる事に成り、更に、（７０）の、竹灰入りグラスフアイバービニール絶縁体円柱シート構造に成り、その次に（７３）の、フロンガス内蔵プラスチック粒子入りグラスフアイバービニール円柱燃焼防止配線がシートとして取り巻き、中心部に（７２）の音声波連絡用軽水素トリチウム電子ガス入りグラスフアイバービニールマイナス円柱配線の二重の異なった役目をする配線が二重に成って入る（７）の、高出力銅筒管コイル配線部分に成り、（１９）の、特許請求に対してと実用新案の著作権文書図に対しての電気抵抗ゼロ配線部分の不正競争防止法の介入著作権物盗作説明図の配線の電気抵抗ゼロ配線説明で有る。
【０１２１】
図３２の参考図２７の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（７１）の、軽水素トリチウム電子ガス入り雑草灰入りプラスチック硝子粒子入り圧電素子磁石体粒子円柱配線の気化ガス部分が内蔵に成って入る部分に通常電気が電気抵抗ゼロ状態で流す事が出来て、（７０）の竹灰入りグラスフアイバービニール円柱絶縁体が取り付き、（７５）のフロンガス内蔵エボナイト粒子入りグラスフアイバービニール円柱燃焼防止配線が取り巻き、中心部に（７４）の、音声波連絡用軽水素トリチウム電子ガス入りグラスフアイバービニールプラス円柱配線が内蔵されたコイル配線に成り、二重の役目が出来るコイル配線に成る（７）の、高出力銅筒管コイル配線部分に成り、（１９）の、特許請求に対してと実用新案の著作権文書図に対しての電気抵抗ゼロ配線部分の不正競争防止法の介入著作権物盗作説明に成る。
２０１３年１２月９日ＰＭ２１時０４分疲れたのでペンを置くニヤン。
【０１２２】
図３３の参考図２８の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（７１）の、軽水素トリチウム電子ガス入り雑草灰入りプラスチック硝子粒子入り圧電素子磁石体粒子円柱配線の気化ガス部分が内蔵に成って入る部分に通常電気が電気抵抗ゼロ状態で流す事が出来る気化ガス入りの電気配線に成り、（７７）の燃えるゴミ灰入りグラスフアイバービニール円柱配線の絶縁体が取り付き中心部分に（７６）のフロンガス入りプラスチックビニール粒子入り軽水素トリチウム電子ガス入り固形窒素内蔵液体マグネシウム円柱充電池マイナス配線の気化ガスのフロンガスと軽水素トリチウム電子ガスに通常電気が電気抵抗ゼロ状態の状態で電気を流す事の出来る（７）の、高出力銅筒管コイル配線部分に成り、（１９）の、特許請求に対してと実用新案の著作権文書図に対しての電気抵抗ゼロ配線部分の不正競争防止法の介入著作権物盗作説明図の配線の説明に成る。
【０１２３】
図３４の参考図２９の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に(７１)の、軽水素トリチウム電子ガス入り雑草灰入りプラスチック硝子粒子入り圧電素子磁石体粒子円柱配線の気化ガス部分が内蔵に成って入る部分に通常電気が電気抵抗ゼロ状態で流す事が出来る気化ガス入りの電気配線に成り、（７８）の混合植物性油燃えるゴミ灰入りグラスフアイバービニール円柱絶縁体が取り付き（７９）のフロンガス入りプラスチックビニール粒子入り軽水素トリチウム電子ガス入り固形窒素内蔵液体マグネシウム円柱充電池プラス配線が７の、高出力銅筒管コイル配線部分の電気配線の中心部に気化ガス合成配線が取り付く為、電気抵抗ゼロ配線が成立する（１９）の、特許請求に対してと実用新案の著作権文書図に対しての電気抵抗ゼロ配線部分の不正競争防止法の介入著作権物盗作説明図の配線の説明で有る。
【０１２４】
図３５の参考図３０の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（７１）の、軽水素トリチウム電子ガス入り雑草灰入りプラスチック硝子粒子入り圧電素子磁石体粒子円柱配線の気化ガス部分が内蔵に成って入る部分に通常電気が電気抵抗ゼロ状態で流す事が出来る気化ガス入りの電気配線に成り、次に（８１）の稲ワラ灰入りプラスチックビニール円柱絶縁体が取り付く構造に成り、（７）の、高出力銅筒管コイル配線部分中心部分に（８０）の映像波連絡用軽水素トリチウム電子ガス入り軽量圧電素子磁気粒子内蔵シリコングラスフアイバーマイナス円柱配線が取り付く（７）の、高出力銅筒管コイル配線に成り、商品の軽量化等の目的とした技術の電気抵抗ゼロ配線説明と雑草灰と稲ワラ灰を使った超軽量絶縁体及び配線等の（１９）の、特許請求に対してと実用新案の著作権文書図に対しての電気抵抗ゼロ配線部分の不正競争防止法の介入著作権物盗作説明図の配線の説明で有る。
【０１２５】
図３６の参考図３１の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（８４）の軽水素トリチウム電子ガス入りイモ蔓灰入りプラスチック硝子粒子入り圧電素子磁石体粒子円柱配線の気化ガス部分が内蔵に成って入る部分に通常電気が電気抵抗ゼロ状態で流す事が出来る気化ガス入りの電気抵抗ゼロ電気配線に成り、次に、（８２）の麦ワラ灰入りプラスチックビニール円柱絶縁体が取り付く配線に成り、（７）の、高出力銅筒管コイル配線の中心部分に（８３）の映像は連絡用軽水素トリチウム電子ガス入り軽量圧電素子時気粒子内蔵シリコングラスフアイバープラス円柱配線が取り付く二重コイル配線構造に成り、映像波及び音声波及びインターネット波及びラジオ波及び無線波及び全自動自然観察データー波等の利用が出来る（７）の、高出力銅筒管コイル配線部分に成り、（１９）の、特許請求に対してと実用新案の著作権文書図に対しての電気抵抗ゼロ配線部分の不正競争防止法の介入著作権物盗作説明図の配線の説明で有る。
【０１２６】
図３７の参考図３２の場合は、（１９）の、電気抵抗ゼロ配線部分の不正競争防止法の介入著作権物盗作説明図の配線の説明に成り、（８５）の竹灰入りグラスフアイバーゴム絶縁表皮配線に対して（７）の、高出力銅筒管コイル配線が取り付き、次に（８９）の軽水素トリチウム電子ガス入りサトウキビ投棄殻灰混合プラスチック硝子粒子内蔵圧電素子磁石体粒子円柱配線の気化ガス部分が内蔵に成って入る部分に通常電気が電気抵抗ゼロ状態で流す事が出来る気化ガス入りの電気抵抗ゼロ電気配線に成り、次に（８６）の固形窒素ガス入り固形窒素入りプラスチック冷却粒子入りグラスフアイバービニール円柱燃焼防止配線に対しても、気化ガスの窒素ガスに通常電気が電気抵抗ゼロ状態で流れる電気抵抗ゼロ配線の電気熱燃焼防止配線に成る通常の（７）の、高出力銅筒管配線を使った（１９）の、特許請求に対してと実用新案の著作権文書図に対しての電気抵抗ゼロ配線部分の不正競争防止法の介入著作権物盗作説明図の配線の説明に成る。
【０１２７】
図３８の参考図３３の場合は、（１９）の、電気抵抗ゼロ配線部分の不正競争防止法の介入著作権物盗作説明図の配線の説明に成り、（８７）の牧草灰入りグラスフアイバービニールゴム絶縁表皮配線に対して（７）の、高出力銅筒管コイル配線が取り付き次に（９０）の軽水素トリチウム電子ガス入りトウモロコシ殻灰混合プラスチック硝子粒子内蔵圧電素子磁石体粒子円柱配線の次に、（８８）の軽水素窒素ガス入り固形窒素混合プラスチック冷却粒子内蔵グラスフアイバービニール円柱燃焼防止配線が取り付いた電気配線に成る（１９）の、特許請求に対してと実用新案の著作権文書図に対しての電気抵抗ゼロ配線部分の不正競争防止法の介入著作権物盗作説明図に成る。
【０１２８】
図３９の参考図３４の場合は、（１９）の、電気抵抗ゼロ配線部分の不正競争防止法の介入著作権物盗作説明図の配線の説明に成り、（９１）の竹灰入り硝子ビニールゴム粒子入りグラスフアイバーゴム絶縁表皮配線の下側及び内側に（９２）の竹灰固形窒素入りビニール粒子入りビニールゴム表皮配線のＷ配る線表皮構造に対して７の、高出力銅筒管コイル配線部分に成り、銅筒管配線の内部に（９３）の軽水素トリチウム電子ガス入り亜麻殻灰混合プラスチック硝子粒子内蔵圧電素子磁石体粒子円柱配線が取り付き次に、（２３７）の窒素ガス入り固形窒素入りビニール冷却粒子グラスフアイバービニール円柱燃焼防止配線が取り付く燃焼防止対策を施した電気配線説明に成る（１９）の、特許請求に対してと実用新案の著作権文書図に対しての電気抵抗ゼロ配線部分の不正競争防止法の介入著作権物盗作説明図に成る。
【０１２９】
図４０の参考図３５の場合は、（１９）の、電気抵抗ゼロ配線部分の不正競争防止法の介入著作権物盗作説明図の配線の説明に成り、（９４）の生ゴミ灰入りグラスフアイバーゴム絶縁体表皮配線の下側すなわち内側に（７）の、高出力銅筒管コイル配線部分に成り、銅筒管配線の内部に（９５）の軽水素トリチウム電子ガス入り枯葉灰混合エボナイト混合再生硝子粒子内蔵圧電素子磁石体粒子円柱配線の次に（９６）のフロンガス混合プラスチック粒子入りグラスフアイバービニール円柱燃焼防止配線の（９７）の六角形状高出力銅筒管配線に成り、気化ガスの軽水素トリチウム電子ガス入りの石油系固形及び半個形物質に内蔵する事によって通常電気を通す事で、電気抵抗ゼロにした電気配線に成る（１９）の、特許請求に対してと実用新案の著作権文書図に対しての電気抵抗ゼロ配線部分の不正競争防止法の介入著作権物盗作説明図に成る。
【０１３０】
図４１の参考図３６の場合は、（１９）の、電気抵抗ゼロ配線部分の不正競争防止法の介入著作権物盗作説明図の配線の説明に成り、プラス配線とマイナス配線を別々にした電気配線説明に成り、電気配線表皮に対して（１０２）の生ゴミ灰入りゴム粒子内蔵ビニールゴム表皮配線に成り、軽量の電気配線絶縁表皮に成り、（７）の、高出力銅筒管コイル配線を四本それぞれプラス配線とマイナス配線それぞれに（１０１）の竹灰入り窒素ガス混合エボナイトプラスチック粒子内蔵グラスファイバービニール燃焼防止配線によって四本それぞれの配線が絶縁体によって固定され、四本それぞれの７の、高出力銅筒管コイル配線の内側に（９８）の軽水素トリチウム電子ガス入り廃棄衣類燃焼灰混合エボナイト混合再生硝子粒子内蔵圧電素子磁石体粒子円柱プラスとマイナス別々配線によって気化ガスの軽水素トリチウム電子ガス効果によって通常電気の電気抵抗ゼロ現象を得る事が出来る二重電気配線説明に成り、（９９）のフロンガス混合エボナイト粒子内蔵グラスフアイバーシリコンビニール円柱燃焼防止配線によって、二重電気配線の燃焼防止配線の（１９）の、特許請求に対してと実用新案の著作権文書図に対しての電気抵抗ゼロ配線部分の不正競争防止法の介入著作権物盗作説明図の配線の説明に成る。
【０１３１】
図４２の参考図３７の場合は、（１９）の、電気抵抗ゼロ配線部分の不正競争防止法の介入著作権物盗作説明図の配線の説明に成り、少し変わった電気機器及び製品の回路板の回路二重配線説明に成り、回路板は通常より厚く成る為、軽量化の為、木材灰及び竹灰等の、あらゆる燃えない灰及び軽量物質を混合合成した回路基板に対して回路配線溝部分を深く掘り下げた回路基板の配線溝に対して（１０７）の軽水素トリチウム電子ガス入り竹灰入り再生硝子微粒子内蔵圧電素子磁石体混合粒子回路配線を一番下に回路板配線溝に敷き、次に（１０６）の窒素ガス入り竹灰内蔵ビニール粒子入りグラスフアイバー溶液燃焼防止回路シート配線を燃焼防止配線として回路配線溝の（１０７）の軽水素トリチウム電子ガス入り竹灰入り再生硝子微粒子内蔵圧電素子磁石体混合粒子回路配線の上に敷き、最後に（１０５）の鉛アルニウム亜鉛合金回路配線を最後に機械で流し込んで作り上げる回路基板配線に成り、回路基板燃焼防止の為、（１０４）の、窒素ガス入りビニール粒子入りグラスフアイバー燃焼防止回路パネルを全自動及び半自動で作り上げる為、（１０４）の、窒素ガス入りビニール粒子入りグラスフアイバー燃焼防止回路パネルを固定する為の、（１０３）の四角形柱回転作動ボルトナットで固定する為、ロボットカメラのボルトナット認識装置としてナットの底に超針穴空きのボルトの固定に伴う（１３８）の青色目印と（１３９）の赤色目印と（１４０）の全自動制御モーターピン工具取り付け穴にライトカメラロボットナットモーター工具によって、（１０４）の窒素ガス入りビニール粒子入りグラスフアイバー燃焼防止回路パネルを全自動固定した燃焼防止対策の回路基板に成り、電気配線の（１９）の、特許請求に対してと実用新案の著作権文書図に対しての電気抵抗ゼロ配線部分の不正競争防止法の介入著作権物盗作説明に成る。
２０１３年１２月１０日ＰＭ２１時４９分眠る理由時間に付きペンを置く栃木県ニヤン。
【０１３２】
図４３の参考図３８の場合は、（１９）の、電気抵抗ゼロ配線部分の不正競争防止法の介入著作権物盗作説明図の配線の説明に成り、回路配線だけで回路に通る電気スピードを速くする為のスクリー波公開特許請求応用技術及び公開著作権に対しての文書図説明に成り、未来の一つの技術手段だが、あくまでも気化ガス混合合成物質を使用しなければ、電気抵抗ゼロ回路配線がレアーアース回路金属で出来なかった電気抵抗ゼロ回路配線に成り、（１１１）のジグザグ三重回路配線構造は、ジグザグ三重回路配線深溝に対して最初に（１０９）の軽水素トリチウム電子ガス入り雑草熊笹灰入り再生硝子微粒子内蔵圧電素子磁石体混合粒子回路配線を最初に敷き込み、次に（１０８）の窒素ガス入り廃棄木材灰内蔵ビニール粒子入りグラスフアイバー溶液燃焼防止回路シート配線によって冷却燃焼防止手段を取り、次に（１０５）の鉛アルニウム亜鉛合金回路配線は、通常鉛アルミニウム回路配線物質に亜鉛を０,５%入れた著作権上異なる回路配線とした（１１０）の竹灰入り固形窒素入り胡桃殻乾燥粉粒子混合グラスフアイバー回路基板を使用した軽量と燃えづらくしたレアーアース無しの回路基板説明の（１９）の、特許請求に対してと実用新案の著作権文書図に対しての電気抵抗ゼロ配線部分の不正競争防止法の介入著作権物盗作説明に成る。
【０１３３】
図４４の参考図３９の場合は、（１９）の、電気抵抗ゼロ配線部分の不正競争防止法の介入著作権物盗作説明図の配線の説明に成り、回路基板作成のみの半自動の電気製品製造技術に対してのカメラ付き全自動ロボット使用の回路基板の電気抵抗ゼロ配線説明に成り、（１１０）の竹灰入り固形窒素入り胡桃殻乾燥粉粒子混合グラスフアイバー回路基板に対して回路配線溝部分を予め深く掘り下げた回路配線溝に対して一番下の位置に敷き込む（１１２）の軽水素トリチウム電子ガス入り乾燥水草灰入り再生プラスチック硝子微粒子内蔵圧電素子磁石体混合粒子回路配線をまずは最初に敷き込み、次に（２３８）の窒素ガス入り向日葵灰内蔵エボナイト粒子入りグラスフアイバー溶液燃焼防止回路シートを流し込み最後に、（１２０）の鉛アルミニウムチタン合金回路配線を敷き込んだ三重回路配線に成り、レアーアース金属の高価な値段の対策とレアーアース金属の資源不足を補う為の対策技術に成り、既に特許請求公開技術の著作権発生に基づく似た作品の盗作防御手段に成り、（２３９）の、窒素ガス入りエボナイト粒子入りグラスフアイバー燃焼防止パネルによって、回路基板の気化ガス使用回路の燃焼防止対策を示した事に成る。
次に、回路基板作成に基づく全自動に必要なライトカメラロボットは（１０３）の四角形柱回転作動ボルトナットを正確に捉えて&#25681;みこむ為のボルトナット構造に成り、（１３８）の青色目印と（１３９）の赤色目印と（１４０）の全自動制御モーターピン工具取り付け穴によって（２３９）の、窒素ガス入りエボナイト粒子入りグラスフアイバー燃焼防止パネルを(１０３)の四角形柱回転作動ボルトナット固定出来る回路基板装置に成り、（１３８）の、青色目印と（１３９）の赤色目印と（１４０）の全自動制御モーターピン工具取り付け穴によって、（１１５）窒素ガス入りシリコン粒子入りグラスフアイバー燃焼防止パネルを固定して、回路基板の燃焼防止対策を講じている回路基板に成り、（１９）の、特許請求に対してと実用新案の著作権文書図に対しての電気抵抗ゼロ配線部分の不正競争防止法の介入著作権物盗作説明に成る。
現在、２０１３年１２月１１日ＰＭ２０時２０分現在国会では、国の秘密法案が成立と防衛力強化が、テレビマスコミ及びラジオマスコミで騒がれているが、本考案の高出力銅筒管コイル配線は、日本の特許権で無いレアーアース配線より、電気の流れがレアーアースでは電気抵抗ゼロに成らないが、本考案の特許請求済みの高出力銅筒管装置を使ったレーダー装置は、レーダー波のスピードを世界最高スピードに出来る技術に成るが、特許請求公開者及び実用新案登録請求の世界特許に成る本知的所有財産の技術を、軍事に使用して損害を起こした個人及び世界各国の完全賠償の全て元の姿に戻すまで永遠に賠償を続ける戦争をしないで軍事交渉で無く話し合いが出来ない軍事事件の本考案知的所有財産を使った戦争と言う相手の有る戦いによって損害をした場合、本考案の著作全てに対する特許請求をしている事実そして、尚且つ知的所有財産の盗作技術を行ってはいけませんとの前置き及び、著作権者本人の絶対に戦争は行わない事実に対しての軍事装置に依っての何らかの相手に損害を与える行為全てに対して著作権者本人の知的所有財産の勝手無視による戦争行為の道具及び軍事道具による相手に損害を与える行為に対して著作権者本人が世界中誰でも見る事の出来る本文章説明を無視する行為こそが人権を奪われる行為に成り、本考案及び特許請求の著作権を、勝手に無視して作って国及び他国の個人を含む全てに売買してそれを使って損害賠償が発生しなくても、本考案及び特許請求著作権物を勝って使用して作った企業が、日本の国税を使った場合は、国民署名を集めて国民投票制度を作り、企業または、勝つてに造って販売した個人の完全賠償を国が決めなければ国民が訴えて、勝手に作った個人または企業に完全賠償まで出来る事実とは、戦争をしないと言う取り決めが、国連に無いのか、更に、レアーアース金属を使った軍事装置に於いても、国連が戦争をしない取り決めならばレアーアースの軍事使用に対しても、同じく利害関係が発生した場合は払うお金が国連に無ければ、各国にレアーアース軍事使用の国連戦争処理積立税を国のトップの者は国連及び各国に話をしても良いと言えるのは、戦争の損害賠償に対しても、各国国々の国連の積み立て基金すなわち日本企業に対して、海外の日本企業の様に他国で商売している場合、日本国へは税収として海外所得税がゼロ円の為、日本国のお金の持ち出しに対して一切の日本国の国益は、自動車関係及び電気製品関係一切いくら売上が有っても、日本国への税金収入が一円も無い事実に対して、米の自由化及びオレンジの自由化及び海外の肉の自由化は、日本企業の海外販売に対しての海外企業の損益発生によって、損した分を日本国への海外製品の自由化に対して、日本国の国益としての税金回収を日本国がしていないのに海外企業が怒る成らば、新しく海外国が税金を取って海外それぞれの国の損害の対応をしても日本国の税収の損害は海外所得税が無い現在損益が無いと思える。
更に、農業に対して、高い化学肥料の場合は中国産などのおそらく半額以下の肥料の契約社会を自立する事によって農業所得を増やす事が出来て中国にとっても良い事に成り、農業関係の向上の効果を上げる事が出来る。
更に、小麦等は国が輸入している品目に対して、オーストラリア及びアメリカ及び中国及びロシア及びアフリカ等の砂漠地帯を、海外の国から借りて水を引いて小麦及び大豆を作って、更に菜種油を使用した油圧機器の作動油開発によって、原油の値下げ等、更に、小麦等を使う日本国内の企業に全国農民連合会等が、販売出来る新しく作る農業の有り方等は余った場合は家畜の餌利用等他の、食糧難の場所への配給に成り、自衛隊の動員に依る海外農業と戦争を行わない日本国の完全主張は、スイスの中立国に習った戦争を絶対にしない国の本位の海外自衛隊派遣説明が、国益の一番大事な食糧維持国の弱者主張案で有る。
更に、海外で米を作った場合には米の茎に含まれて入る物質または珍しい金属物質を使った医療新薬の開発に中っても日本の全国の農業団体が日本国の全額借金返済の新技術新薬会社等の設立なども今後は戦争をしない国の説明だと言える。
後に、非武装の説明は今後、マスコミが処理出来なければ書く事に成る。
２０１３年１２月１１日ＰＭ２１時３２分明日が有る為、知的所有財産の利害関係とそれに代わる利害に対する別の案で有り、働かない者は食べるべからずで無く別に新しく言葉を変える事が出来れば健康に１５０歳まで、全自動農業は自衛隊職員と海外農業研修皆健康が新しい農業と食に対することわざにして行きたいのも弱者庶民の２０１３年１２月１１日の願いと世界平和の願いに成る。ニャンカンキチ木白子ペンネーム読む者が税収不足の原因が何処に有ったのか日本国の１０００兆円を超える借金を国営の会社を民営化にして海外販売に対して、日本国１億人に対して、海外人工スマートホーン７万円×世界人口分の日本国に入る税金ゼロ円は海外の国が著作権法の盗作及び特許の無視及び実用新案登録無視に対する日本国への連絡をあらゆる手段を使って連絡していただける様お願いします。
なぜならば、世界の弱者が、金に屈するだけは絶対に日本国のトップ者は見逃さないで懲役１億年など無期懲役の表現を廃止して懲役刑に対して数字の無限使用をおそらく約束出来る理由に対して、戦争の文字より、事実公表に基づく利害関係の判断つまり、戦争程つまらない戦い事で有ると言える事を著作者は名言出来る事実とは、戦争道具利用は絶対にお断りです。
回路のロケット使用及び軍事電気機器の使用等も高出力技術全てが世界トップ技術と言える著作権者です。
【０１３４】
図４５の参考図４０の場合は、(１９)の、電気抵抗ゼロ配線部分の不正競争防止法の介入著作権物盗作説明図の配線の説明に成り、回路基板作成のみの半自動の電気製品製造技術に対してのカメラ付き全自動ロボット使用の回路基板の電気抵抗ゼロ配線説明に成り、（１１０）の竹灰入り固形窒素入り胡桃殻乾燥粉粒子混合グラスフアイバー回路基板に対して回路配線溝部分を予め深く掘り下げた回路配線溝に対して一番下の位置に敷き込む(１１７)の軽水素トリチウム電子ガス入り蕎麦灰入り再生エボナイト入り硝子微粒子内蔵圧電素子磁石体混合粒子回路配線を一番下に敷き込み次に、（１１４）の窒素ガス入り葦灰内蔵ビニールプラスチック粒子入りグラスフアイバー溶液燃焼防止回路シートを敷き込み最後に、（１１６）の鉛アルミニウム錫合金回路配線の錫金属部分を１％入れた合金に成り、気化ガスの軽水素トリチウム電子ガスの燃焼を抑える為の（１１５）の窒素ガス入りシリコン粒子入りグラスフアイバー燃焼防止パネルを（１３８）の青色目印と（１３９）の赤色目印と（１４０）の全自動制御モーターピン工具取り付け穴に専用の全自動ロボットカメラ作製装置によって、（１１５）の窒素ガス入りシリコン粒子入りグラスフアイバー燃焼防止パネルを固定出来る回路基板に成り、電気抵抗ゼロ配線入り三重回路配線基板に成り、（１９）の、電気抵抗ゼロ配線部分の不正競争防止法の介入著作権物盗作説明図の配線の説明に成る。
【０１３５】
図４６の参考図４１の場合は、（１９）の、電気抵抗ゼロ配線部分の不正競争防止法の介入著作権物盗作説明図の配線の説明に成り、回路基板作成のみの半自動の電気製品製造技術に対してのカメラ付き全自動ロボット使用の回路基板の電気抵抗ゼロ配線説明に成り、（１１０）の竹灰入り固形窒素入り胡桃殻乾燥粉粒子混合グラスフアイバー回路基板に対して回路配線溝部分を予め深く掘り下げた回路配線溝に対して一番下の位置に敷き込む（１２２）の軽水素トリチウム電子ガス入り果物ジュース廃棄乾燥殻灰入り再生エボナイト混合プラスチック入り硝子微粒子内蔵圧電素子磁石体粒子回路配線を敷き込み次に、（１２１）の窒素ガス入り燕麦灰内蔵ビニール粒子入りグラスフアイバー溶液燃焼防止回路シート配線を敷き込み次に、（１１９）の鉛アルミニウムジュラルミン合金回路配線を最後に敷き込んだ三重回路配線基板に成り、気化ガスの軽水素トリチウム電子ガス混合合成の石油系及び植物樹脂系及び加工動物油回路配線は気化ガス入りの為、電気抵抗ゼロ配線に成る為、レアーアースより材料費代が安く成る為、回路配線の代用品として使用の用途を広げる事に成り、（１１８）のフロンガス入りビニール粒子内蔵グラスフアイバー燃焼防止パネルは、気化ガス軽水素トリチウム電子配線の燃焼防止パネルとし、（１１３）の全自動カラー目印ボルトナットの（１３８）の青色目印と（１３９）の赤色目印と（１４０）の全自動制御モーターピン工具取り付け穴に専用の全自動ロボットカメラの専用工具によって電気抵抗ゼロ電気配線基板を組み立てる事が出来る（１９）の、電気抵抗ゼロ配線部分の不正競争防止法の介入著作権物盗作説明図の配線の説明に成る。
【０１３６】
図４７の参考図４２の場合は、（１９）の、電気抵抗ゼロ配線部分の不正競争防止法の介入著作権物盗作説明図の配線の説明に成り、回路基板作成のみの半自動の電気製品製造技術に対してのカメラ付き全自動ロボット使用の回路基板の電気抵抗ゼロ配線説明に成り、（１１０）の竹灰入り固形窒素入り胡桃殻乾燥粉粒子混合グラスフアイバー回路基板に対して回路配線溝部分を予め深く掘り下げた回路配線溝に対して一番下の位置に敷き込む（１２６）の軽水素トリチウム電子ガス入り泥炭乾燥殻灰入り再生エボナイト混合プラスチック入り硝子微粒子内蔵圧電素子磁石体粒子回路配線を最初に敷き込み次に、（１２５）の窒素ガス入りレントコーン灰内蔵エボナイトビニール粒子入りグラスフアイバー溶液燃焼防止回路シートを敷き込み最後に、（１２４）の鉛アルミニウム鉛銅芯入り合金回路配線を敷き込んだ三重回路配線に成り、気化ガスの軽水素トリチウム電子ガス使用の為、燃焼防止パネルとして、（１２３）のフロン窒素合成ガス入りビニール粒子内蔵グラスフアイバー燃焼防止パネルを（１１３）の全自動カラー目印ボルトナット→Ａ ｍａｒｋ ｃｏｌｏｒ ｂｏｌｔの（１３８）の青色目印と（１３９）の赤色目印と（１４０）の全自動制御モーターピン工具取り付け穴を専用の全自動ロボットカメラ作動機械装置によって、電気抵抗ゼロ配線基板を作成出来る（１９）の、電気抵抗ゼロ配線部分の不正競争防止法の介入著作権物盗作説明図の配線の説明で有る。
【０１３７】
図４８の参考図４３の場合は、（１９）の、電気抵抗ゼロ配線部分の不正競争防止法の介入著作権物盗作説明図の配線の説明に成り、回路基板作成のみの半自動の電気製品製造技術に対してのカメラ付き全自動ロボット使用の回路基板の電気抵抗ゼロ配線説明に成り、（１１０）の竹灰入り固形窒素入り胡桃殻乾燥粉粒子混合グラスフアイバー回路基板に対して回路配線溝部分を予め深く掘り下げた回路配線溝に対して一番下の位置に敷き込む（１３０）の軽水素トリチウム電子ガス入り長芋茎蔓乾燥殻灰入り再生エボナイト混合プラスチック入り硝子微粒子内蔵圧電素子磁石体粒子回路配線を最初に敷き込み次に、（１２９）の窒素ガス入りニンニク茎乾燥殻灰内蔵エボナイトビニール粒子入りグラスフアイバー溶液燃焼防止回路シートを敷き込み最後に（１２８）の鉛アルミニウム銅５％合金回路配線を敷き込んだ三重回路配線に成り、電気抵抗ゼロ回路基板配線に成る（１９）の、電気抵抗ゼロ配線部分の不正競争防止法の介入著作権物盗作説明図で有る。
更に、（１２７）のヘリウムガス１％窒素混合合成ガス入りエボナイトビニール粒子内蔵グラスフアイバー燃焼防止パネルは、気化ガスの軽水素トリチウム電子ガス入りの回路基板の燃焼防止パネルに成り、（１１３）の全自動カラー目印ボルトナット→Ａ ｍａｒｋ ｃｏｌｏｒ ｂｏｌｔに対して（１３８）の青色目印と（１３９）の赤色目印と（１４０）の全自動制御モーターピン工具取り付け穴を専用の全自動ロボットカメラ作動機械装置によって、電気抵抗ゼロ配線基板を作成出来る（１９）の、電気抵抗ゼロ配線部分の不正競争防止法の介入著作権物盗作説明図の配線の説明で有る。
【０１３８】
図４９の参考図４４の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に（８）の軽水素トリチウム電子ガス入り圧電素子磁石体粒子配線素子を内蔵し、次に（１３３）の窒素ガス入りエボナイトビニール粒子入りグラスフアイバービニール円柱燃焼防止配線を取り付け、（７）の、高出力銅筒管コイル配線部分の中心部分に（１３１）の２重銅筒管コイル配線部分を取り付け、(１３２)のレアーアース金属配線部分を取り付けた最終的に、レアーアース金属より、（８）の軽水素トリチウム電子ガス入り圧電素子磁石体粒子配線素子の軽水素トリチウム電子ガスに電気抵抗ゼロ配線として電気が流れる（１９）の、電気抵抗ゼロ配線部分の不正競争防止法の介入著作権物盗作説明図の配線の説明で有る。
【０１３９】
図５０の参考図４５の場合は、（１９）の、電気抵抗ゼロ配線部分の不正競争防止法の介入著作権物盗作説明図の配線の説明に成り、回路基板作成のみの半自動の電気製品製造技術に対してのカメラ付き全自動ロボット使用の回路基板の電気抵抗ゼロ配線説明に成り、（１１０）の竹灰入り固形窒素入り胡桃殻乾燥粉粒子混合グラスフアイバー回路基板に対して回路配線溝部分を予め深く掘り下げた回路配線溝に対して一番下の位置に敷き込む（１３７）の軽水素トリチウム電子ガス入り牛蒡葉乾燥灰入り再生エボナイト混合プラスチック入り硝子微粒子内蔵圧電素子磁石体粒子回路配線を最初に敷き込み次に、(１３６)の窒素ガス入り蕗皮葉乾燥灰内蔵エボナイトビニール粒子入りグラスフアイバー溶液燃焼防止回路シートを敷き込み最後に（１３５）の鉛アルミニウム銅５％レアーアース超細針配線入り合金回路配線を敷き込んで造り上げた三重回路配線基板の気化ガスの軽水素トリチウム電子ガスの燃焼防止パネルとして（１３４）のフロンガス１％窒素混合合成ガス入りエボナイトシリコンビニール粒子内蔵グラスフアイバー燃焼防止パネルを（１１３）の全自動カラー目印ボルトナット→Ａ ｍａｒｋ ｃｏｌｏｒ ｂｏｌｔの（１３８）の青色目印と（１３９）の赤色目印と（１４０）の全自動制御モーターピン工具取り付け穴を専用の全自動ロボットカメラ作動機械装置によって、電気抵抗ゼロ配線基板を作成出来る（１９）の、電気抵抗ゼロ配線部分の不正競争防止法の介入著作権物盗作説明図の配線の説明で有る。
【０１４０】
図５１の参考図４６の場合は、（１９）の、電気抵抗ゼロ配線部分の不正競争防止法の介入著作権物盗作説明図の配線の説明に成り、回路基板作成のみの半自動の電気製品製造技術に対してのカメラ付き全自動ロボット使用の回路基板の電気抵抗ゼロ配線説明に成り、（１１０）の竹灰入り固形窒素入り胡桃殻乾燥粉粒子混合グラスフアイバー回路基板に対して回路配線溝部分を予め深く掘り下げた回路配線溝に対して一番下の位置に敷き込む（１４９）の軽水素トリチウム電子ガス入り糸瓜茎葉乾燥灰入り再生エボナイト混合プラスチック入り硝子微粒子内蔵圧電素子磁石体粒子回路配線を敷き込み次に（１４８）の窒素ガス入り茄子茎葉乾燥灰内蔵エボナイトビニール粒子入りグラスフアイバー溶液燃焼防止回路シートを敷き込み最後に、（１４７）の鉛アルミニウム銅亜鉛合金回路配線を敷き込んだ気化ガスの軽水素トリチウム電子ガスの燃焼防止パネルとして（１４６）の、ヘリウムガス０,５％フロンガス１％窒素ガス９８,５％混合合成ガス入りエボナイトシリコンビニール液晶混合粒子内蔵グラスフアイバー燃焼防止パネルを（１１３）の全自動カラー目印ボルトナット→Ａ ｍａｒｋ ｃｏｌｏｒ ｂｏｌｔの１３８の青色目印と（１３９）の赤色目印と（１４２）の白色目印と（１４３）の黄色目印と（１４４）の黒色目印と（１４５）の緑色目印と(１４０)の全自動制御モーターピン工具取り付け穴を専用の全自動ロボットカメラ作動機械装置によって、電気抵抗ゼロ配線基板を作成出来る（１９）の、電気抵抗ゼロ配線部分の不正競争防止法の介入著作権物盗作説明図の配線の説明で有る
【０１４１】
図５２の参考図４７の場合は、（１９）の、電気抵抗ゼロ配線部分の不正競争防止法の介入著作権物盗作説明図の配線の説明に成り、回路基板作成のみの半自動の電気製品製造技術に対してのカメラ付き全自動ロボット使用の回路基板の電気抵抗ゼロ配線説明に成り、（１１０）の竹灰入り固形窒素入り胡桃殻乾燥粉粒子混合グラスフアイバー回路基板に対して回路配線溝部分を予め深く掘り下げた回路配線溝に対して一番下の位置に敷き込む（１５３）の軽水素トリチウム電子ガス入り西瓜茎葉乾燥灰入り再生エボナイト混合プラスチック入り硝子微粒子内蔵圧電素子磁石体粒子回路配線を敷き込み次に、（１５２）の軽水素トリチウム電子ガス入り南瓜茎葉乾燥灰入り再生エボナイト混合プラスチック入り硝子微粒子内蔵圧電素子磁石体粒子回路配線を敷き込み最後に、（１５１）の鉛アルミニウム銅錫合金回路配線を敷き込んだ気化ガスの軽水素トリチウム電子ガスの燃焼防止パネルとして（１５０）のヘリウムガス０,３％窒素ガス９９,７％混合合成ガス入りエボナイトシリコンビニール樹脂混合粒子内蔵グラスフアイバー燃焼防止パネルに成り、（１１３）の全自動カラー目印ボルトナット→Ａ ｍａｒｋ ｃｏｌｏｒ ｂｏｌｔに対して（１３８）の青色目印と（１３９）の赤色目印と（１４０）の全自動制御モーターピン工具取り付け穴を専用の全自動ロボットカメラ作動機械装置によって、電気抵抗ゼロ配線基板を作成出来る（１９）の、電気抵抗ゼロ配線部分の不正競争防止法の介入著作権物盗作説明図の配線の説明で有る。
【０１４２】
図５３の参考図４８の場合は、（１９）の、電気抵抗ゼロ配線部分の不正競争防止法の介入著作権物盗作説明図の配線の説明に成り、圧電素子４電子磁気分割装置の通常電気中の熱抵抗電気だけを取り除く装置に成り、（１５６）の通常圧電素子磁石体に対して、（１５４）の電気抵抗電気の入って入る通常プラス電気は（１５６）の通常圧電素子磁石体に対して（１６０）の中間陽電子磁極体に（１５４）の電気抵抗電気の入って入る通常プラス電気を流し、（１５９）の陰電子磁極体の反対側の（１５８）の陽電子磁極体から通常プラス電気の熱抵抗電気の入って無いプラス電気を取り出し（１５７）の通常銅配線に熱抵抗電気の取り除いた電気抵抗ゼロ電気として(１６２)のプラス電気を回路配線及びその他の電気機器配線に流すシステムに成り、（１５６）の通常圧電素子磁石体に対して、（１５５）の電気抵抗電気の入って入る通常マイナス電気は（１５６）の通常圧電素子磁石体に対して（１６１）の中間陰電子磁極体に（１５５）の電気抵抗電気の入って入る通常マイナス電気を流し、（１５８）の陽電子磁極体の反対側の（１５９）の陰電子磁極体から通常マイナス電気の熱抵抗電気の入って無いマイナス電気を取り出し（１５７）の通常銅配線に熱抵抗電気の取り除いた電気抵抗ゼロ電気として（１６３）のマイナス電気を回路配線及びその他の電気機器配線に流すシステムに成る（１９）の、電気抵抗ゼロ配線部分の不正競争防止法の介入著作権物盗作説明図の配線の説明で有る。
２０１３年１２月１２日ＰＭ２１時３０分寝る時間なのでペンを置く栃木県のニヤン。
【０１４３】
図５４の参考図４９の場合は、（１９）の、電気抵抗ゼロ配線部分の不正競争防止法の介入著作権物盗作説明図の配線の説明に成り、圧電素子４電子磁気分割装置の通常電気中の熱抵抗電気だけを取り除く装置に成り、（１５６）の通常圧電素子磁石体に対して、（１５４）の電気抵抗電気の入って入る通常プラス電気は（１５６）の通常圧電素子磁石体に対して（１６０）の中間陽電子磁極体に（１５４）の電気抵抗電気の入って入る通常プラス電気を流し、（１５９）の陰電子磁極体の反対側の（１５８）の陽電子磁極体から通常プラス電気の熱抵抗電気の入って無いプラス電気を取り出し（１６４）の通常銅配線に熱抵抗電気の取り除いた電気抵抗ゼロ電気として（１６５）のプラス電気を回路配線及びその他の電気機器配線に流すシステムに成り、（１５６）の通常圧電素子磁石体に対して、（１５５）の電気抵抗電気の入って入る通常マイナス電気は（１５６）の通常圧電素子磁石体に対して（１６１）の中間陰電子磁極体に（１５５）の電気抵抗電気の入って入る通常マイナス電気を流し、（１５８）の陽電子磁極体の反対側の（１５９）の陰電子磁極体から通常マイナス電気の熱抵抗電気の入って無いマイナス電気を取り出し（１６４）の通常銅配線に熱抵抗電気の取り除いた電気抵抗ゼロ電気として（１６６）のマイナス電気を回路配線及びその他の電気機器配線に流すシステムに成る（１９）の、電気抵抗ゼロ配線部分の不正競争防止法の介入著作権物盗作説明図の配線の説明で有る。
【０１４４】
図５５の参考図５０の場合は、（１９）の、電気抵抗ゼロ配線部分の不正競争防止法の介入著作権物盗作説明図の配線の説明に成り、軽量プラスチックスピーカーの（１７０）の生ゴミ灰入りプラスチック混合合成スピーカーコーン又は（１６７）の竹灰入りプラスチック樹脂混合合成スピーカーコーンに対して（１７１）の高出力圧電素子合成電磁石に対して（７）の高出力銅筒管コイル配線部分のプラス側は（１６８）のプラス圧電素子４電子磁気分割装置に（１５４）の通常プラス電気を通す構造システムに成り、マイナス側は（１６８）のマイナス圧電素子４電子磁気分割装置に（１５４）の通常マイナス電気を通す構造システムに成る（１９）の、電気抵抗ゼロ配線部分の不正競争防止法の介入著作権物盗作説明図の配線の説明で有る。
【０１４５】
図５６の参考図５１の場合は、（１９）の、電気抵抗ゼロ配線部分の不正競争防止法の介入著作権物盗作説明図の配線の説明に成り、（７）の高出力銅筒管コイル配線に被せる（１７５）のプロパン冷却臭素ガス入りプラスチックビニール粒子内蔵グラスフアイバービニールゴム燃焼防止絶縁体配線に対して更に被せる（１７３）の窒素ガス入りプラスチックビニール粒子内蔵グラスフアイバービニールゴム燃焼防止絶縁体配線に対して最後の（１７２）の竹灰入りビニールプラスチックゴム表皮配線の室内用配線の片面は（１７４）の接着糊シート部分にした（１９）の、電気抵抗ゼロ配線部分の不正競争防止法の介入著作権物盗作説明図の配線の説明で有る。
【０１４６】
図５７の参考図５２の場合は、（１９）の、電気抵抗ゼロ配線部分の不正競争防止法の介入著作権物盗作説明図の配線の説明に成り、特殊軽量コイル電磁石対して（１７６）の高出力軽水素ガス入り圧電素子磁石体に対して（１７７）の複数穴空き高出力銅筒管コイル巻き配線部分は（１７８）の通常プラス電気に対して（１６８）のプラス圧電素子４電子磁気分割装置を通常電気が通って（１７７）の複数穴空き高出力銅筒管コイル巻き配線部分を電気が通って（１８０）の電気抵抗ゼロプラス電気が通る特殊軽量コイル電磁石に成り、（１７９）の通常マイナス電気に対して（１６９）のマイナス圧電素子４電子磁気分割装置を通常電気が通って（１７７）の複数穴空き高出力銅筒管コイル巻き配線部分を電気が通って（１８１）の電気抵抗ゼロマイナス電気が通る特殊軽量コイル電磁石に成る（１９）の、電気抵抗ゼロ配線部分の不正競争防止法の介入著作権物盗作説明図の配線の説明で有る。
【０１４７】
図５８の参考図５３の場合は、（１９）の、電気抵抗ゼロ配線部分の不正競争防止法の介入著作権物盗作説明図の配線の説明に成り、特殊軽量コイルに対して（１８３）の窒素ガス入りチタン酸バリウム粒子入りチタン酸バリウム圧電素子磁石体部分コイル芯に対して（１７６）の高出力圧電素子磁石体と（１８６）の熱電子流動型コイル芯に対して（１８４）の窒素ガス入り圧電素子磁石体シリコン微粒子入り圧電素子磁石体シートと（１８５）の半窒素ガス入り圧電素子磁石体シリコン微粒子入り圧電素子磁石体シートを貼り並べた（１８３）の窒素ガス入りチタン酸バリウム粒子入りチタン酸バリウム圧電素子磁石体部分コイル芯に成り、（１７６）の高出力圧電素子磁石体芯部分に対しては（１７７）の複数穴空き高出力銅筒管コイル巻き配線を巻いた構造に成り、（１８６）の熱電子流動型コイル芯に対して（１８４）の窒素ガス入り圧電素子磁石体シリコン微粒子入り圧電素子磁石体シートと（１８５）の半窒素ガス入り圧電素子磁石体シリコン微粒子入り圧電素子磁石体シートを貼り並べたコイル芯に対して（１８２）の通常の高出力銅筒管コイル配線を巻いた（１８６）の熱電子流動型コイル芯構造説明の(１９)の、電気抵抗ゼロ配線部分の不正競争防止法の介入著作権物盗作説明図の配線の説明図の配線の説明で有る。
【０１４８】
図５９の参考図５４の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に対して（１８７）の異種高出力銅筒管コイル配線の内部は（１９０）の竹灰入りプラスチック硝子粒子入り軽量軽水素トリチウム電子ガス入り圧電素子磁石体電気抵抗ゼロ配線部分と（１８９）の窒素軽水素トリチウム電子ガス入りビニール粒子内蔵グラスフアイバービニール熱電子電気燃焼防止電気抵抗ゼロ配線部分と（１８８）の軽水素トリチウム電子ガス入り高出力銅筒管コイル電気抵抗ゼロ配線部分に冷却燃焼防止配線を取り込む事によって電気配線及びコイル配線の熱劣化燃焼を講じた（１９）の、電気抵抗ゼロ配線部分の不正競争防止法の介入著作権物盗作説明図の配線の説明図の配線の説明で有る。
【０１４９】
図６０の参考図５５の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に対して（１９１）の温度感知型異種高出力銅筒管コイル配線に対して（１９４）の二重銅官配線部分の中に入って入る（１９２）の半液晶溶液入り水銀銅管に電気熱が吸収されると（１９２）の半液晶溶液入り水銀が膨張して(２４０)の超細銅線に接着して電気が流れる構造に成り、（１９２）の半液晶溶液入り水銀銅管の周りは（１９３）の竹灰入りビニール粒子入りグラスフアイバービニール絶縁体部分が内蔵された（１９１）の温度感知型異種高出力銅筒管コイル配線部分に成り、次に、（１９０）の竹灰入りプラスチック硝子粒子入り軽量軽水素トリチウム電子ガス入り圧電素子磁石体電気抵抗ゼロ配線部分と（１８９）の窒素軽水素トリチウム電子ガス入りビニール粒子内蔵グラスフアイバービニール熱電子電気燃焼防止電気抵抗ゼロ配線部分と（１８８）の軽水素トリチウム電子ガス入り高出力銅筒管コイル電気抵抗ゼロ配線部分へと通常電気の電気抵抗ゼロ電気が流れる配線説明の（１９）の、電気抵抗ゼロ配線部分の不正競争防止法の介入著作権物盗作説明図の配線の説明図の配線の説明で有る。
２０１３年１２月１３日ＰＭ２１時３５分寝る時間なのでペンを置く栃木県のニヤン。
【０１５０】
図６１の参考図５６の場合は、（１９）の、電気抵抗ゼロ配線部分の不正競争防止法の介入著作権物盗作説明図の配線の説明に成り、（７）の、高出力銅筒管コイル配線部分に成り、銅筒管配線の内部に対して（１８８）の軽水素トリチウム電子ガス入り高出力銅筒管コイル電気抵抗ゼロ配線部分に被せる配線芯構造に対して（１９５）の固形窒素バリウム粒子入りアルゴンガス入り液体マグネシウムビニール無金属配線部分の次に（７）の、高出力銅筒管コイル配線部分が被さる配線説明の（１９）の、電気抵抗ゼロ配線部分の不正競争防止法の介入著作権物盗作説明図の配線の説明図の配線の説明で有る。
【０１５１】
図６２の参考図５７の場合は、（１９）の、電気抵抗ゼロ配線部分の不正競争防止法の介入著作権物盗作説明図の配線の説明に成り、（１９６）の電気抵抗ゼロ無金属電気配線に対して（１９７）の固形窒素入りビニール粒子及び竹灰粒子内蔵ビニールゴム電気配線表皮絶縁体部分に対して電気の通る（１９６）の電気抵抗ゼロ無金属電気配線は（１９５）の固形窒素バリウム粒子入りアルゴンガス入り液体マグネシウムビニール無金属配線部分の固形窒素バリウム粒子入りの配線燃焼防止冷却粒子入りの気化ガスのアルゴンガス入り液体マグネシウムビニール配線に成り、気化物質のアルゴンガスは気化ガス物質の為、電気抵抗ゼロ現象でアルゴンガス混合ビニール物質配線は金属配線のレアーアースより電気の通りが速い電気抵抗ゼロ配線を可能にした電気抵抗ゼロの意味説明の気化物質のアルゴンガスを使用した電気配線に成る（１９）の、電気抵抗ゼロ配線部分の不正競争防止法の介入著作権物盗作説明図の配線の説明図の配線の説明で有る。
【０１５２】
図６３の参考図５８の場合は、（１９）の、電気抵抗ゼロ配線部分の不正競争防止法の介入著作権物盗作説明図の配線の説明に成り、（１９６）の電気抵抗ゼロ無金属電気配線に対して電気配線の中心部分の電気配線芯部分は、（２００）の軽水素窒素ガス入りバリウム粒子入り軽水素トリチウムガス入り圧電素子磁石体粒子配線は、電気配線燃焼防止配線の観点から窒素冷却ガスと軽水素トリチウム電子冷却ガスを液体バリウムと混合撹拌合成した固形バリウムを粒子状にした電子冷却粒子物質を軽水素トリチウム電子ガス入りの液体チタン酸バリウムに竹灰入りプラスチック硝子粒子を混合合成した軽量高出力圧電素子を使った電気抵抗ゼロ配線に成り、この配線に（１９９）の雑草灰入り窒素ガス入り液体ビニールナイロン硝子粒子入りグラスフアイバービニール燃焼防止絶縁体配線は、金属配線と異なる（１９６）の電気抵抗ゼロ無金属電気配線の為、燃焼し始めると瞬く間に燃えて無く成る為、電気配線の二重の燃焼防止配線構造を必要とした配線に成り、（１９８）の木材灰入り窒素ガス入りエボナイトビニール粒子入りビニールゴム電気配線表皮の三重の燃焼防止構造の（１９６）の電気抵抗ゼロ無金属電気配線は、世界で最も軽い電気配線の為、将来未来的では人工衛星の電気配線及びロボットの窒素ガス循環コンピューター配線システムなど、殆ど開ける事の無い電気回路パーツ組み立てシステムの熱劣化防止と錆び防止の両方を備えた窒素ガス全自動回収型の全自動ロボットの回路を燃焼防止シートなどで囲んだ後、錆びないで軽いチタン金属及びアルミニウムを被せた回路アダプタ等の接続配線等の熱劣化防止システム電気配線に成る（１９）の、電気抵抗ゼロ配線部分の不正競争防止法の介入著作権物盗作説明図の配線の説明図の配線の説明で有る。
【０１５３】
図６４の参考図５９の場合は、（１９）の、電気抵抗ゼロ配線部分の不正競争防止法の介入著作権物盗作説明図の配線の説明に成り、（１９６）の電気抵抗ゼロ無金属電気配線に対して電気配線の中心部分の電気配線芯部分は、（２０２）アルゴン窒素ガス入り軽水素トリチウム電子ガス粒子入り圧電素子磁石体粒子配線は、電気配線燃焼防止配線の観点から窒素冷却ガスと軽水素トリチウム電子冷却ガスを液体バリウムと混合撹拌合成した固形バリウムを粒子状にした電子冷却粒子物質を軽水素トリチウム電子ガス入りの液体チタン酸バリウムに竹灰入りプラスチック硝子粒子を混合合成した軽量高出力圧電素子を使った電気抵抗ゼロ配線に成り、この配線に（２０１）のキュウイ乾燥葉茎入り窒素ガス入りビニール粒子及びキュウイ乾燥葉茎入りフロンガス入りビニールＷ粒子入りビニールゴム電気配線表皮部分の気化ガスのアルゴン窒素ガス入り軽水素トリチウム電子ガスの燃焼防止配線の灰物質の原料が異なるが不燃物と燃えない物質では世界最軽量物質の仲間に成る(１９)の、電気抵抗ゼロ配線部分の不正競争防止法の介入著作権物盗作説明図の配線の説明図の配線の説明で有る。
【０１５４】
図６５の参考図６０の場合は、（１９）の、電気抵抗ゼロ配線部分の不正競争防止法の介入著作権物盗作説明図の配線の説明に成り、（１９６）の電気抵抗ゼロ無金属電気配線に対して電気配線の中心部分の電気配線芯部分は、（２０４）のネオン窒素ガス入り軽水素トリチウム電子ガス粒子入り圧電素子磁石体粒子配線の気化合成ガスの電気抵抗ゼロ配線に成り、被せる燃焼防止絶縁体配線として（２０５）の大豆乾燥茎葉灰及び竹乾燥茎葉灰入り窒素ガス入りグラスフアイバーシリコン粒子入りグラスフアイバービニール燃焼防止絶縁体配線を被せる事に依って軽量冷却ガス入りグラスフアイバー粒子を入れたグラスフアイバービニール配線は、曲がり易くて燃えづらい燃焼防止絶縁体配線に成り、（２０３）の大豆乾燥茎葉灰入り窒素ガス入りグラスフアイバービニール粒子入りナイロンビニールゴム電気配線表皮部分は燃えづらい燃焼防止絶縁体電気配線表皮に成り、三重の（１９６）の電気抵抗ゼロ無金属電気配線の燃焼防止対策をした（１９）の、電気抵抗ゼロ配線部分の不正競争防止法の介入著作権物盗作説明図の配線の説明図の配線の説明で有る。
【０１５５】
図６６の参考図６１の場合は、（１９）の、電気抵抗ゼロ配線部分の不正競争防止法の介入著作権物盗作説明図の配線の説明に成り、（１９６）の電気抵抗ゼロ無金属電気配線に対して電気配線の中心部分の電気配線芯部分は（２０７）のネオン臭素窒素ガス入り軽水素トリチウム電子ガス粒子入り圧電素子磁石体粒子配線は同じく気化ガス混合ガスのネオン臭素窒素ガス入り軽水素トリチウム電子ガスの四種類入って入る気化混合ガスだが、電気抵抗ゼロを説明するのには、一つの気化ガス内蔵の物質及び粒子入り圧電素子磁石体粒子配線等の一例が有り、銅コイルの銅筒管使用の高出力銅筒管コイル配線では、高出力圧電素子磁石体粒子が絶対条件なのだが、電気抵抗ゼロ配線では気化ガスを一種類混合合成した（１９６）の電気抵抗ゼロ無金属電気配線成り電気抵抗ゼロ配線は、気化ガスに電気が通る気化ガス混合合成の（１９６）の電気抵抗ゼロ無金属電気配線で正解だが、燃焼防止電気配線とは絶対不燃物が絶対条件に成り、世界一番軽くて絶対に燃えない物質を用意しなければ成らない。
そして、（２０７）のネオン臭素窒素ガス入り軽水素トリチウム電子ガス粒子入り圧電素子磁石体粒子配線に被せる（２０６）の窒素ガス石灰入りグラスフアイバービニール粒子入りナイロングラスフアイバーゴム電気配線表皮部分に成る（１９）の、電気抵抗ゼロ配線部分の不正競争防止法の介入著作権物盗作説明図の配線の説明図の配線の説明で有る。
【０１５６】
図６７の参考図６２の場合は、（１９）の、電気抵抗ゼロ配線部分の不正競争防止法の介入著作権物盗作説明図の配線の説明に成り、（１９６）の電気抵抗ゼロ無金属電気配線に対して電気配線の中心部分の電気配線芯部分は（２０９）のネオンアルゴンガス粒子入り圧電素子磁石体粒子配線に成り、ここでも気化合成ガスのネオンアルゴン混合ガスが気化ガスの為圧電素子磁石体粒子配線のネオンアルゴンガス粒子入り配線とはチタン酸バリウム溶液に気化合成ガスのネオンアルゴン混合ガスを入れた圧電素子磁石体は、軽水素トリチウム電子ガスとは異なる為、ネオンアルゴン混合ガスは電子ガスと異なる為、圧電素子にネオンアルゴン混合ガスを入れたとしても高出力圧電素子磁石体には成らない事実で有り、この場合、電気抵抗ゼロ配線がメインの為、（２０９）のネオンアルゴンガス粒子入り圧電素子磁石体粒子配線に（２０８）の砂岩粉窒素ガス入りグラスフアイバービニール粒子入りナイロングラスフアイバーゴム電気配線表皮部分を被せた（１９）の、電気抵抗ゼロ配線部分の不正競争防止法の介入著作権物盗作説明図の配線の説明図の配線の説明で有る。
２０１３年１２月１４日ＰＭ2２時１９分眠いからペンを置く栃木県のニャン。
【０１５７】
図６８の参考図６３の場合は、（１９）の、電気抵抗ゼロ配線部分の不正競争防止法の介入著作権物盗作説明図の配線の説明に成り、（２００）の軽水素窒素ガス入りバリウム粒子入り軽水素トリチウムガス入り圧電素子磁石体粒子配線に対して被せる（２１２）の軽水素窒素ガス入りビニール粒子入りグラスフアイバービニール燃焼防止配線によって気化ガスの軽水素窒素混合合成ガス入りのビニール粒子入りグラスフアイバービニール燃焼防止配線によって電気機器の燃焼事故を避ける為の燃焼防止配線構造に成り、（２１０）の部分線状銅コイル配線と（２１１）の窒素ガス入りグラスフアイバー粒子入りグラスファイバービニール燃焼防止配線を交互に取り付けた構造の電気配線に成る（１９）の電気抵抗ゼロ配線部分の不正競争防止法の介入著作権物盗作説明図の配線の説明図の配線の説明で有る。
【０１５８】
図６９の参考図６４の（１９）の、電気抵抗ゼロ配線部分の不正競争防止法の介入著作権物盗作説明図の配線の説明に成り、（２００）の軽水素窒素ガス入りバリウム粒子入り軽水素トリチウムガス入り圧電素子磁石体粒子配線に対して被せる（２１３）の異種異形全自動形状色識別高出力銅筒管燃焼防止軽量電気配線は、人工衛星及びスーパーコンピューター及び全自動ロボット及び全自動観光船及び全自動観光モーター飛行機及び全自動自動車社会及び全自動商業機械及び全自動介護ロボット機械及び全自動農業機械蒔き付け収穫商品搬出収支計算インプット及び漁業魚の生息数全自動観察管理稚魚放流保全社会及び山林害虫全自動除去及び人による失業対策事業昆虫薬保護及び全自動気象予知管理システム及び全自動月電波中継局システム及び全自動土星電波中継局及び天王星電波中継局及び海王星電波中継局冥王星電波中継局及び冥王星全自動電波天体望遠鏡中継局及び医療医薬品開発用全自動ロボットシステム及び全自動全地球気象管理社会システム及び全自動全地球衣食住冷凍材料保存管理システム及び全自動地下植物育成冷凍管理システム及び全自動地層高出力レントゲンカメラ計測地下地層及び海底地層写真データー管理システム及び全自動資源管理観察連絡システム及び全自動微粒子土質金属回収自然保全システム及び全自動毒生物調査毒の超円心分離機製薬開発機械システム等の(１９)の、電気抵抗ゼロ配線部分の不正競争防止法の介入著作権物盗作説明図の配線の説明図の配線の説明で有る。
【０１５９】
図７０の参考図６５の（１９）の、電気抵抗ゼロ配線部分の不正競争防止法の介入著作権物盗作説明図の配線の説明に成り、（２００）の軽水素窒素ガス入りバリウム粒子入り軽水素トリチウムガス入り圧電素子磁石体粒子配線に対して被せる（２１１）の窒素ガス入りグラスフアイバー粒子入りグラスファイバービニール燃焼防止配線に成り、次に（２１５）の竹灰入りグラスフアイバービニール絶縁体配線部分（２１４）の静電気表皮配線は静電気を回収して通常電気として使用する為の静電気回収用の（２１４）の静電気表皮配線に成り、（２１６）の不正使用防止配線に成る（１９）の、電気抵抗ゼロ配線部分の不正競争防止法の介入著作権物盗作説明図の配線の説明で有る。
【０１６０】
図７１の参考図６６の（１９）の、電気抵抗ゼロ配線部分の不正競争防止法の介入著作権物盗作説明図の配線の説明に成り、（２００）の軽水素窒素ガス入りバリウム粒子入り軽水素トリチウムガス入り圧電素子磁石体粒子配線に対して被せる（２１１）の窒素ガス入りグラスフアイバー粒子入りグラスファイバービニール燃焼防止配線に成り、次に（２１７）の片側プラス極のみ窒素ガス粒子体入りビニール粒子入り軽水素トリチウム電子ガス入り液体マグネシウム液晶シリコンシート配線充電池体部分の絶縁体部分として（２１８）の竹灰混合石灰入りビニールゴム絶縁体電気配線表皮部分に対して静電気の片側極を通常電気変換して静電気の電気利用をして（２１９）の高出力発光ＬＥＤライトを省電気使用によって（２１９）の高出力発光ＬＥＤライトを点灯させる手段に成る（１９）の、電気抵抗ゼロ配線部分の不正競争防止法の介入著作権物盗作説明図の配線の説明で有る。
【０１６１】
図７２の参考図６７の（１９）の、電気抵抗ゼロ配線部分の不正競争防止法の介入著作権物盗作説明図の配線の説明に成り、（２２０）の通常プラス電気配線に対して（２２６）の高出力圧電素子磁石体計８個を使った（２２２）のプラス高出力発電回路によって（２２０）の通常プラス電気配線の通常電気は（２２２）の四個のプラス高出力発電回路によって（２２４）の増幅プラス電気を得る事が出来るダイナモ装置及び電磁誘導発電装置及びソーラーパネル発電装置無で増幅プラス電気を得る事が出来る増幅発電システムに成り、（２２１）の通常マイナス電気配線に対して（２２５）の増幅マイナス電気を得る事が出来るダイナモ装置及び電磁誘導発電装置及びソーラーパネル発電装置無で増幅プラス電気を得る事が出来る増幅発電システムに成る（２２７）の高出力発電回路配線システムに成る（１９）の、電気抵抗ゼロ配線部分の不正競争防止法の介入著作権物盗作説明図で有る。
【０１６２】
図７３の参考図６８の（１９）の、電気抵抗ゼロ配線部分の不正競争防止法の介入著作権物盗作説明図の配線の説明に成り、（２２８）の高出力銅筒管プラス電気配線は（２３０）の取り付け熱固定鉛ボルトによって（２２９）の窒素ガス入りグラスフアイバー粒子入りクリスタル硝子体に被せる（２３３）の銅板入りクリスタル硝子の二又に電気力を分ける装置に成り、（２３１）の半分割プラス電気配線取り付け部分Ｎｏ．ＯＮＥと（２３２）の半分割プラス電気配線取り付け部分Ｎｏ．ＴＯＯに成り、（２３４）の高出力銅筒管プラス電気配線は（２３０）の取り付け熱固定鉛ボルトによって（２２９）の窒素ガス入りグラスフアイバー粒子入りクリスタル硝子体に被せる（２３３）の銅板入りクリスタル硝子の二又に電気力を分ける装置に成り（２３５）の半分割マイナス電気配線取り付け部分Ｎｏ．ＯＮＥと（２３６）の半分割マイナス電気配線取り付け部分Ｎｏ．ＴＯＯに成る（１９）の、電気抵抗ゼロ配線部分の不正競争防止法の介入著作権物盗作説明図の配線の説明で有る。
【０１６３】
図７４の参考図６９の（１９）の、電気抵抗ゼロ配線部分の不正競争防止法の介入著作権物盗作説明図の配線の説明に成り、（７）の高出力銅筒管コイル配線部分に成り、銅筒管配線の内部の配線の芯に（２４２）の軽水素トリチウム電子ガス入り圧電素子磁石体粒子内蔵シリコン熱吸収発電配線はシリコンに電気熱吸収された軽水素トリチウム電子ガスのシリコン増幅電子によって増幅発電出来る（２４２）の軽水素トリチウム電子ガス入り圧電素子磁石体粒子内蔵シリコン熱吸収発電配線に成り、（２４１）の菊灰入りグラスフアイバービニール燃焼防止絶縁体配線を被せ（２００）の軽水素窒素ガス入りバリウム粒子入り軽水素トリチウムガス入り圧電素子磁石体粒子配線は気化ガスを内蔵した電気抵抗ゼロ配線に成り、更に、（７）の高出力銅筒管コイル配線部分を電気配線に被せた電気熱発電出来る電気抵抗ゼロ配線に成る（１９）の、電気抵抗ゼロ配線部分の不正競争防止法の介入著作権物盗作説明図の配線の説明で有る。
【０１６４】
図７５の参考図７０の（１９）の、電気抵抗ゼロ配線部分の不正競争防止法の介入著作権物盗作説明図の配線の説明に成り、（７）の高出力銅筒管コイル配線部分に成り、銅筒管配線の内部の配線の芯に（２５４）のマイナス極の通常圧電素子磁石体と（２４３）の片側マイナス極軽水素トリチウム電子ガス入り圧電素子磁石体高出力電気配線の二種類接合の（２５６）の異種異物圧電素子磁石体配線に成り、（２５６）の異種異物圧電素子磁石体配線を被せる（２４４）の窒素ガス入りビニール粒子入り圧電素子配線を被せ、更に（７）の高出力銅筒管コイル配線を被せた（１９）の電気抵抗ゼロ配線部分の不正競争防止法の介入著作権物盗作説明図の配線の説明で有る。
【０１６５】
図７６の参考図７１の（１９）の、電気抵抗ゼロ配線部分の不正競争防止法の介入著作権物盗作説明図の配線の説明に成り、（７）の高出力銅筒管コイル配線部分に成り、銅筒管配線の内部の配線の芯に（２４５）の銅配線部分に対して上下に（２４６）の鉛アルミニウム合金配線部分を取り付けた円柱合わせ三重金属配線に対して（８）の軽水素トリチウム電子ガス入り圧電素子磁石体粒子配線に対して（７）の高出力銅筒管コイル配線部分を被せた（２５７）の異種異物高出力銅筒管コイル配線でも、電気抵抗ゼロ配線または電気抵抗ゼロコイル配線の意味説明にしか成らない電気配線の特許権切れ及び電気配線の世界特許権切れに成る。
従って、実用新案登録の登録機関完了年数及び利益取得完了年数を経過した為、残るは電気配線の世界著作権の不正介入の論争とは、この場合は日本国のみの著作権付きの実用新案登録と特許公開請求及び著作権請求に対して日本国のみだが、海外国に対しても、世界著作権が既にインターネットが繋がって入る為、世界著作権が有効に成り、特許権及び実用新案登録等は、日本国益を、守る観点から日本国が海外に無料提出を認めるかは、日本国益を増やす観点では日本国が認めるのが通常利益が有る為、得策に成る説明に成る。
企業側が、一社が無断で使用して、医療機器などを他国に作って販売または、日本国に一切国税の入らない他国で作って販売した場合、日本国が知りながら黙止したならば、特許文章だけでも、特許権の世界販売の現在の、２０年間×世界の販売使用台数分の賠償が成立します。
なぜなら、海外で作って販売する行為に対して、日本国に入る国税はゼロ円になるが、著作権者本人が、日本国と都道府県市町村区の全額借金返済の為の弱者一人一人の財団を作りたいとインターネットを通じて弱者国民一人一人に日本国と都道府県市町村区の全額借金返済に対して相談している事実だからで有る。
次に、企業二社以上が世界に同時に医療器械を不正に輸出した場合、著作権法と実用新案登録法と特許権法の三段階賠償が成立するのは、特許権に成るまで特許庁は知的所有財産の保護をして国益を増やさなければ、日本国が滅びるからで有る。
更に、本考案の（１９）の、電気抵抗ゼロ配線部分の不正競争防止法の介入著作権物盗作説明図に対して企業に対して二社以上が作った場合国税として収める法人税及び所得税が、二社以上同時に日本国で作って日本国及び海外に販売した場合、二社以上が経費として国に請求する為、法人税及び所得税の税収不足が不正競争防止法に対して特許違反と実用新案登録違反と著作権盗作違反とは、既に、実用新案登録済の著作権作品に成り、著作権者が、日本国と都道府県市町村区の全額借金返済をインターネット上で名言している為、国の借金つまり、日本国と都道府県市町村区の全額借金返済に対して時効が無い為、特許公開実用新案登録の著作権登録の著作権者死後５０年の法律が有っても、今後、３００年後でも、日本の弱者国民が裁判をした場合、不正競争に関わった企業の賠償は、特許年数と実用新案年数と著作権の無制限年数と言う弱者一人一人が、不正競争防止法の介入著作権物盗作賠償金の時効が無い事とは、税金を取る日本国側の税金を取る行為を止められない事実が半永久的に成る。
従って、日本国弱者一人一人を守る為の、知恵と言う著作物の知的所有財産公開事実に対して、著作権者本人と弱者一人一人が話し合って、現在の企業側の特許権及び実用新案登録権及び著作権の取り扱いに対して企業側が、９４％利益取得に成り、特許権及び実用新案登録権及び著作権主張の個人に企業側が支払うパーセンテージは、０,６％が特許権及び実用新案登録権及び著作権主張の個人に支払う日本国と企業側の法律的言い分の為、企業側とは商品の製造販売が出来なかった理由に成る。
従って、（１９）の、電気抵抗ゼロ配線部分の不正競争防止法の介入著作権物盗作説明図の配線の説明で有る。
２０１３年１２月１５日ＰＭ２２時２２分栃木県でペンを置く。
【０１６６】
図７７の参考図７２の（１９）の、電気抵抗ゼロ配線部分の不正競争防止法の介入著作権物盗作説明図の配線の説明に成り、（７）の高出力銅筒管コイル配線部分に成り、銅筒管配線の内部の配線の芯に（２５８）の通常圧電素子磁石体ＡＢの（２５２）マイナス磁極と（２４８）の竹灰入りプラスチック硝子粒子入りチタン酸バリウム内蔵圧電素子磁石体の（２６０）の圧電素子中間陽電子プラス素子体には（２４９）のプラス静電気配線と（２５０）の通常プラス電気配線それぞれが取り付き（２５９）の圧電素子陽電子プラス素子体の陽電子プラス素子体磁気の一番強い部分に（２４７）の軽水素トリチウム電子ガス入りシートプラス磁極が取り付き（２６０）の圧電素子中間陽電子プラス素子体と（２６１）の圧電素子中間陰電子マイナス素子体部分には（２５３）のアルミニウム半絶縁金属シートと（２５４）の圧電素子磁石体シートの（２６２）の圧電素子燃焼防止帯部分に成り、（２４９）のプラス静電気配線と（２５０）の通常プラス電気配線の其々の電気は融合され圧電素子４電子磁気分割装置の異なった形状と異なった二種類の融合電気を使用した（２５１）の電気抵抗無しプラス電気を得る為の装置に成る（１９）の、電気抵抗ゼロ配線部分の不正競争防止法の介入著作権物盗作説明図の配線の説明で有る。
２０１３年１２月１６日ＰＭ２２時０５分栃木県でペンを置くニヤンカンキチ木白子。
【０１６７】
図７８の参考図７３の（１９）の、電気抵抗ゼロ配線部分の不正競争防止法の介入著作権物盗作説明図の配線の説明に成り、医療機関の電波障害を受けて電気抵抗ゼロ配線を使った室内の近距離用のストレートカラー色ライト複数官のカラー色を（２６３）の一つのカラー光連絡官に対して四個の室内電気抵抗ゼロ電気使用光色切り換え高出力モーター言葉連絡装置を備えたカラー光連絡官成り、（２６８）の十字仕切り板によって円柱複数カラーライト複数官によって四カ所のカラー光を切り替え電気電波の連絡の代わりにカラー光の組み合わせによってあ文字〜ん文字までの文字言葉を電気と電波無しで表現出来る医療室内の複数カラー色組み合わせ言葉の連絡装置に成り、部屋の光官の屈折場所では（２６６）のシルバー色反射粒子入りグラスフアイバービニール曲がり装置部分と終点の（２６５）の複数カラー光認識高出力ＣＣＤパネル装置は（２６７）の内側全体部分に対して光反射粒子を、塗った亜鉛アルミニウム絶縁官に成る。
この他、（２６４）の室内呑み自由距離光色切り換え光ストレート連絡配管とした（２６９）のプラス軽量配線と（２７０）のマイナス軽量配線に成る（１９）の電気抵抗ゼロ配線部分の不正競争防止法の介入著作権物盗作説明図の配線の説明で有る。
２０１３年１２月１８日ＰＭ２２時栃木県でペンを置くニャン。
【０１６８】
図７９の参考図７４の（１９）の、電気抵抗ゼロ配線部分の不正競争防止法の介入著作権物盗作説明図の配線の説明に成り、（２８０）の高出力ＭＯＳ型スイッチングと高出力銅筒管配線は、（２７８）の高出力銅筒管プラス配線と（２７９）の高出力銅筒管マイナス配線に対して（２７３）の通常Ｐ型半導体と（２７４）の複数針穴空き軽水素トリチウム電子ガス入りＰ型半導体を交互に貼り合わせた（２７５）の高出力Ｐ型半導体と（２８０）の高出力ＭＯＳ型スイッチングと高出力銅筒管配線に対して（２７６）の通常Ｎ型半導体と（２７７）の複数針穴空き軽水素トリチウム電子ガス入りＮ型半導体を交互に貼り合わせた(２７６)の高出力Ｎ型半導体を組み合わせた（２８０）の高出力ＭＯＳ型スイッチングに（２７８）の高出力銅筒管プラス配線と（２７９）の高出力銅筒管マイナス配線を取り付けた回路スイチッング配線に成る（１９）の電気抵抗ゼロ配線部分の不正競争防止法の介入著作権物盗作説明図の配線の説明で有る。
２０１３年１２月１８日ＰＭ２０時３３分栃木県でペンを置くニャン。
２０１４年１２月１０日ＰＭ２１時１９分栃木県真岡市で未来的農業漁業林業一体型中小工企業体システムを書き終えた為書き始める。
【０１６９】
図８０の参考図７５の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（２８４）の２倍軽水素トリチウム電子ガス入りグラスフアイバービニール竹灰入り配線が中央に入り次に（２８３）のスカンジウム金属が入った（７）の銅コイル配線は、スカンジウム金属もレアーアース系の様で有るが、気化ガス入りの(２８４)の２倍軽水素トリチウム電子ガス入りグラスフアイバービニール竹灰入り配線に電気が先に流れ、（２８４）の２倍軽水素トリチウム電子ガス入りグラスフアイバービニール竹灰入り配線に対しても、必要量の軽水素トリチウム電子ガスを入れた配線を（７）の銅コイル配線に入れた場合、同じ電気スピードの電気抵抗ゼロ配線にしか成らない（１９）の電気抵抗ゼロ配線部分の不正競争防止法の介入著作権物盗作説明図の配線の説明で有る。
【０１７０】
図８１の参考図７６の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（２８６）の４倍窒素軽水素トリチウム電子ガス入り生ゴミ灰内蔵グラスフアイバービニール配線が中央に入り次に（２８５）のバナジウム金属が入った７の銅コイル配線は、バナジウム金属もレアーアース系の様で有るが、気化ガス入りの（２８６）の４倍窒素軽水素トリチウム電子ガス入り生ゴミ灰内蔵グラスフアイバービニール配線に電気が先に流れ、（２８６）の４倍窒素軽水素トリチウム電子ガス入り生ゴミ灰内蔵グラスフアイバービニール配線に対しても、必要量の軽水素トリチウム電子ガスを入れた配線を（７）の銅コイル配線に入れた場合、同じ電気スピードの電気抵抗ゼロ配線にしか成らない（１９）の電気抵抗ゼロ配線部分の不正競争防止法の介入著作権物盗作説明図の配線の説明で有る。
【０１７１】
図８２の参考図７７の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（２８８）の高純度軽水素トリチウム電子ガス入りシリコン粒子内蔵窒素入りシリコンビニール雑草灰入り配線が中央に入り次に（２８７）のルビジウム金属が入った７の銅コイル配線は、ルビジウム金属もレアーアース系の様で有るが、気化ガス入りの（２８８）の高純度軽水素トリチウム電子ガス入りシリコン粒子内蔵窒素入りシリコンビニール雑草灰入り配線に電気が先に流れ、（２８８）の高純度軽水素トリチウム電子ガス入りシリコン粒子内蔵窒素入りシリコンビニール雑草灰入り配線に対しても、必要量の軽水素トリチウム電子ガスを入れた配線を（７）の銅コイル配線に入れた場合、同じ電気スピードの電気抵抗ゼロ配線にしか成らない（１９）の電気抵抗ゼロ配線部分の不正競争防止法の介入著作権物盗作説明図の配線の説明で有る。
【０１７２】
図８３の参考図７８の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（２９１）の軽水素トリチウム電子ガス入りシリコン粒子入りグラスフアイバービニール軽水素入り竹灰内蔵シート及び窒素ガス入りシリコン粒子入りグラスフアイバービニール軽水素入り竹灰内蔵交互ロールシート配線が中央に入り次に（２９０）のストロンチウム金属が入った（７）の銅コイル配線は、ストロンチウム金属もレアーアース系の様で有るが、気化ガス入りの(２９１)の軽水素トリチウム電子ガス入りシリコン粒子入りグラスフアイバービニール軽水素入り竹灰内蔵シート及び窒素ガス入りシリコン粒子入りグラスフアイバービニール軽水素入り竹灰内蔵交互ロールシート配線に電気が先に流れ、(２９１)の軽水素トリチウム電子ガス入りシリコン粒子入りグラスフアイバービニール軽水素入り竹灰内蔵シート及び窒素ガス入りシリコン粒子入りグラスフアイバービニール軽水素入り竹灰内蔵交互ロールシート配線に対しても、必要量の軽水素トリチウム電子ガスを入れた配線を（７）の銅コイル配線に入れた場合は同じ電気スピードの電気抵抗ゼロ配線にしか成らない（１９）の電気抵抗ゼロ配線部分の不正競争防止法の介入著作権物盗作説明図の配線の説明で有る。
【０１７３】
図８４の参考図７９の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（２９３）の軽水素アルゴン窒素混合ガス入りプラスチックビニール竹灰入り粒子入りグラスフアイバービニール竹灰入り配線が中央に入り次に（２９２）のイットリウム金属が入った（７）の銅コイル配線は、イットリウム金属もレアーアース系の様で有るが、気化ガス入りの（２９３）の軽水素アルゴン窒素混合ガス入りプラスチックビニール竹灰入り粒子入りグラスフアイバービニール竹灰入り配線に電気が先に流れ、（２９３）の軽水素アルゴン窒素混合ガス入りプラスチックビニール竹灰入り粒子入りグラスフアイバービニール竹灰入り配線に対しても、必要量の軽水素トリチウム電子ガスを入れた配線を（７）の銅コイル配線に入れた場合、同じ電気スピードの電気抵抗ゼロ配線にしか成らない（１９）の電気抵抗ゼロ配線部分の不正競争防止法の介入著作権物盗作説明図の配線の説明で有る。
【０１７４】
図８５の参考図８０の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（２９５）の軽水素トリチウム電子ガス入りシリコン粒子及び窒素ガス入りシリコン粒子及びアルゴンガス入りシリコン混合粒子内蔵グラスフアイバービニール竹灰入り配線が中央に入り次に（２９４）のジルコニウム→遷移金属が入った７の銅コイル配線は、ジルコニウム金属もレアーアース系の様で有るが、気化ガス入りの（２９５）の軽水素トリチウム電子ガス入りシリコン粒子及び窒素ガス入りシリコン粒子及びアルゴンガス入りシリコン混合粒子内蔵グラスフアイバービニール竹灰入り配線に電気が先に流れ、（２９５）の軽水素トリチウム電子ガス入りシリコン粒子及び窒素ガス入りシリコン粒子及びアルゴンガス入りシリコン混合粒子内蔵グラスフアイバービニール竹灰入り配線に対しても、必要量の軽水素トリチウム電子ガスを入れた配線を（７）の銅コイル配線に入れた場合、同じ電気スピードの電気抵抗ゼロ配線にしか成らない（１９）の電気抵抗ゼロ配線部分の不正競争防止法の介入著作権物盗作説明図の配線の説明で有る。
【０１７５】
図８６の参考図８１の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（２９７）の軽水素トリチウム電子ガス入りシリコンビニール竹灰粒子及びネオンガス入りシリコンビニール竹灰混合粒子内蔵グラスフアイバービニール竹灰入り配線が中央に入り次に（２９６）のニオブ金属→アルカリ土類金属→遷移金属が入った（７）の銅コイル配線は、ニオブ金属もレアーアース系の様で有るが、気化ガス入りの（２９７）の軽水素トリチウム電子ガス入りシリコンビニール竹灰粒子及びネオンガス入りシリコンビニール竹灰混合粒子内蔵グラスフアイバービニール竹灰入り配線に電気が先に流れ、（２９７）の軽水素トリチウム電子ガス入りシリコンビニール竹灰粒子及びネオンガス入りシリコンビニール竹灰混合粒子内蔵グラスフアイバービニール竹灰入り配線に対しても、必要量の軽水素トリチウム電子ガスを入れた配線を（７）の銅コイル配線に入れた場合、同じ電気スピードの電気抵抗ゼロ配線にしか成らない（１９）の電気抵抗ゼロ配線部分の不正競争防止法の介入著作権物盗作説明図の配線の説明で有る。
２０１４年１２月１０日ＰＭ２２時２２分栃木県真岡市中西建設でペンを置くニャン。
２０１４年１２月１１日ＡＭ９時７分栃木県真岡市で書き始める。
【０１７６】
図８７の参考図８２の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（２９９）の軽水素トリチウム電子ガス入りグラスフアイバーエボナイトビニール竹灰粒子内蔵窒素ガス入りシリコンビニール竹灰入り混合粒子内蔵グラスフアイバービニール竹灰入り配線が中央に入り次に（２９８）のモリブデン金属→アルカリ土類金属→遷移金属が入った（７）の銅コイル配線は、モリブデン金属もレアーアース系の様で有るが気化ガス入りの（２９９）の軽水素トリチウム電子ガス入りグラスフアイバーエボナイトビニール竹灰粒子内蔵窒素ガス入りシリコンビニール竹灰入り混合粒子内蔵グラスフアイバービニール竹灰入り配線に電気が先に流れ、（２９９）の軽水素トリチウム電子ガス入りグラスフアイバーエボナイトビニール竹灰粒子内蔵窒素ガス入りシリコンビニール竹灰入り混合粒子内蔵グラスフアイバービニール竹灰入り配線に対しても、必要量の軽水素トリチウム電子ガスを配線に入れた（７）の銅コイル配線に対して、同じ電気スピードの電気抵抗ゼロ配線にしか成らない(１９)の電気抵抗ゼロ配線部分の不正競争防止法の介入著作権物盗作説明図の配線の説明で有る。
【０１７７】
図８８の参考図８３の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は銅筒管コイル配線の中央部に位置する電気配線に対して、（３０１）の軽水素トリチウム電子窒素混合ガス入りグラスフアイバービニール竹灰入り粒子内蔵窒素ガス入りビニール粒子入りグラスフアイバービニール竹灰入り配線が中央に入り次に（３００）のテクネチウム→アルカリ土類金属→遷移金属が入った７の銅コイル配線は、テクネチウム金属もレアーアース系の様で有るが、気化ガス入りの（３０１）の軽水素トリチウム電子窒素混合ガス入りグラスフアイバービニール竹灰入り粒子内蔵窒素ガス入りビニール粒子入りグラスフアイバービニール竹灰入り配線に電気が先に流れ、（３０１）の軽水素トリチウム電子窒素混合ガス入りグラスフアイバービニール竹灰入り粒子内蔵窒素ガス入りビニール粒子入りグラスフアイバービニール竹灰入り配線に対しても、必要量の軽水素トリチウム電子ガスを石油系配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１７８】
図８９の参考図８４の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は銅筒管コイル配線の中央部に位置する電気配線に対して（３０３）の軽水素トリチウム電子窒素混合ガス入りグラスフアイバービニール粒子入り稲藁灰入り粒子内蔵窒素ガス入りビニール粒子入りグラスフアイバービニール灰入り配線が中央に入り次に（３０２）のルテニウム金属→アルカリ金属→遷移金属が入った（７）の銅コイル配線は、ルテニウム金属もレアーアース系の様で有るが、気化ガス入りの（３０３）の軽水素トリチウム電子窒素混合ガス入りグラスフアイバービニール粒子入り稲藁灰入り粒子内蔵窒素ガス入りビニール粒子入りグラスフアイバービニール灰入り配線に電気が先に流れ、（３０３）の軽水素トリチウム電子窒素混合ガス入りグラスフアイバービニール粒子入り稲藁灰入り粒子内蔵窒素ガス入りビニール粒子入りグラスフアイバービニール灰入り配線に対しても、必要量の軽水素トリチウム電子ガスを石油系配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１７９】
図９０の参考図８５の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３０５）のアルゴン水素混合ガス入りグラスフアイバービニール麦藁灰入り粒子内蔵窒素ガス入りビニール粒子入りグラスフアイバービニール麦藁灰入り配線が中央に入り次に（３０４）のロジウム金属→遷移金属が入った（７）の銅コイル配線は、ロジウム金属もレアーアース系の様で有るが、気化ガス入りの（３０５）のアルゴン水素混合ガス入りグラスフアイバービニール麦藁灰入り粒子内蔵窒素ガス入りビニール粒子入りグラスフアイバービニール麦藁灰入り配線に電気が先に流れ、（３０５）のアルゴン水素混合ガス入りグラスフアイバービニール麦藁灰入り粒子内蔵窒素ガス入りビニール粒子入りグラスフアイバービニール麦藁灰入り配線に対しても、必要量の軽水素トリチウム電子ガスを石油系配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１８０】
図９１の参考図８６の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３０７）のネオン水素混合ガス入りグラスフアイバービニール向日葵茎灰入り粒子内蔵窒素ガス入りビニール粒子入りグラスフアイバービニール向日葵茎灰入り配線が中央に入り次に（３０６）のパラジウム金属→アルカリ金属→遷移金属が入った７の銅コイル配線は、ロジウム金属もレアーアース系の様で有るが気化ガス入りの（３０７）のネオン水素混合ガス入りグラスフアイバービニール向日葵茎灰入り粒子内蔵窒素ガス入りビニール粒子入りグラスフアイバービニール向日葵茎灰入り配線に電気が先に流れ、（３０７）のネオン水素混合ガス入りグラスフアイバービニール向日葵茎灰入り粒子内蔵窒素ガス入りビニール粒子入りグラスフアイバービニール向日葵茎灰入り配線に対しても、必要量の軽水素トリチウム電子ガスを石油系配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１８１】
図９２の参考図８７の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３０９）のネオンアルゴン窒素混合ガス入りグラスフアイバービニール雑草灰入り粒子内蔵アルゴンガス入りグラスフアイバービニール雑草灰入り配線が中央に入り次に（３０８）の銀鉛合金金属が入った７の銅コイル配線の三重配線に対して、（３０９）のネオンアルゴン窒素混合ガス入りグラスフアイバービニール雑草灰入り粒子内蔵アルゴンガス入りグラスフアイバービニール雑草灰入り配線に電気が先に流れ、（３０９）のネオンアルゴン窒素混合ガス入りグラスフアイバービニール雑草灰入り粒子内蔵アルゴンガス入りグラスフアイバービニール雑草灰入り配線に対しても、必要量の軽水素トリチウム電子ガスを石油系配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１８２】
図９３の参考図８８の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３１１）の水素アルゴン窒素混合ガス入りグラスフアイバービニールレントコーン茎灰入り粒子内蔵グラスフアイバービニールレントコーン茎灰入り配線が中央に入り次に（３１０）のハフニウム金属→アルカリ土類金属→遷移金属が入った（７）の銅コイル配線は、ハフニウム金属もレアーアース系の様で有るが、気化ガス入りの（３１１）の水素アルゴン窒素混合ガス入りグラスフアイバービニールレントコーン茎灰入り粒子内蔵グラスフアイバービニールレントコーン茎灰入り配線に電気が先に流れ、（３１１）の水素アルゴン窒素混合ガス入りグラスフアイバービニールレントコーン茎灰入り粒子内蔵グラスフアイバービニールレントコーン茎灰入り配線に対しても、必要量の軽水素トリチウム電子ガスを石油系配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１８３】
図９４の参考図８９の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３１３）の水素ネオン窒素混合ガス入りグラスフアイバービニール牧草灰入り粒子内蔵グラスフアイバービニール牧草灰入り配線が中央に入り次に（３１２）のタンタル金属→遷移金属が入った（７）の銅コイル配線は、タルタン金属もレアーアース系の様で有るが、気化ガス入りの（３１３）の水素ネオン窒素混合ガス入りグラスフアイバービニール牧草灰入り粒子内蔵グラスフアイバービニール牧草灰入り配線に電気が先に流れ、（３１３）の水素ネオン窒素混合ガス入りグラスフアイバービニール牧草灰入り粒子内蔵グラスフアイバービニール牧草灰入り配線に対しても、必要量の軽水素トリチウム電子ガスを石油系配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１８４】
図９５の参考図９０の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は銅筒管コイル配線の中央部に位置する電気配線に対して、（３１５）のクリプトン水素窒素混合ガス入りグラスフアイバービニール菜種茎灰入り粒子内蔵グラスフアイバービニール菜種茎灰入り配線が中央に入り次に（３１４）のタングステン金属→希少金属が入った（７）の銅コイル配線は、タングテン金属はレアーアース系と異なる様で有るが、気化ガス入りの（３１５）のクリプトン水素窒素混合ガス入りグラスフアイバービニール菜種茎灰入り粒子内蔵グラスフアイバービニール菜種茎灰入り配線に電気が先に流れ、（３１５）のクリプトン水素窒素混合ガス入りグラスフアイバービニール菜種茎灰入り粒子内蔵グラスフアイバービニール菜種茎灰入り配線に対しても、必要量の軽水素トリチウム電子ガス等の気化ガスを石油系配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１８５】
図９６の参考図９１の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３１７）のクリプトンアルゴン窒素混合ガス入りグラスフアイバービニール朝鮮菊茎灰入り粒子内蔵グラスファイバービニール朝鮮菊茎灰入り配線が中央に入り次に（３１６）のレニウム金属→遷移金属が入った（７）の銅コイル配線は、レニウム金属もレアーアース系の様で有るが、気化ガス入りの（３１７）のクリプトンアルゴン窒素混合ガス入りグラスフアイバービニール朝鮮菊茎灰入り粒子内蔵グラスファイバービニール朝鮮菊茎灰入り配線に電気が先に流れ、（３１７）のクリプトンアルゴン窒素混合ガス入りグラスフアイバービニール朝鮮菊茎灰入り粒子内蔵グラスファイバービニール朝鮮菊茎灰入り配線に対しても、必要量の軽水素トリチウム電子ガス等の気化ガスを石油系配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１８６】
図９７の参考図９２の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３１９）のクリプトンネオン窒素混合ガス入りグラスフアイバービニール牧草灰入り粒子内蔵グラスフアイバービニール牧草灰入り配線が中央に入り次に（３１８）のオスミウム金属→アルカリ土類金属→遷移金属が入った(７)の銅コイル配線はレニウム金属も完全なレアーアース系の様で有るが、気化ガス入りの（３１９）のクリプトンネオン窒素混合ガス入りグラスフアイバービニール牧草灰入り粒子内蔵グラスフアイバービニール牧草灰入り配線に電気が先に流れ、（３１９）のクリプトンネオン窒素混合ガス入りグラスフアイバービニール牧草灰入り粒子内蔵グラスフアイバービニール牧草灰入り配線に対しても、必要量の軽水素トリチウム電子ガス等の気化ガスを石油系配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１８７】
図９８の参考図９３の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３２１）のクリプトン臭素水素窒素混合ガス入りグラスフアイバービニール向日葵茎灰入り粒子内蔵グラスフアイバービニール向日葵灰入り配線が中央に入り次に（３２０）のイリジウム金属→アルカリ土類金属→遷移金属が入った（７）の銅コイル配線はレニウム金属も完全なレアーアース系の様で有るが、気化ガス入りの（３２１）のクリプトン臭素水素窒素混合ガス入りグラスフアイバービニール向日葵茎灰入り粒子内蔵グラスフアイバービニール向日葵灰入り配線に電気が先に流れ、（３２１）のクリプトン臭素水素窒素混合ガス入りグラスフアイバービニール向日葵茎灰入り粒子内蔵グラスフアイバービニール向日葵灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１８８】
図９９の参考図９４の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３２３）のキセノン水素窒素混合ガス入りグラスフアイバービニール竹灰入り粒子内蔵グラスフアイバービニール竹灰入り配線が中央に入り次に(３２２)の白金金属→遷移金属→白金族金属が入った（７）の銅コイル配線は、白金金属はレアーアース系と異なる様で有るが、気化ガス入りの(３２３)のキセノン水素窒素混合ガス入りグラスフアイバービニール竹灰入り粒子内蔵グラスフアイバービニール竹灰入り配線に電気が先に流れ、（３２３）のキセノン水素窒素混合ガス入りグラスフアイバービニール竹灰入り粒子内蔵グラスフアイバービニール竹灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない(１９)の電気抵抗ゼロ配線部分の不正競争防止法の介入著作権物盗作説明図の配線の説明で有る。
【０１８９】
図１００の参考図９５の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３２５）のキセノンアルゴン窒素混合ガス入りグラスフアイバービニール雑草灰入り粒子内蔵グラスフアイバービニール雑草灰入り配線が中央に入り次に（３２４）のタリウム金属→アルカリ土類金属→希少金属が入った（７）の銅コイル配線は、タリウム金属はレアーアース系と異なる様で有るが、気化ガス入りの（３２５）のキセノンアルゴン窒素混合ガス入りグラスフアイバービニール雑草灰入り粒子内蔵グラスフアイバービニール雑草灰入り配線に電気が先に流れ、（３２５）のキセノンアルゴン窒素混合ガス入りグラスフアイバービニール雑草灰入り粒子内蔵グラスフアイバービニール雑草灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１９０】
図１０１の参考図９６の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３２７）のキセノンネオン窒素混合ガス入りグラスフアイバービニール木材灰入り粒子内蔵グラスフアイバービニール木材灰入り配線が中央に入り次に(３２６)のルビジウム金属→アルカリ金属が入った（７）の銅コイル配線は、ルビジウム金属はレアーアース系と異なる様で有るが、気化ガス入りの（３２７）のキセノンネオン窒素混合ガス入りグラスフアイバービニール木材灰入り粒子内蔵グラスフアイバービニール木材灰入り配線に電気が先に流れ、（３２７）のキセノンネオン窒素混合ガス入りグラスフアイバービニール木材灰入り粒子内蔵グラスフアイバービニール木材灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１９１】
図１０２の参考図９７の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３２９）のキセノンクリプトンアルゴン窒素混合ガス入りグラスフアイバービニール稲藁茎灰入り粒子内蔵グラスフアイバービニール稲藁茎灰入り配線が中央に入り次に（３２８）のストロンチウム→アルカリ土類金属が入った７の銅コイル配線は、ルビジウム金属はレアーアース系と異なる様で有るが、気化ガス入りの（３２９）のキセノンクリプトンアルゴン窒素混合ガス入りグラスフアイバービニール稲藁茎灰入り粒子内蔵グラスフアイバービニール稲藁茎灰入り配線に電気が先に流れ、（３２９）のキセノンクリプトンアルゴン窒素混合ガス入りグラスフアイバービニール稲藁茎灰入り粒子内蔵グラスフアイバービニール稲藁茎灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１９２】
図１０３の参考図９８の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３３１）のキセノンクリプトンネオン窒素混合ガス入りグラスフアイバービニール麦藁灰入り粒子内蔵グラスフアイバービニール麦藁灰入り配線が中央に入り次に（３３０）のラザホージウム金属→アルカリ土類金属→遷移金属→半金属→非金属→希ガス→人工元素が入った（７）の銅コイル配線は、ルビジウム金属はレアーアース系と異なる様で有るが、気化ガス入りの（３３１）のキセノンクリプトンネオン窒素混合ガス入りグラスフアイバービニール麦藁灰入り粒子内蔵グラスフアイバービニール麦藁灰入り配線に電気が先に流れ、（３３１）のキセノンクリプトンネオン窒素混合ガス入りグラスフアイバービニール麦藁灰入り粒子内蔵グラスフアイバービニール麦藁灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１９３】
図１０４の参考図９９の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３３３）のキセノンクリプトン臭素窒素混合ガス入りグラスフアイバービニール亜麻茎灰いり配線が中央に入り次に（３３２）のドブニウム→アルカリ土類金属→遷移金属→超アクチノイド元素の一つ→人工元素が入った（７）の銅コイル配線は、アクチノイド金属はレアーアース系と異なる様で有るが、気化ガス入りの（３３３）のキセノンクリプトン臭素窒素混合ガス入りグラスフアイバービニール亜麻茎灰いり配線に電気が先に流れ、（３３３）のキセノンクリプトン臭素窒素混合ガス入りグラスフアイバービニール亜麻茎灰いり配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１９４】
図１０５の参考図１００の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３３５）のキセノンクリプトンアルゴンネオン窒素混合ガス入りグラスフアイバービニール向日葵茎灰入り配線が中央に入り次に（３３４）のシーポーギウム金属→アルカリ土類金属→遷移金属→人工元素の一つ→人工元素が入った７の銅コイル配線は、アクチノイド金属はレアーアース系と異なる様で有るが、気化ガス入りの（３３５）のキセノンクリプトンアルゴンネオン窒素混合ガス入りグラスフアイバービニール向日葵茎灰入り配線に電気が先に流れ、（３３５）のキセノンクリプトンアルゴンネオン窒素混合ガス入りグラスフアイバービニール向日葵茎灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１９５】
図１０６の参考図１０１の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３３７）のラドン水素窒素混合ガス入りグラスフアイバービニール竹灰入り配線が中央に入り次に（３３６）のポーリウム→人工元素が入った（７）の銅コイル配線は、ポーリウム金属はレアーアース系と異なる様で有るが、気化ガス入りの（３３７）のラドン水素窒素混合ガス入りグラスフアイバービニール竹灰入り配線に電気が先に流れ、（３３７）のラドン水素窒素混合ガス入りグラスフアイバービニール竹灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１９６】
図１０７の参考図１０２の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３３９）のラドン水素アルゴン窒素混合ガス入りグラスフアイバービニール生ゴミ灰入り配線が中央に入り次に（３３８）のハッシウム金属→アルカリ土類金属→遷移金属→人工元素→発見者ドイツ国人工元素が入った（７）の銅コイル配線は、ハッシウム金属はレアーアース系と異なる様で有るが、気化ガス入りの（３３９）のラドン水素アルゴン窒素混合ガス入りグラスフアイバービニール生ゴミ灰入り配線に電気が先に流れ、（３３９）のラドン水素アルゴン窒素混合ガス入りグラスフアイバービニール生ゴミ灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１９７】
図１０８の参考図１０３の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３４１）のラドン水素ネオン窒素混合ガス入りグラスフアイバービニール麦藁灰入り配線が中央に入り次に（３４０）のマイトネリウム金属→アルカリ土類金属→遷移金属→人工元素→超アクチノイド元素の一つ人工元素が入った（７）の銅コイル配線は、ハッシウム金属はレアーアース系と異なる様で有るが、気化ガス入りの（３４１）のラドン水素ネオン窒素混合ガス入りグラスフアイバービニール麦藁灰入り配線に電気が先に流れ、（３４１）のラドン水素ネオン窒素混合ガス入りグラスフアイバービニール麦藁灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１９８】
図１０９の参考図１０４の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３４３）のラドンキセノンアルゴン窒素混合ガス入りグラスフアイバービニール麦藁灰入り配線が中央に入り次に（３４２）のダルムシュタッチウム金属→アルカリ土類金属→遷移金属→人工元素→重イオン化学研究所発見の人工元素が入った７の銅コイル配線は、ハッシウム金属はレアーアース系と異なる様で有るが、気化ガス入りの（３４３）のラドンキセノンアルゴン窒素混合ガス入りグラスフアイバービニール麦藁灰入り配線に電気が先に流れ、（３４３）のラドンキセノンアルゴン窒素混合ガス入りグラスフアイバービニール麦藁灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０１９９】
図１１０の参考図１０５の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３４５）のラドンキセノンネオン窒素混合ガス入りグラスフアイバービニール稲藁灰入り配線が中央に入り次に（３４４）のレントゲニウム金属元素が入った（７）の銅コイル配線は、ハッシウム金属はレアーアース系と異なる様で有るが、気化ガス入りの（３４５）のラドンキセノンネオン窒素混合ガス入りグラスフアイバービニール稲藁灰入り配線に電気が先に流れ、（３４５）のラドンキセノンネオン窒素混合ガス入りグラスフアイバービニール稲藁灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２００】
図１１１の参考図１０６の(１９)の、電気抵抗ゼロ配線部分の不正競争防止法の介入著作権物盗作説明図の配線の説明に成り、(２８９)の電気抵抗ゼロ配線の銅筒管コイル配線の構造違い配線は、銅筒管コイル配線の中央部に位置する電気配線に対して、（３４７）のラドンキセノン水素窒素混合ガス入りグラスフアイバービニール向日葵茎灰入り配線が中央に入り次に（３４６）のフランシウム金属→アルカリ金属→放射性元素→フランシウムのｆｒの６金属元素が入った（７）の銅コイル配線は、フランシウム金属はレアーアース系と異なる様で有るが、気化ガス入りの（３４７）のラドンキセノン水素窒素混合ガス入りグラスフアイバービニール向日葵茎灰入り配線に電気が先に流れ、（３４７）のラドンキセノン水素窒素混合ガス入りグラスフアイバービニール向日葵茎灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２０１】
図１１２の参考図１０７の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３４９）のラドンキセノン水素アルゴン窒素混合ガス入りグラスフアイバービニールレントコーン茎葉灰入り配線が中央に入り次に（３４８）のベリリウム金属→毒性→発火性有り金属元素が入った（７）の銅コイル配線は、ベリリウム金属はレアーアース系と異なる様で有るが、気化ガス入りの（３４９）のラドンキセノン水素アルゴン窒素混合ガス入りグラスフアイバービニールレントコーン茎葉灰入り配線に電気が先に流れ、（３４９）のラドンキセノン水素アルゴン窒素混合ガス入りグラスフアイバービニールレントコーン茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２０２】
図１１３の参考図１０８の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３５１）のラドンキセノン水素ネオン窒素混合ガス入りグラスフアイバービニール雑草灰入り配線が中央に入り次に（３５０）のガリウム→土類金属→ホウ素族元素→水銀の代替え金属→融点約３０度の金属元素が入った（７）の銅コイル配線に対してガリウム金属はレアーアース系と異なる様で有るが、気化ガス入りの（３５１）のラドンキセノン水素ネオン窒素混合ガス入りグラスフアイバービニール雑草灰入り配線に電気が先に流れ、（３５１）のラドンキセノン水素ネオン窒素混合ガス入りグラスフアイバービニール雑草灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２０３】
図１１４の参考図１０９の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する田混合ガス入りグラスフアイバービニール牧草灰入り配線が中央に入り次に(３５２)のインジウム金属→アルカリ土類金属→遷移金属→貴金属元素が入った（７）の銅コイル配線に対してインジウム金属はレアーアース系と異なる様で有るが、気化ガス入りの（３５３）のラドンキセノンクリプトン水素窒素混合ガス入りグラスフアイバービニール牧草灰入り配線に電気が先に流れ、（３５３）のラドンキセノンクリプトン水素窒素混合ガス入りグラスフアイバービニール牧草灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２０４】
図１１５の参考図１１０の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３５５）のラドンキセノンクリプトンアルゴン窒素混合ガス入りグラスフアイバービニールオレンジ皮灰入り配線が中央に入り次に（３５４）のタリウム金属→アルカリ土類金属→希少金属→毒性金属元素が入った（７）の銅コイル配線に対してタリウム金属はレアーアース系と異なる様で有るが気化ガス入りの（３５５）のラドンキセノンクリプトンアルゴン窒素混合ガス入りグラスフアイバービニールオレンジ皮灰入り配線に電気が先に流れ、（３５５）のラドンキセノンクリプトンアルゴン窒素混合ガス入りグラスフアイバービニールオレンジ皮灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない(１９)の電気抵抗ゼロ配線部分の不正競争防止法の介入著作権物盗作説明図の配線の説明で有る。
【０２０５】
図１１６の参考図１１１の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３５７）のラドンキセノンクリプトンネオン窒素混合ガス入りグラスフアイバービニール生ゴミ灰入り配線が中央に入り次に（３５６）のビスマス金属元素が入った（７）の銅コイル配線に対してビスマス金属はレアーアース系と異なる様で有るが、気化ガス入りの（３５７）のラドンキセノンクリプトンネオン窒素混合ガス入りグラスフアイバービニール生ゴミ灰入り配線に電気が先に流れ、（３５７）のラドンキセノンクリプトンネオン窒素混合ガス入りグラスフアイバービニール生ゴミ灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２０６】
図１１７の参考図１１２の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３５９）のラドンキセノンクリプトン臭素窒素混合ガス入りグラスフアイバービニールイモ蔓灰入り配線が中央に入り次に（３５８）のアンチモン→銀白色金属元素が入った（７）の銅コイル配線に対してアンチモン金属はレアーアース系と異なる様で有るが、気化ガス入りの（３５９）のラドンキセノンクリプトン臭素窒素混合ガス入りグラスフアイバービニールイモ蔓灰入り配線に電気が先に流れ、（３５９）のラドンキセノンクリプトン臭素窒素混合ガス入りグラスフアイバービニールイモ蔓灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２０７】
図１１８の参考図１１３の(１９)の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３６１）の窒素アルゴン混合ガス入りグラスフアイバービニール茄子茎灰入り配線が中央に入り次に（３６０）のゲルマニウム金属→アルカリ土類金属元素が入った（７）の銅コイル配線に対してゲルマニウム金属はレアーアース系と異なる様で有るが、気化ガス入りの（３６１）の窒素アルゴン混合ガス入りグラスフアイバービニール茄子茎灰入り配線に電気が先に流れ、（３６１）の窒素アルゴン混合ガス入りグラスフアイバービニール茄子茎灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２０８】
図１１９の参考図１１４の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３６３）の窒素アルゴン混合ガス入りグラスフアイバービニール胡瓜茎葉灰入り配線が中央に入り次に（３６２）のポロニウム→アルカリ土類金属→放射性金属はレアーアース系と異なる様で有るが、気化ガス入りの（３６３）の窒素アルゴン混合ガス入りグラスフアイバービニール胡瓜茎葉灰入り配線に電気が先に流れ、（３６３）の窒素アルゴン混合ガス入りグラスフアイバービニール胡瓜茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２０９】
図１２０の参考図１１５の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３６５）の窒素アルゴン混合ガス入りグラスフアイバービニール南瓜茎葉灰入り配線が中央に入り次に（３６４）のテルル金属→アルカリ土類金属→半金属→銀白色の金属テルル→カルコゲン分類金属元素が入った（７）の銅コイル配線に対してビスマス金属はレアーアース系と異なる様で有るが、気化ガス入りの（３６５）の窒素アルゴン混合ガス入りグラスフアイバービニール南瓜茎葉灰入り配線に電気が先に流れ、（３６５）の窒素アルゴン混合ガス入りグラスフアイバービニール南瓜茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２１０】
図１２１の参考図１１６の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３６７）の窒素アルゴン混合ガス入りグラスフアイバービニール瓜茎葉灰入り配線が中央に入り次に（３６６）のランタノイド金属→アルカリ土類金属→遷移金属→希少金属元素が入った（７）の銅コイル配線に対してビスマス金属はレアーアース系と異なる様で有るが、気化ガス入りの（３６７）の窒素アルゴン混合ガス入りグラスフアイバービニール瓜茎葉灰入り配線に電気が先に流れ、（３６７）の窒素アルゴン混合ガス入りグラスフアイバービニール瓜茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２１１】
図１２２の参考図１１７の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３６９）の窒素アルゴン混合ガス入りグラスフアイバービニール西瓜茎葉灰入り配線が中央に入り次に（３６８）のランタン金属元素が入った７の銅コイル配線に対してランタン金属はレアーアース系と異なる様で有るが、気化ガス入りの(３６９)の窒素アルゴン混合ガス入りグラスフアイバービニール西瓜茎葉灰入り配線に電気が先に流れ、（３６９）の窒素アルゴン混合ガス入りグラスフアイバービニール西瓜茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２１２】
図１２３の参考図１１８の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３７１）の窒素アルゴン混合ガス入りグラスフアイバービニール菜種茎葉灰入り配線が中央に入り次に（３７０）のセリウム金属→希土類金属→希少金属→自然発火性金属元素が入った（７）の銅コイル配線に対してビスマス金属はレアーアース系と異なる様で有るが、気化ガス入りの（３７１）の窒素アルゴン混合ガス入りグラスフアイバービニール菜種茎葉灰入り配線に電気が先に流れ、（３７１）の窒素アルゴン混合ガス入りグラスフアイバービニール菜種茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２１３】
図１２４の参考図１１９の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３７３）の窒素アルゴン混合ガス入りグラスフアイバービニール大豆茎葉灰入り配線が中央に入り次に（３７２）のプラセオジム金属→アルカリ土類金属→遷移金属元素が入った（７）の銅コイル配線に対してプラセオジム金属はレアーアース系と異なる様で有るが、気化ガス入りの（３７３）の窒素アルゴン混合ガス入りグラスフアイバービニール大豆茎葉灰入り配線に電気が先に流れ、（３７３）の窒素アルゴン混合ガス入りグラスフアイバービニール大豆茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２１４】
図１２５の参考図１２０の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３７５）の窒素アルゴン混合ガス入りグラスフアイバービニール小豆茎葉灰入り配線が中央に入り次に（３７４）のネオジム金属→希土類金属→ネオジム磁石公知公開技術金属元素が入った(７)の銅コイル配線に対してネオジム金属はレアーアース系と異なる様で有るが、気化ガス入りの（３７５）の窒素アルゴン混合ガス入りグラスフアイバービニール小豆茎葉灰入り配線に電気が先に流れ、（３７５）の窒素アルゴン混合ガス入りグラスフアイバービニール小豆茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２１５】
図１２６の参考図１２１の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３７７）の窒素アルゴン混合ガス入りグラスフアイバービニール空豆茎葉灰入り配線が中央に入り次に（３７６）のプロメチウム金属→アルカリ土類金属→銀色金属→放射線放出金属元素が入った７の銅コイル配線に対してネオジム金属はレアーアース系と異なる様で有るが、気化ガス入りの（３７７）の窒素アルゴン混合ガス入りグラスフアイバービニール空豆茎葉灰入り配線に電気が先に流れ、（３７７）の窒素アルゴン混合ガス入りグラスフアイバービニール空豆茎葉灰入り配線に対しても、必要量の軽水素トリチウム電子ガス等の気化ガス類を石油系物質配線に入れた７の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２１６】
図１２７の参考図１２２の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３７９）の窒素アルゴン混合ガス入りグラスフアイバービニール長芋蔓葉灰入り配線が中央に入り次に（３７８）のサマリウム金属→希土類金属→典型元素有機金属化合物→単体は灰白色の固くてもろい金属元素が入った７の銅コイル配線に対してサマリウム金属はレアーアース系と異なる様で有るが、気化ガス入りの（３７９）の窒素アルゴン混合ガス入りグラスフアイバービニール長芋蔓葉灰入り配線に電気が先に流れ、（３７９）の窒素アルゴン混合ガス入りグラスフアイバービニール長芋蔓葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２１７】
図１２８の参考図１２３の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３８１）の窒素アルゴン混合ガス入りグラスフアイバービニールじゃが芋茎葉灰入り配線が中央に入り次に（３８０）のユウロビウム金属→アルカリ土類金属→遷移金属→複合材料元素が入った（７）の銅コイル配線に対してサマリウム金属はレアーアース系と異なる様で有るが、気化ガス入りの（３８１）の窒素アルゴン混合ガス入りグラスフアイバービニールじゃが芋茎葉灰入り配線に電気が先に流れ、（３８１）の窒素アルゴン混合ガス入りグラスフアイバービニールじゃが芋茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２１８】
図１２９の参考図１２４の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３８３）の窒素アルゴン混合ガス入りグラスフアイバービニールトマト茎葉灰入り配線が中央に入り次に(３８２)のガドリニウム金属→アルカリ土類金属→遷移金属→銀白色の柔らかい金属→希土類金属→医療製剤金属元素が入った（７）の銅コイル配線に対してサマリウム金属はレアーアース系と異なる様で有るが、気化ガス入りの（３８３）の窒素アルゴン混合ガス入りグラスフアイバービニールトマト茎葉灰入り配線に電気が先に流れ、（３８３）の窒素アルゴン混合ガス入りグラスフアイバービニールトマト茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２１９】
図１３０の参考図１２５の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３８５）の窒素アルゴン混合ガス入りグラスフアイバービニールシシトウ茎葉灰入り配線が中央に入り次に(３８４)のテルビウム金属→アルカリ土類金属→希土類金属→希土類磁石利用金属→中国南部生産金属元素が入った(７)の銅コイル配線に対してテルビウム金属はレアーアース系と異なる様で有るが、気化ガス入りの（３８５）の窒素アルゴン混合ガス入りグラスフアイバービニールシシトウ茎葉灰入り配線に電気が先に流れ、（３８５）の窒素アルゴン混合ガス入りグラスフアイバービニールシシトウ茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２２０】
図１３１の参考図１２６の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３８７）の窒素アルゴン混合ガス入りグラスフアイバービニールｐｉｍｉｅｎｔｏピーマン茎葉灰入り配線が中央に入り次に（３８６）のジスフブロシウム金属→アルカリ土類金属→遷移金属→希少金属元素が入った７の銅コイル配線に対してジスフブロシウム金属はレアーアース系と異なる様で有るが、気化ガス入りの（３８７）の窒素アルゴン混合ガス入りグラスフアイバービニールｐｉｍｉｅｎｔｏピーマン茎葉灰入り配線に電気が先に流れ、（３８７）の窒素アルゴン混合ガス入りグラスフアイバービニールｐｉｍｉｅｎｔｏピーマン茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２２１】
図１３２の参考図１２７の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３８９）の窒素アルゴン混合ガス入りグラスフアイバービニールほうずき茎葉灰入り配線が中央に入り次に（３８８）のホルミウム金属→アルカリ土類金属→放射性金属→毒性金属元素が入った(７)の銅コイル配線に対してホルミウム金属はレアーアース系と異なる様で有るが、気化ガス入りの（３８９）の窒素アルゴン混合ガス入りグラスフアイバービニールほうずき茎葉灰入り配線に電気が先に流れ、（３８９)の窒素アルゴン混合ガス入りグラスフアイバービニールほうずき茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２２２】
図１３３の参考図１２８の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３９１）の窒素アルゴン混合ガス入りグラスフアイバービニールニンニク茎葉灰入り配線が中央に入り次に（３９０）のエルビウム金属→アルカリ土類金属→希少金属→銀色金属元素が入った(７)の銅コイル配線に対してエルビウム金属はレアーアース系と異なる様で有るが、気化ガス入りの（３９１）の窒素アルゴン混合ガス入りグラスフアイバービニールニンニク茎葉灰入り配線に電気が先に流れ、(３９１)の窒素アルゴン混合ガス入りグラスフアイバービニールニンニク茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２２３】
図１３４の参考図１２９の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３９３）の窒素アルゴン混合ガス入りグラスフアイバービニール葱茎葉灰入り配線が中央に入り次に（３９２）のツリウム金属→アルカリ土類金属→希少金属元素が入った（７）の銅コイル配線に対してツリウム金属はレアーアース系と異なる様で有るが、気化ガス入りの（３９３）の窒素アルゴン混合ガス入りグラスフアイバービニール葱茎葉灰入り配線に電気が先に流れ、（３９３）の窒素アルゴン混合ガス入りグラスフアイバービニール葱茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２２４】
図１３５の参考図１３０の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３９５）の窒素アルゴン混合ガス入りグラスフアイバービニール玉葱茎葉灰入り配線が中央に入り次に（３９４）のインテルビウム金属→アルカリ土類金属→イオン化卑金属元素が入った(７)の銅コイル配線に対してインテルビウム金属はレアーアース系と異なる様で有るが、気化ガス入りの（３９５）の窒素アルゴン混合ガス入りグラスフアイバービニール玉葱茎葉灰入り配線に電気が先に流れ、（３９５）の窒素アルゴン混合ガス入りグラスフアイバービニール玉葱茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２２５】
図１３６の参考図１３１の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３９７）の窒素アルゴン混合ガス入りグラスフアイバービニール味瓜茎葉灰入り配線が中央に入り次に(３９６)のルテチウム金属→アルカリ土類金属→希少金属元素が入った（７）の銅コイル配線に対してルテチウム金属はレアーアース系と異なる様で有るが、気化ガス入りの（３９７）の窒素アルゴン混合ガス入りグラスフアイバービニール味瓜茎葉灰入り配線に電気が先に流れ、（３９７）の窒素アルゴン混合ガス入りグラスフアイバービニール味瓜茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２２６】
図１３７の参考図１３２の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（３９９）の窒素アルゴン混合ガス入りグラスフアイバービニールらっきょ茎葉灰入り配線が中央に入り次に（３９８）のアクチニウム金属→アルカリ土類金属→銀色金属元素が入った(７)の銅コイル配線に対してルテチウム金属はレアーアース系と異なる様で有るが、気化ガス入りの（３９９）の窒素アルゴン混合ガス入りグラスフアイバービニールらっきょ茎葉灰入り配線に電気が先に流れ、（３９９）の窒素アルゴン混合ガス入りグラスフアイバービニールらっきょ茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２２７】
図１３８の参考図１３３の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４０１）の窒素アルゴン混合ガス入りグラスフアイバービニール茶棄て殻灰入り配線が中央に入り次に（４００）のトリウム金属→アルカリ土類金属→希土類金属→金属指示薬金属元素が入った７の銅コイル配線に対してトリウム金属はレアーアース系と異なる様で有るが、気化ガス入りの（４０１）の窒素アルゴン混合ガス入りグラスフアイバービニール茶棄て殻灰入り配線に電気が先に流れ、（４０１）の窒素アルゴン混合ガス入りグラスフアイバービニール茶葉殻灰入り配線に対しても、必要量の軽水素トリチウム電子ガス等の気化ガス類を石油系物質配線に入れた(７)の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２２８】
図１３９の参考図１３４の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４０３）の窒素アルゴン混合ガス入りグラスフアイバービニールコーヒー殻灰入り配線が中央に入り次に（４０２）のプロトアクチニウム金属→アルカリ土類金属→銀白色放射性金属元素が入った（７）の銅コイル配線に対してトリウム金属はレアーアース系と異なる様で有るが、気化ガス入りの（４０３）の窒素アルゴン混合ガス入りグラスフアイバービニールコーヒー殻灰入り配線に電気が先に流れ、（４０３）の窒素アルゴン混合ガス入りグラスフアイバービニールコーヒー殻灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２２９】
図１４０の参考図１３５の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４０５）の窒素アルゴン混合ガス入りグラスフアイバービニールスイトコーン茎葉灰入り配線が中央に入り次に（４０４）のネプッニウム金属→人工放射性金属元素が入った（７）の銅コイル配線に対してネプッニウム金属はレアーアース系と異なる様で有るが、気化ガス入りの（４０５）の窒素アルゴン混合ガス入りグラスフアイバービニールスイトコーン茎葉灰入り配線に電気が先に流れ、（４０５）の窒素アルゴン混合ガス入りグラスフアイバービニールスイトコーン茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２３０】
図１４１の参考図１３６の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４０７）の窒素アルゴン混合ガス入りグラスフアイバービニール燕麦茎葉灰入り配線が中央に入り次に（４０６）のアメリシウム金属→アルカリ土類金属→速攻性酸化金属元素が入った（７）の銅コイル配線に対してネプッニウム金属はレアーアース系と異なる様で有るが、気化ガス入りの（４０７）の窒素アルゴン混合ガス入りグラスフアイバービニール燕麦茎葉灰入り配線に電気が先に流れ、（４０７）の窒素アルゴン混合ガス入りグラスフアイバービニール燕麦茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２３１】
図１４２の参考図１３７の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４０９）の窒素アルゴン混合ガス入りグラスフアイバービニールビート葉灰入り配線が中央に入り次に（４０８）のキュリウム金属→アルカリ土類金属→全て放射性金属→銀白色放射性金属元素が入った（７）の銅コイル配線に対してネプッニウム金属はレアーアース系と異なる様で有るが、気化ガス入りの（４０９）の窒素アルゴン混合ガス入りグラスフアイバービニールビート葉灰入り配線に電気が先に流れ、（４０９）の窒素アルゴン混合ガス入りグラスフアイバービニールビート葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２３２】
図１４３の参考図１３８の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４１１）の窒素アルゴン混合ガス入りグラスフアイバービニールアスパラ茎葉灰入り配線が中央に入り次に(４１０)のパークリウム金属→表面修飾金属酸化物→金属腐食性物質元素が入った（７）の銅コイル配線に対してパークリウム金属はレアーアース系と異なる様で有るが、気化ガス入りの（４１１）の窒素アルゴン混合ガス入りグラスフアイバービニールアスパラ茎葉灰入り配線に電気が先に流れ、(４１１)の窒素アルゴン混合ガス入りグラスフアイバービニールアスパラ茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２３３】
図１４４の参考図１３９の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４１３）の窒素アルゴン混合ガス入りグラスフアイバービニール赤カブ茎葉灰入り配線が中央に入り次に（４１２）のカリホルニウム金属→アルカリ土類金属→銀白色放射性金属元素が入った（７）の銅コイル配線に対してカリホルニウム金属はレアーアース系と異なる様で有るが、気化ガス入りの（４１３）の窒素アルゴン混合ガス入りグラスフアイバービニール赤カブ茎葉灰入り配線に電気が先に流れ、（４１３)の窒素アルゴン混合ガス入りグラスフアイバービニール赤カブ茎葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２３４】
図１４５の参考図１４０の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４１５）の窒素アルゴン混合ガス入りグラスフアイバービニール糸瓜茎葉灰入り配線が中央に入り次に（４１４）のアインスタイニウム金属→アルカリ土類金属→人工放射性金属→太平洋マーシャル諸島産出元素が入った７の銅コイル配線に対してアインスタイニウム金属はレアーアース系と異なる様で有るが、気化ガス入りの（４１５）の窒素アルゴン混合ガス入りグラスフアイバービニール糸瓜茎葉灰入り配線に電気が先に流れ、（４１５）の窒素アルゴン混合ガス入りグラスフアイバービニール糸瓜茎葉灰入り配線に対しても必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２３５】
図１４６の参考図１４１の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４１７）の窒素アルゴン混合ガス入りグラスフアイバー枯葉灰入り配線が中央に入り次に（４１６）のフエルミウム金属→アルカリ土類金属→遷移金属→中華民国→中華人民共和国の中国語名称金属産出元素が入った（７）の銅コイル配線に対してアインスタイニウム金属はレアーアース系と異なる様で有るが気化ガス入りの（４１７）の窒素アルゴン混合ガス入りグラスフアイバー枯葉灰入り配線に電気が先に流れ、（４１７）の窒素アルゴン混合ガス入りグラスフアイバー枯葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２３６】
図１４７の参考図１４２の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４１９）の窒素アルゴン混合ガス入りグラスフアイバー熊笹灰入り配線が中央に入り次に(４１８)のメンデレビウム金属→アルカリ土類金属→人工放射性金属→カリフォルニア大学作成金属産出元素が入った７の銅コイル配線に対してメンデレビウム金属はレアーアース系と異なる様で有るが気化ガス入りの（４１９）の窒素アルゴン混合ガス入りグラスフアイバー熊笹灰入り配線に電気が先に流れ、（４１９）の窒素アルゴン混合ガス入りグラスフアイバー熊笹灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２３７】
図１４８の参考図１４３の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４２１）の窒素アルゴン混合ガス入りグラスフアイバー山葵葉灰入り配線が中央に入り次に（４２０）のノーベリウム金属→アルカリ土類金属→人工放射性金属元素が入った（７）の銅コイル配線に対してメンデレビウム金属はレアーアース系と異なる様で有るが、気化ガス入りの（４２１）の窒素アルゴン混合ガス入りグラスフアイバー山葵葉灰入り配線に電気が先に流れ、（４２１）の窒素アルゴン混合ガス入りグラスフアイバー山葵葉灰入り配線に対しても必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２３８】
図１４９の参考図１４４の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４２３）の窒素アルゴン混合ガス入りグラスフアイバーピーナツ蔓茎葉灰入り配線が中央に入り次に（４２２)のローレンシウム金属→アルカリ土類金属→人工放射性金属元素が入った（７）の銅コイル配線に対してローレンシウム金属はレアーアース系と異なる様で有るが、気化ガス入りの（４２３）の窒素アルゴン混合ガス入りグラスフアイバーピーナツ蔓茎葉灰入り配線に電気が先に流れ、（４２３）の窒素アルゴン混合ガス入りグラスフアイバーピーナツ蔓茎葉灰入り配線に対しても必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２３９】
図１５０の参考図１４５の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は銅筒管コイル配線の中央部に位置する電気配線に対して、（４２５）の窒素アルゴン混合ガス入りグラスフアイバー牛蒡葉灰入り配線が中央に入り次に（４２４）のナトリウム金属→アルカリ金属→医薬金属元素が入った（７）の銅コイル配線に対してナトリウム金属はレアーアース系と異なる様で有るが、気化ガス入りの（４２５）の窒素アルゴン混合ガス入りグラスフアイバー牛蒡葉灰入り配線に電気が先に流れ、（４２５）の窒素アルゴン混合ガス入りグラスフアイバー牛蒡葉灰入り配線に対しても、必要量の軽水素トリチウム電子ガス等の気化ガス類を石油系物質配線に入れた（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２４０】
図１５１の参考図１４６の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は銅筒管コイル配線の中央部に位置する電気配線に対して、（４２７）の窒素アルゴン混合ガス入りグラスフアイバー人参葉灰入り配線が中央に入り次に（４２６）のリチウム金属→アルカリ金属→銀白色の柔らかい金属元素が入っ他（７）の銅コイル配線に対してリチウム金属はレアーアース系と異なる様で有るが、気化ガス入りの（４２７）の窒素アルゴン混合ガス入りグラスフアイバー人参葉灰入り配線に電気が先に流れ、（４２７）の窒素アルゴン混合ガス入りグラスフアイバー人参葉灰入り配線に対しても、必要量の軽水素トリチウム電子ガス等の気化ガス類を石油系物質配線に入れ他（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
【０２４１】
図１５２の参考図１４７の（１９）の、電気抵抗ゼロ配線部分の不正競争防止法の介入著作権物盗作説明図の配線の説明に成り、（２８９）の電気抵抗ゼロ配線の銅筒管コイル配線の構造違い配線は、銅筒管コイル配線の中央部に位置する電気配線に対して、（４２９）の窒素アルゴン混合ガス入りグラスフアイバー大根葉灰入り配線が中央に入り次に（４２８）の銀金属元素が入った(７)の銅コイル配線に対して銀金属はレアーアース系と異なる様で有るが、気化ガス入りの（４２９）の窒素アルゴン混合ガス入りグラスフアイバー大根葉灰入り配線に電気が先に流れ、（４２９）の窒素アルゴン混合ガス入りグラスフアイバー大根葉灰入り配線に対しても、必要量の軽水素トリチウム電子ガス等の気化ガス類を石油系物質配線に入れ他（７）の銅コイル配線に対して、同じ電気スピードの電気抵抗ゼロ配線にしか成らない（１９）の電気抵抗ゼロ配線部分の不正競争防止法の介入著作権物盗作説明図の配線の説明で有る。
この他、電気配線の絶縁体表皮装置として、（４３０）竹灰入りビニールゴム電気配線絶縁体表皮装置の（４３１）雑草灰入りプラスチックビニールゴム電気配線絶縁体表皮装置及び（４３２）生ゴミ灰入りビニールグラスフアイバーゴム電気配線絶縁体表皮装置などが、他の業者と異なる電気配線絶縁体表皮構造に成る。
【０２４２】
図１５２の参考図１４７の（１９）の、電気抵抗ゼロ配線部分の不正競争防止法の介入著作権物盗作説明図の配線を使った菜種油軽油合成油ハイブリットエンジンのローターアンプミッション説明に成り、エンジンクランクシャフト軸回転力とエンジン補助高出力レールモーター軸回転の補助動力と特別なトランスミッションの歯車及び中抜き歯車及び連動用２連円柱歯車及び中抜き片長さ調整軸付き二段連動斜型ミッション歯車と水平９０度ミッション歯及び連動用２重円柱歯車等の構造によるミッション歯車回転の戻り増幅型のエンジン調整と四輪の高出力電磁誘導補助発電の電気エネルギーによって、高出力モーター補助エネルギーによって、菜種油軽油の合成油エンジンの低燃費へ再び挑戦の道が始める為の説明図。
【０２４３】
図１５２の参考図１４７の（１９）の、電気抵抗ゼロ配線部分の不正競争防止法の介入著作権物盗作説明図の配線を使った菜種油軽油合成油ハイブリットエンジンの
ローターアンプミッション説明に成り、図１５２の参考図の続きのローターアンプミッション（循環型増幅型トランスミッション）説明図として、二段動力用歯車と振れ防止歯車とハイブリット加速歯車循環増幅型ミッション歯車説明図。
【０２４４】
図１５３の参考図に対して、（１９）の、電気抵抗ゼロ配線使用の菜種油合成軽油エンジンハイブリット車の中抜き芯無ミッション歯車及び二段連動斜型ミッション歯車及び二段連動斜型ミッション歯車及び長さ調整軸及び連動用二重円柱歯車等のエンジンクランクシャフト軸作動型ミッションと高出力レールモーター連動型ミッションとミッション歯車の戻り増幅の三パターン増幅歯車の考え方に成り、この他として、電磁誘導発電ホイル軸四個の補助モーター作動動力を備えたハイブリットエンジンのミッション歯車説明図。
【０２４５】
図１５４の参考図に対して、（１９）の、電気抵抗ゼロ配線使用の菜種油合成軽油エンジンハイブリット車の二段動力歯車と振れ防止歯車とハイブリット加速動力循環増幅型ミッション歯車説明図。
【０２４６】
図１５５の参考図に対して、（１９）の、電気抵抗ゼロ配線使用の冷暖房風切り換え装置付きの首振り調整スプリングピン付きの首振り装置とジグザク通路付き固形ヘリウムビニール粒子入り固形フロン窒素入りビニール二重膜フロン付きの冷却装置付きの高出力送風モーター付きの送風官の高出力電磁弁付きの冷暖房風切り換え装置付きの二重ニクロム線設置型の竹灰二重ステンレスシートの電気熱防護パネル付きのドライャ装置の電気抵抗ゼロ配線使用の説明図。
【０２４７】
図１５６の参考図に対して、（１９）の、電気抵抗ゼロ配線使用のドライヤーの竹灰入り軽量プラスチックパネル使用の図柄に関して本毛を使った三つ編み突起図柄に対して纏め髪部分にダイヤモンド球を取り付け、更に三つに分けた髪にルビー玉三個とエメラルド玉三個とサフアイャ玉三個に髪を通して最後にリボン布留め及び羽飾り留め等の本髪デザインをドライヤーに施した今までに無いデザイン参考図。
【０２４８】
図１５７の参考図に対して、（１９）の、電気抵抗ゼロ配線使用の超小型高出力レールモーターの改良型の（４３７）の超小型レールモーター枠に高出力圧電素子のモーター回転の磁力線を吸収した高出力圧電素子磁石体のモーター回転による磁力線圧力の高出力圧電素子磁石体全ての連続回転に依る磁力線連続発電を説明した図に成り、高出力銅筒管コイル配線を使用した複数の高出力電磁石体に対して、（４３５）のモーター軸に対して、一組の複数の高出力卵型形状を横にした高出力圧電素子の卵の一番細い部分と二個目の卵型圧電素子の接点が一つの点で結ばれる高出力圧電素子の磁力線打撃発電構造の高出力レールモーターを小さく擦る程、長四角形の先を尖らせた高出力圧電素子の加工が大変の為、今回の高出力圧電素子磁石体の卵型の卵を横にした高出力圧電素子磁石体の円形連結型説明に成る。
従って、（４３３）の軽水素トリチウム電子ガス入り圧電素子磁石部分丸円つまり、超小型高出力レールモーターの（４３８）の固定磁石の別名高出力圧電素子磁石体に対して、円形磁石体の二つの円形リング状の高出力圧電素子磁石体の設置接点に対する圧電素子磁石体面一ミリメートルの高出力圧電素子磁石体の卵型高出力圧電素子磁石体の一番卵の太い部分が円形状の高出力圧電素子磁石体の太い部分に接合に成った接合部分から卵型高出力圧電素子磁石体の太い部分から細い部分へ磁力線の束が絞られ電子変化して、次の卵型高出力圧電素子磁石体の磁力線と融合して、再び、増幅磁力線が円形状の卵型高出力圧電素子磁石体に未知数の高出力レールモーター回転域への磁力線の増幅発電出来る高出力レールモーターの改良型に成る。
以上の説明に於いて、（４３７）の超小型レールモーターの部品構造の説明に成る。
従って、（４３３）の軽水素トリチウム電子ガス入り圧電素子磁石部分は、高出力圧電素子磁石体シート其々の卵型の卵をリング状に切った図説に成り、黄身の部分が高出力圧電素子磁石体に成り、白身部分は、４３４の軽水素入りグラスファイバーシート装置部分に成り、この場合は二つの高出力圧電素子磁石体の接地面の磁力線が横に流れ無い様に、（４３６）のシリコングラスファィバー弱絶縁体を高出力圧電素子の接地面の両サイド其々の一部分に絶縁体を取り付ける事で磁力線が卵型高出力圧電素子磁石体に流れる構造に擦る事によって、（４３７）の超小型レールモーターの高出力インバータの電気極其々の連続切り換えによって、（１９）の、電気抵抗ゼロコイル配線使用の高出力圧電素子磁石体の磁気変換が通常の鋼鉄磁石体より、磁力線の磁極切り換えが早く、圧電素子磁石体より早い高出力圧電素子磁石体を使った装置の構造を必ず両サイドの高出力圧電素子磁石体の両サイドを咎らかせて高出力圧電素子磁石体の接点を点にする事で、磁力線の束を細く擦る程、磁力線の電子変化及び電気変化を行い易い構造に人口的に行った装置と言える。
尚、通常圧電素子では、磁力線圧力が少ない為、圧電素子磁石体には、予め軽水素トリチウム電子ガスを入れて、圧電素子の電子増幅を図った高出力圧電素子磁石体に成る（４３７）の超小型レールモーターの卵型高出力圧電素子磁石体の重ね合わせ軽水素入り接着剤の貼り付けシート型の高出力圧電素子磁石体の接着剤使用モーター及び、プラスチックグラスファイバー枠及びアルミニウムとレアーアースの合金枠を使った複数の超小型高出力インバータを使った（４３７）の超小型レールモーター説明に成る（１９）の、電気抵抗ゼロ配線使用のモーター配線参考図。。
【０２４９】
図１５８の参考図に対して、（１９）の、電気抵抗ゼロ配線使用の（４４０）の磁力線と言う名の軽水素入り装置を使用したコイル無高出力発電レールモーターと（４３９）の高出力発電レールモーターは、通常の棒状レールモーター及び、円形レールモーター及び卍形状レールモーター及び超小型回転体レールモーター及び高出力レールモーターのコイルを高出力銅筒管コイルに変えて、（４４２）の高出力六角型圧電素子磁石体へ通常の長方形高出力圧電素子磁石体の形を六角形状に変えて、高出力圧電素子の絶縁体を全て取り除いた六角形の三角部分同士の接点接着位置固定型の磁力線集束の磁力線集束電子の増幅発電型の（４４０）の磁力線と言う名の軽水素入り装置を使用したコイル無高出力発電レールモーターと（４３９）の高出力発電レールモーターに成る。
従って、（４４１）の高出力インバータの複数個の連続した二つのプラスとマイナスの圧電素子４電子磁気分割装置使用のプラス電気とマイナス電気の電極の同じ電圧と電気の流れるスピードに比例した連続した電極切り換えに成る（４４０）の磁力線と言う名の軽水素入り装置を使用したコイル無高出力発電レールモーターと（４３９）の高出力発電レールモーターに成る（１９）の、電気抵抗ゼロ配線使用のモーター配線参考図。。
２０１５年１月２１日ＰＭ２１時４９分栃木県真岡市中西建設でペンを置く。
２０１５年１月２２日ＡＭ７時３２分栃木県真岡市で書き始める。
【０２５０】
図１５９の参考図に対して、（１９）の、電気抵抗ゼロ配線使用の（４４５）の外コイル型軽水素タンク発電型変速レールモーターは、（４４６）の高出力圧電素子電磁石四か所に対して、（４４７）の高出力圧電素子磁力線連絡装置四か所に対して、（４６７）の軽水素タンク四か所によって、（４４６）の高出力圧電素子電磁石の磁力線を上げる為の（４６７）の軽水素タンクに成り、（４４７）の高出力圧電素子磁力線連絡装置四か所によって、全ての（４４６）の高出力圧電素子電磁石四か所と全ての（４４７）の高出力圧電素子磁力線連絡装置四か所の高出力圧電素子磁石体が磁力線連絡として（１）の、高出力銅筒管配線によって繋がって要る構造に成り、（４４１）の高出力インバータの電気極の電気抵抗無プラス電気と電気抵抗無マイナス電気の連続した高速切り換えが出来る装置に成り、（４６８）の曲り引き込み型高出力圧電素子電磁石体装置四か所と（４４６）の高出力圧電素子電磁石四か所が繋がった高出力圧電素子の磁力線連絡装置方式に成って入る（４６９）の曲り引き込み磁力線部分は、（４４９）の外コイル回転体部分が回転し易い磁力線構造に成って入る。
従って、（４４９）の外コイル回転体構造説明として、円形の四か所の（４５１）の複数穴空鋼鉄磁石四か所を固定する（４５３）の複数穴付きの（４５２）の鋼鉄磁石固定装置で固定した四筋の（４５４）の軽水素トリチウム電子ガス入りチタン酸バリウムビニール粒子入り圧電素子磁力線放出部分装置の十字形状装置としての四本ラインを固定出来る（４５３）の複数穴付きの（４５２）の複数穴空鋼鉄磁石固定装置の（４５３）の複数穴付きの（４５２）の複数穴空鋼鉄磁石固定リング装置に成り、内側は（４７０）の変則レールモーター軸まで、（４７１）の高出力圧電素子磁石体の軽量永久磁石体構造に成り、（４５４）の軽水素トリチウム電子ガス入りチタン酸バリウムビニール粒子入り圧電素子磁力線放出部分装置と磁力線取り込み放出連絡装置に成る為、（４４９）の外コイル回転体が余り、電気消費を少なくしてモーター回転出来る外コイル形状のモーターの（１９）の、電気抵抗ゼロ配線使用のモーター配線参考図。
【０２５１】
図１６０の参考図に対して、（１９）の、電気抵抗ゼロ配線使用の（４５５）の別途磁力線軽水素増幅型内コイルモーターは、通常の内コイルの（４３５）のモーター軸に対してのコイル板を通常のコイル板を小さくして、コイル板四か所と別に四か所の長めの（４６３）の複数穴空ステンレスカバー付き高出力圧電素子磁石体に小型の内コイル板の磁力線が入る構造に成り、（４６２）の細巻銅筒管コイル配線の磁力線によって増幅磁力線磁石に成る（４６３）の複数穴空ステンレスカバー付き高出力圧電素子磁石体構造の内コイル部分に成る。
外側のモーター枠側には、四か所の（４４６）の高出力圧電素子電磁石が取り付き間其々の四か所に（４５７）の複数穴空き高出力圧電素子磁石体粒子入り銅筒管リング電気磁気連絡体装置が取り付いた円形状の高出力圧電素子磁石体に対して、（４５８）の突起体の磁力線放射ライン装置四か所が取り付入た円形リング状の高出力圧電素子磁石の八か所の（４７１）の絶縁体其々八か所が取り付いた（４５７）の複数穴空き高出力圧電素子磁石体粒子入り銅筒管リング電気磁気連絡体装置の高出力複数穴空銅管リング効果によって、磁力線が細く成って移動出来る装置に成る磁力線増幅型の高出力圧電装置に成る。
更に、外側の四か所の（４４６）の高出力圧電素子電磁石の磁力線に対して磁力線をアップと増幅を擦る為の（４５６）軽水素ビニール粒子入りシリコン電子体が円形リングの外に二重の電子増幅装置円形リングが取り付く内コイル式の外側の通常は永久磁石体と呼ばれている場所に、磁力線増幅型の高出力圧電素子二重リング体を設けた内コイル式の外側の固定高出力圧電素子磁石体の磁力線構造に成る（１９）の、電気抵抗ゼロ配線使用のモーター配線参考図。
追伸
内コイルの鋼鉄磁石を高出力圧電素子磁石体に変えると更に、電気消費が少なく成る（１９）の、電気抵抗ゼロ配線使用のモーター配線参考図。
【０２５２】
図１６１の参考図に対して、（１９）の、電気抵抗ゼロ配線使用の高速ノーマル波受信発電の構造説明図に対して、（４７３）の受信機番号を認識した送信スクリュー波送信装置によって、（４７４）のノーマル番号設置家電装置及び機械のノーマルスクリュー波を（４７５）の家電装置及び機械の複数アンテナの中のノーマルスクリュー波受信アンテナ装置に対して、（４７６）の家電装置及び機械を使った受信回路の高出力銅筒管コイルの磁力線カバー付きコイル高周波増幅器に（４８３）のノーマルスクリュー波を通し（４８０）の高出力圧電素子磁石構造の装置に（４７７）の軽水素トリチウム電子ガス入りの竹灰入り硝子の軽量圧電素子を使ってスクリューノーマル波をプラス波マイナス波に分ける装置によって、スクリューノーマル波のプラスとマイナスに分けて、（４８４）の高出力銅筒管コイルに対して、（４８０）の高出力圧電素子磁石にコイルを巻いた装置によって、磁力線のプラス磁力線とマイナス磁力線を吸収出来る構造にして、（４７８）高出力発電回路のプラス高出力発電回路にプラス波を流し高出力発電回路のマイナス高出力発電回路にマイナス波を流す装置によって、（４７９）の増幅プラス電気と増幅マイナス電気に変換出来るシステム装置に成り、（４８５）の二つのプラス軽水素圧電素子磁石体粒子入りシリコン熱吸収体とマイナス軽水素圧電素子磁石体粒子入りシリコン熱吸収体にプラス増幅電気とマイナス増幅電気を通して、熱電気から磁気電気を取り出して再利用して、（４８６）のマイナス使用電気と（４８７）のプラス使用電気を高速スクリューノーマル波から電気を取り出す事が出来る装置。
【０２５３】
図１６２の参考図に対して、（１９）の、電気抵抗ゼロ配線使用の三重ニクロム線に成り、通常ニクロム線と異なる冷めづらいニクロム線に成り、竹灰入り酸化鉄粒子鉛合金金属をニクロム筒管の中に入れた二重ニクロム線に対して竹灰内蔵セラミック粒子及び竹灰入り酸化プルトニウム磁性鉄合金熱貯蓄体金属に竹灰入りセラミックカバーを被せたニクロム線構造体。
【０２５４】
図１６３の参考図に対して、（１９）の、電気抵抗ゼロ配線使用の圧電素子４電子磁気分割装置を使わない装置説明に成り、複数の銅鉄磁性合金金属及びアルミニウム鉄磁性合金金属及び亜鉛鉄磁性合金金属等の複数の金属にマイナス電気を通す事によって、電気抵抗金属体に熱マイナス電気が止まり、レアーアース銅合金などを交互に磁力線合金との間に取り付ける事で、次から次へとマイナス電気抵抗合金の磁力線合金の熱抵抗電気は磁力線合金に残り、マイナス磁力線を通じて電気抵抗の取り除かれたマイナス電気をコイル芯のマイナス電気官から電気抵抗の取り除かれたマイナス電気を取り出す事が出来るが１００パーセント電気抵抗取り除きが問題点に成るが圧電素子４電子磁気分割装置には勝てないながらも、一つの技術説明に成り、複数の銅鉄磁性合金金属及びアルミニウム鉄磁性合金金属及び亜鉛鉄磁性合金金属等の複数の金属にプラス電気を通す事によって、電気抵抗金属体に熱マイナス電気が止まり、レアーアース銅合金などを交互に磁力線合金との間に取り付ける事で、次から次へとプラス電気抵抗合金の磁力線合金の熱抵抗電気は磁力線合金に残り、プラス磁力線を通じて電気抵抗の取り除かれたプラス電気をコイル芯のプラス電気官から電気抵抗の取り除かれたプラス電気を取り出す事が出来るが１００パーセント電気抵抗取り除きが問題点で有っても電気抵抗を取り除く装置説明に成り、固形ヘリュウムのマイクロ空間に対してマイナス熱抵抗電気を通して、再利用マイナス電気システムに成る。
【０２５５】
図１６４の参考図に対して、（１９）の、電気抵抗ゼロ配線使用の高出力発電レールモーター内蔵の餅つき機によって、湯で瞬間乾燥栗粉入り餅と蒸し瞬間乾燥ピーナツ餅及び湯で瞬間乾燥ネギ粉餅及び漬け生姜瞬間乾燥粉入り餅及び湯で瞬間乾燥ユリ根粉入り餅及び瞬間乾燥アーモンド粉入り餅及び乾燥葫粉入り餅及び蒸し乾燥行者葫粉入り餅及び餡蜜乾燥粉入り餅の三角形状の中心部を動物等の型貫餅に成り、五個セット乾燥竹粉プラスチック紙の布巻保存に成り、食べたい個数に対して乾燥竹粉プラスチック紙を剥がして使用する方式に成るが、余りは冷蔵庫保存手段に成る。
【０２５６】
図１６５の参考図に対して、（１９）の、電気抵抗ゼロ配線使用の異なった四角形状軽水素トリチウム電子ガス入りの竹灰内蔵グラスフアイバービニール窒素配線の四角配線に対して、絶縁部分の竹灰入りグラスフアイバー線によって、四角形状軽水素トリチウム電子ガス入りの竹灰内蔵グラスフアイバービニール窒素配線に対して熱保護を行い銅箔または銅レアーアース合金コイル配線箔を片面に貼り付けた四角形状の電気抵抗ゼロ配線説明に成る。
２０１５年３月１５日ＰＭ２２時３０分栃木県真岡市で書き始める。
２０１５年３月１５日ＰＭ２２時５４分栃木県真岡市でペンを置く。
２０１５年３月２９日ＰＭ１８時５２分栃木県真岡市で書き始める。
【０２５７】
図１６６の参考図に対して、（１９）の、電気抵抗ゼロ配線使用の異なった構造のアルゴンガス微量ネオンガス入りグラスフアイバーパネルに対して、マイクロ複数穴空竹灰入りプラスチック画像光誘導パネルに対して三枚目の軽水素トリチウム電子ガス入りの複数ＣＣＤパネルに拠る画像光の指タッチ増幅感知装置の画像タッチ装置の簡略構造説明参考図。
【０２５８】
図１６７の参考図に対して、（１９）の、電気抵抗ゼロ配線使用のロボット家電の冷凍商品の最初が高出力銅筒管の連結の銅管の多巻方式の高出力高周波解凍装置の熱送風の首振り装置の説明参考図。
【０２５９】
図１６８の参考図に対して、（１９）の、電気抵抗ゼロ配線使用のロボット家電冷蔵庫の簡略構造説明参考図。
【０２６０】
図１６９の参考図に対して、（１９）の、電気抵抗ゼロ配線使用の全自動ロボット寿司の二つ合わせ寿司合わせ飯の構造説明参考図。
【０２６１】
図１７０の参考図に対して、（１９）の、電気抵抗ゼロ配線使用の高周波高出力電磁誘導電波発電装置の参考図。
【０２６２】
図１７１の参考図に対して、（１９）の、電気抵抗ゼロ配線使用の寿司ロボットの簡略高出力モーター押し寿司構造説明参考図。
【０２６３】
図１７２の参考図に対して、（１９）の、電気抵抗ゼロ配線使用のロボット家電の高出力モータータイヤの構造説明参考図。
【０２６４】
図１７３の参考図に対して、（１９）の、電気抵抗ゼロ配線使用のプラスチックゴミ処理装置の説明参考図。
【０２６５】
図１７４の参考図に対して、（１９）の、電気抵抗ゼロ配線使用の高出力電磁石反発型コロ免震装置の外壁揺れ留め横衝撃吸収装置の説明参考図。
【０２６６】
図１７５の参考図に対して、（１９）の、電気抵抗ゼロ配線使用の全自動食器洗い茶タンスロボットの構造説明参考図。
【０２６７】
図１７６の参考図に対して、（１９）の、電気抵抗ゼロ配線使用の特殊ファンの構造説明参考図。
【０２６８】
図１７７の参考図に対して、（１９）の、電気抵抗ゼロ配線使用のコーンアルコール油の高出力モーター薬草撹拌発酵野菜Ｖｅｇｅｔａｂｌｅ油の参考図。
【０２６９】
図１７８の参考図に対して、（１９）の、電気抵抗ゼロ配線使用の八本タイヤ電気自動車の変則タイヤの位置説明参考図。
【０２７０】
図１７９の参考図に対して、（１９）の、電気抵抗ゼロ配線使用の未来的電気自動車の特殊スリーパターンオープンカーの構造説明参考図。
【０２７１】
図１８０の参考図に対して、（１９）の、電気抵抗ゼロ配線使用の未来的電気自動車の八本タイヤの四駆から独立八本タイヤ走行に必要な電動高出力エアー電磁石ミッション接合解放装置の構造説明参考図。
【０２７２】
図１８１の参考図に対して、（１９）の、電気抵抗ゼロ配線使用の全自動ロボット家電装置の三重カラーライトライン光装置の構造説明参考図。
【０２７３】
図１８２の参考図に対して、（１９）の、電気抵抗ゼロ配線使用の電熱装置使用の型作り型の全自動ロボット鑿装置の切り抜き文字及び数字及び絵図等を取り入れたプラスチック磁石接着及び固定プラスチックピン固定型の手指リハビリ構造説明積みプラスチック装置の参考図。
【０２７４】
図１８３の参考図に対して、（１９）の、電気抵抗ゼロ配線使用の女性用及び男性用の衣服の全自動リモコンスイッチ型の衣服脱衣全自動装置の構造説明参考図。
【０２７５】
図１８４の参考図に対して、（１９）の、電気抵抗ゼロ配線使用のフッ化カルシウムとネオンガスの赤色ネオンガスと青色ネオンガスと黄色ネオンガスと多色合わせネオンガスとアルゴンガスとプラスチックグラスフアイバー材とペーパーパネル充電池を使った衣服の発光飾りリングの一例形状参考図。
【０２７６】
図１８５の参考図に対して、（１９）の、電気抵抗ゼロ配線使用のフッ化カルシウムとネオンガスの赤色ネオンガスと青色ネオンガスと黄色ネオンガスと多色合わせネオンガスを使った多色発光素子を紙幣素子に染み込ませて定着糊処理した紙幣番号の発光番号の書き込み位置を説明した紙幣の参考図。
【０２７７】
図１８６の参考図に対して、（１９）の、電気抵抗ゼロ配線使用の糸製造機械によるフッ化カルシウムとネオンガスの赤色ネオンガスと青色ネオンガスと黄色ネオンガスと多色合わせネオンガスとアルゴンガスとプラスチックグラスフアイバー材とペーパーパネル充電池を使った衣服の多色発光糸を透明糸図柄切り抜き生地に多色発光糸ラインの構図及びプラスチックビニールゴム糸を使った男性用女性用衣類の説明参考図。
【０２７８】
図１８７の参考図に対して、（１９）の、電気抵抗ゼロ配線使用の糸製造機械によるフッ化カルシウムとネオンガスの赤色ネオンガスと青色ネオンガスと黄色ネオンガスと多色合わせネオンガスとアルゴンガスとプラスチックグラスフアイバー材糸とペーパーパネル充電池を使った衣服の多色発光糸を透明糸図柄切り抜き生地に多色発光糸ラインの構図及び黄緑以外の透明布一例バラの布端を多色発光糸縫い手法のライン発光図紐を衣装に縫いこんだ透明糸と立体発光ライン図を取り込んだ男性用と女性用の衣装の説明参考図。
【０２７９】
図１８８の参考図に対して、（１９）の、電気抵抗ゼロ配線使用の装置を使用した電気配線に拠る沸騰水発電機の改良説明参考図。
【０２８０】
図１８９の参考図に対して、（１９）の、電気抵抗ゼロ配線使用の装置を使用した作成機に拠る菜種油ローターリーエンジンの改良説明と燃料噴射システム装置の改良説明参考図。
【０２８１】
図１９０の参考図に対して、（１９）の、電気抵抗ゼロ配線使用の装置を使用した作成機に拠る透明糸作成を使ったデザイン服の説明参考図。
【０２８２】
図１９１の参考図に対して、（１９）の、電気抵抗ゼロ配線使用の二酸化炭素分解装置として、納豆菌分解及び乳酸菌分解の説明参考図。
【０２８３】
図１９２の参考図に対して、（１９）の、電気抵抗ゼロ配線使用の異なったエンジンのピストンシリンダーの説明参考図。
【符号の説明】
【０２８４】
１      高出力銅筒管コイル
２      コイル台Ａ
３      コイル台Ｂ
４      コイル台Ｃ
５      プラス高出力銅筒管コイル配線
６      マイナス高出力銅筒管コイル配線
７      高出力銅筒管コイル配線部分
８      軽水素トリチウム電子ガス入り圧電素子磁石体粒子配線
９      突起部分Ａ
１０    突起部分Ｂ
１１    溝Ａ
１２    溝Ｂ
１３    溝Ｃ
１４    溝Ｄ
１５    コイル芯
１６    巻コイル部分
１７    固形窒素入り軽水素トリチウム電子ガス内蔵プラスチックビニール
１８    レアーアース金属
１９    電気抵抗ゼロ配線部分の不正競争防止法の介入著作権物盗作説明図
２０    全世界で特許公開している超電導配線構造物質配線
２１    水素ガス入りのプラスチック
２２    臭素入りビニール
２３    軽水素トリチウム電子ガス入り石油製品化合物質及び植物性化合物質
２４    ガス物質全体入り石油製品化合物質及び植物性化合物質
２５    固形窒素と固形窒素ガス入りプラスチックビニール円柱物質配線
２６    固形窒素と固形窒素ガスとアルゴンガスの混合ガス入りプラスチック入りグラスフアイバー物質
２７    固形窒素と固形窒素ガスとネオンガスの混合ガス入りプラスチック入り竹灰入り軽量ゴム物質
２８    固形窒素と固形窒素ガスと臭素ガスの混合ガス入り竹灰入り軽量プラスチック物質
２９    固形窒素と固形窒素ガスとアンモニアガスの混合ガス入り木材灰入り軽量樹脂プラスチックビニール物質
３０    固形窒素と固形窒素ガスとアルゴン窒素ガスの混合ガス入りプラスチックグラスフアイバー混合網柱物質配線
３１    水素ガス入り固形窒素内蔵プラスチック
３２    固形窒素と固形窒素ガスとネオン軽水素トリチウムム電子混合ガス入り軽量竹灰入りプラスチックビニールゴム立体絵柱形状物質配線
３３    臭素軽水素トリチウム電子混合ガス入りプラスチックビニール微粒子物質
３４    固形窒素と固形窒素ガスと臭素アルゴン混合ガス入り軽量竹灰入りプラスチックビニール混合物質配線
３５    軽水素トリチウム電子窒素アルゴン混合ガス入りエボナイト混合物質シート配線
３６    固形窒素と固形窒素ガスとアンモニア軽水素トリチウム電子混合ガス入り雑草灰入り軽量エボナイトビニールプラスチック混合物質配線
３７    渦巻状固形窒素軽水素トリチウム電子窒素混合ガス入りシリコンビニール混合物質シート配線
３８    空間アプローチ配線
３９    窒素軽水素トリチウム電子混合ガス入り圧電素子磁石体配線
４０    窒素軽水素トリチウム電子混合ガスビニールシリコン粒子入り圧電素子磁石体配線
４１    銅筒管コイル配線部分
４２    軽水素トリチウム電子ガス入り再生硝子微粒子内蔵圧電素子磁石体配線部分
４３    軽量炭素入り酸化鉄微粒子円柱配線部分
４４    通常複数穴空き銅１００％コイル配線
４５    軽水素トリチウム電子ガス入り固形窒素内蔵プラスチックビニール円柱配線
４６    混合竹灰入り酸化鉄微粒子円柱配線部分
４７    通常複数図柄穴空き銅１００％コイル配線
４８    水素ガス入り竹灰内蔵プラスチックビニール円柱配線
４９    銅１００％コイル配線部分
５０    遅い電気の通る銅コイル合金配線部分
５１    異種異形銅筒管コイル配線部分
５２    軽水素トリチウム電子ガス入り綿糸合成ビニール円柱配線部分
５３    生ゴミ灰入り軽水素ビニール酸化鉄微粒子配線
５４   雑草灰入り軽水素シリコン炭素粒子内蔵中和硫化鉄微粒子配線  ２０１３年１１月２４日著作権文書書き経過説明と北海道庁へ著作権ハガキ原本提出する事実説明。
５５    銅１００％コイル配線部分
５６    銅９５％合金コイル配線部分
５７    異種異形複数線コイル配線
５８    軽水素トリチウム電子ガス入り亜麻糸合成ナイロンビニール円柱配線
５９    木材灰３％入り酸化鉄粒子３パーセント内蔵銅コイル配線
６０    燃えるゴミ灰入り軽水素トリチウム電子ガスビニール石灰内蔵中和硝酸鉄微粒子配線
６１    軽水素トリチウム電子ガス入り窒素合成炭素入りプラスチックナイロンビニール円柱配線
６２    銅合金９４％コイル超細芯入り配線
６３    銅１００％筒管コイル配線部分
６４    軽水素トリチウム電子ガス入り固形窒素合成エボナイトプラスチックビニール円柱配線
６５    軽水素トリチウム電子ガス入り固形窒素合成プラスチックビニール円柱配線
６６    軽水素トリチウム電子ガス入り窒素合成ゴムナイロンビニール円柱配線
６７    軽水素トリチウム電子ガス入り竹灰入り再生硝子粒子内蔵超軽量圧電素子磁石体粒子配線部分
６８    切抜き無文字
６９    フロンガス入りプラスチック粒子入り燃焼防止プラスチックビニール円柱配線
７０    竹灰入りグラスフアイバービニール円柱絶縁体
７１    軽水素トリチウム電子ガス入り雑草灰入りプラスチック硝子粒子入り圧電素子磁石体粒子円柱配線
７２    音声波連絡用軽水素トリチウム電子ガス入りグラスフアイバービニールマイナス円柱配線
７３    フロンガス内蔵プラスチック粒子入りグラスフアイバービニール円柱燃焼防止配線
７４    音声波連絡用軽水素トリチウム電子ガス入りグラスフアイバービニールプラス円柱配線
７５    フロンガス内蔵エボナイト粒子入りグラスフアイバービニール円柱燃焼防止配線
７６    フロンガス入りプラスチックビニール粒子入り軽水素トリチウム電子ガス入り固形窒素内蔵液体マグネシウム円柱充電池マイナス配線
７７    燃えるゴミ灰入りグラスフアイバービニール円柱配線の絶縁体
７８    混合植物性油燃えるゴミ灰入りグラスフアイバービニール円柱絶縁体
７９    フロンガス入りプラスチックビニール粒子入り軽水素トリチウム電子ガス入り固形窒素内蔵液体マグネシウム円柱充電池プラス配線
８０    映像波連絡用軽水素トリチウム電子ガス入り軽量圧電素子磁気粒子内蔵シリコングラスフアイバーマイナス円柱配線
８１    稲ワラ灰入りプラスチックビニール円柱絶縁体
８２    麦ワラ灰入りプラスチックビニール円柱絶縁体
８３    映像波連絡用軽水素トリチウム電子ガス入り軽量圧電素子磁気粒子内蔵シリコングラスフアイバープラス円柱配線
８４    軽水素トリチウム電子ガス入りイモ蔓灰入りプラスチック硝子粒子入り圧電素子磁石体粒子円柱配線
８５    竹灰入りグラスフアイバーゴム絶縁表皮配線
８６    固形窒素ガス入り固形窒素入りプラスチック冷却粒子入りグラスフアイバービニール円柱燃焼防止配線
８７    牧草灰入りグラスフアイバービニールゴム絶縁表皮配線
８８    軽水素窒素ガス入り固形窒素混合プラスチック冷却粒子内蔵グラスフアイバービニール円柱燃焼防止配線
８９    軽水素トリチウム電子ガス入りサトウキビ投棄殻灰混合プラスチック硝子粒子内蔵圧電素子磁石体粒子円柱配線
９０    軽水素トリチウム電子ガス入りトウモロコシ殻灰混合プラスチック硝子粒子内蔵圧電素子磁石体粒子円柱配線
９１    竹灰入り硝子ビニールゴム粒子入りグラスフアイバーゴム絶縁表皮配線
９２    竹灰固形窒素入りビニール粒子入りビニールゴム表皮配線
９３    軽水素トリチウム電子ガス入り亜麻殻灰混合プラスチック硝子粒子内蔵圧電素子磁石体粒子円柱配線
９４    生ゴミ灰入りグラスフアイバーゴム絶縁体表皮配線
９５    軽水素トリチウム電子ガス入り枯葉灰混合エボナイト混合再生硝子粒子内蔵圧電素子磁石体粒子円柱配線
９６    フロンガス混合プラスチック粒子入りグラスフアイバービニール円柱燃焼防止配線
９７    六角形状高出力銅筒管配線
９８    軽水素トリチウム電子ガス入り廃棄衣類燃焼灰混合エボナイト混合再生硝子粒子内蔵圧電素子磁石体粒子円柱プラスとマイナス別々配線
９９    フロンガス混合エボナイト粒子内蔵グラスフアイバーシリコンビニール円柱燃焼防止配線
１００  フロンガス窒素ガス混合プラスチック粒子内蔵グラスフアイバービニール正方形柱燃焼防止配線
１０１  竹灰入り窒素ガス混合エボナイトプラスチック粒子内蔵グラスファイバービニール燃焼防止配線
１０２  生ゴミ灰入りゴム粒子内蔵ビニールゴム表皮配線
１０３  四角形柱回転作動ボルトナット
１０４  窒素ガス入りビニール粒子入りグラスフアイバー燃焼防止回路パネル
１０５  鉛アルニウム亜鉛合金回路配線
１０６  窒素ガス入り竹灰内蔵ビニール粒子入りグラスフアイバー溶液燃焼防止回路シート
１０７  軽水素トリチウム電子ガス入り竹灰入り再生硝子微粒子内蔵圧電素子磁石体混合粒子回路配線
１０８  窒素ガス入り廃棄木材灰内蔵ビニール粒子入りグラスフアイバー溶液燃焼防止回路シート
１０９  軽水素トリチウム電子ガス入り雑草熊笹灰入り再生硝子微粒子内蔵圧電素子磁石体混合粒子回路配線
１１０  竹灰入り固形窒素入り胡桃殻乾燥粉粒子混合グラスフアイバー回路基板
１１１  ジグザグ三重回路配線
１１２  軽水素トリチウム電子ガス入り乾燥水草灰入り再生プラスチック硝子微粒子内蔵圧電素子磁石体混合粒子回路配線
１１３  全自動カラー目印ボルトナット→Ａ ｍａｒｋ ｃｏｌｏｒ ｂｏｌｔ
１１４  窒素ガス入り葦灰内蔵ビニールプラスチック粒子入りグラスフアイバー溶液燃焼防止回路シート
１１５  窒素ガス入りシリコン粒子入りグラスフアイバー燃焼防止パネル
１１６  鉛アルミニウム錫合金回路配線
１１７  軽水素トリチウム電子ガス入り蕎麦灰入り再生エボナイト入り硝子微粒子内蔵圧電素子磁石体混合粒子回路配線
１１８  フロンガス入りビニール粒子内蔵グラスフアイバー燃焼防止パネル
１１９  鉛アルミニウムジュラルミン合金回路配線
１２０  鉛アルミニウムチタン合金回路配線
１２１  窒素ガス入り燕麦灰内蔵ビニール粒子入りグラスフアイバー溶液燃焼防止回路シート
１２２  軽水素トリチウム電子ガス入り果物ジュース廃棄乾燥殻灰入り再生エボナイト混合プラスチック入り硝子微粒子内蔵圧電素子磁石体粒子回路配線
１２３  フロン窒素合成ガス入りビニール粒子内蔵グラスフアイバー燃焼防止パネル
１２４  鉛アルミニウム鉛銅芯入り合金回路配線
１２５  窒素ガス入りレントコーン灰内蔵エボナイトビニール粒子入りグラスフアイバー溶液燃焼防止回路シート
１２６  軽水素トリチウム電子ガス入り泥炭乾燥殻灰入り再生エボナイト混合プラスチック入り硝子微粒子内蔵圧電素子磁石体粒子回路配線
１２７  ヘリウムガス１％窒素混合合成ガス入りエボナイトビニール粒子内蔵グラスフアイバー燃焼防止パネル
１２８  鉛アルミニウム銅５％号金回路配線
１２９  窒素ガス入りニンニク茎乾燥殻灰内蔵エボナイトビニール粒子入りグラスフアイバー溶液燃焼防止回路シート
１３０  軽水素トリチウム電子ガス入り長芋茎蔓乾燥殻灰入り再生エボナイト混合プラスチック入り硝子微粒子内蔵圧電素子磁石体粒子回路配線
１３１  ２重銅筒管コイル配線部分
１３２  レアーアース金属配線部分
１３３  窒素ガス入りエボナイトビニール粒子入りグラスフアイバービニール円柱燃焼防止配線
１３４  フロンガス１％窒素混合合成ガス入りエボナイトシリコンビニール粒子内蔵グラスフアイバー燃焼防止パネル
１３５  鉛アルミニウム銅５％レアーアース超細針配線入り合金回路配線
１３６  窒素ガス入り蕗皮葉乾燥灰内蔵エボナイトビニール粒子入りグラスフアイバー溶液燃焼防止回路シート
１３７  軽水素トリチウム電子ガス入り牛蒡葉乾燥灰入り再生エボナイト混合プラスチック入り硝子微粒子内蔵圧電素子磁石体粒子回路配線
１３８  青色目印
１３９  赤色目印
１４０  全自動制御モーターピン工具取り付け穴
１４１  取り付け箇所
１４２  白色目印
１４３  黄色目印
１４４  黒色目印
１４５  緑色目印
１４６  ヘリウムガス０，５％フロンガス１％窒素ガス９８，５％混合合成ガス入りエボナイトシリコンビニール液晶混合粒子内蔵グラスフアイバー燃焼防止パネル
１４７  鉛アルミニウム銅亜鉛合金回路配線
１４８  窒素ガス入り茄子茎葉乾燥灰内蔵エボナイトビニール粒子入りグラスフアイバー溶液燃焼防止回路シート
１４９  軽水素トリチウム電子ガス入り糸瓜茎葉乾燥灰入り再生エボナイト混合プラスチック入り硝子微粒子内蔵圧電素子磁石体粒子回路配線
１５０  ヘリウムガ酢０，３％窒素ガス９９，７％混合合成ガス入りエボナイトシリコンビニール樹脂混合粒子内蔵グラスフアイバー燃焼防止パネル
１５１  鉛アルミニウム銅錫合金回路配線
１５２  軽水素トリチウム電子ガス入り南瓜茎葉乾燥灰入り再生エボナイト混合プラスチック入り硝子微粒子内蔵圧電素子磁石体粒子回路配線
１５３  軽水素トリチウム電子ガス入り西瓜茎葉乾燥灰入り再生エボナイト混合プラスチック入り硝子微粒子内蔵圧電素子磁石体粒子回路配線
１５４  電気抵抗電気の入って入る通常プラス電気
１５５  電気抵抗電気の入って入る通常マイナス電気
１５６  通常圧電素子磁石体
１５７  通常銅配線
１５８  陽電子磁極体
１５９  陰電子磁極体
１６０  中間陽電子磁極体
１６１  中間陰電子磁極体
１６２  プラス電気抵抗の入っていないプラス電気
１６３  マイナス電気抵抗の入っていないマイナス電気
１６４  通常鉛アルミニウム回路配線
１６５  電気抵抗の少ないプラス電気
１６６  電気抵抗の少ないマイナス電気
１６７  竹灰入りプラスチック樹脂混合合成スピーカーコーン
１６８  プラス圧電素子４電子磁気分割装置
１６９  マイナス圧電素子４電子磁気分割装置
１７０  生ゴミ灰入りプラスチック混合合成スピーカーコーン
１７１  高出力圧電素子合成電磁石
１７２  竹灰入りビニールプラスチックゴム表皮配線
１７３  窒素ガス入りプラスチックビニール粒子内蔵グラスフアイバービニールゴム燃焼防止絶縁体配線
１７４  接着糊シート部分
１７５  プロパン冷却臭素ガス入りプラスチックビニール粒子内蔵グラスフアイバービニールゴム燃焼防止絶縁体配線
１７６  高出力軽水素ガス入り圧電素子磁石体
１７７  複数穴空き高出力銅筒管コイル巻き配線部分
１７８  通常プラス電気
１７９  通常マイナス電気
１８０  電気抵抗ゼロプラス電気
１８１  電気抵抗ゼロマイナス電気
１８２  通常の高出力銅筒管コイル配線
１８３  窒素ガス入りチタン酸バリウム粒子入りチタン酸バリウム圧電素子磁石体部分
１８４  窒素ガス入り圧電素子磁石体シリコン微粒子入り圧電素子磁石体シート
１８５  半窒素ガス入り圧電素子磁石体シリコン微粒子入り圧電素子磁石体シート
１８６  熱電子流動型コイル芯
１８７  異種高出力銅筒管コイル配線
１８８  軽水素トリチウム電子ガス入り高出力銅筒管コイル電気抵抗ゼロ配線部分
１８９  窒素軽水素トリチウム電子ガス入りビニール粒子内蔵グラスフアイバービニール熱電子電気燃焼防止電気抵抗ゼロ配線部分
１９０  竹灰入りプラスチック硝子粒子入り軽量軽水素トリチウム電子ガス入り圧電素子磁石体電気抵抗ゼロ配線部分
１９１  温度感知型異種高出力銅筒管コイル配線
１９２  半液晶溶液入り水銀銅管
１９３  竹灰入りビニール粒子入りグラスフアイバービニール絶縁体部分
１９４  二重銅官配線部分
１９５  固形窒素バリウム粒子入りアルゴンガス入り液体マグネシウムビニール無金属配線部分
１９６  電気抵抗ゼロ無金属電気配線
１９７  固形窒素入りビニール粒子及び竹灰粒子内蔵ビニールゴム電気配線表皮絶縁体部分
１９８  木材灰入り窒素ガス入りエボナイトビニール粒子入りビニールゴム電気配線表皮
１９９  雑草灰入り窒素ガス入り液体ビニールナイロン硝子粒子入りグラスフアイバービニール燃焼防止絶縁体配線
２００  軽水素窒素ガス入りバリウム粒子入り軽水素トリチウムガス入り圧電素子磁石体粒子配線
２０１  キュウイ乾燥葉茎入り窒素ガス入りビニール粒子及びキュウイ乾燥葉茎入りフロンガス入りビニールＷ粒子入りビニールゴム電気配線表皮部分
２０２  アルゴン窒素ガス入り軽水素トリチウム電子ガス粒子入り圧電素子磁石体粒子配線
２０３  大豆乾燥茎葉灰入り窒素ガス入りグラスフアイバービニール粒子入りナイロンビニールゴム電気配線表皮部分
２０４  ネオン窒素ガス入り軽水素トリチウム電子ガス粒子入り圧電素子磁石体粒子配線
２０５  大豆乾燥茎葉灰及び竹乾燥茎葉灰入り窒素ガス入りグラスフアイバーシリコン粒子入りグラスフアイバービニール燃焼防止絶縁体配線
２０６  窒素ガス石灰入りグラスフアイバービニール粒子入りナイロングラスフアイバーゴム電気配線表皮部分
２０７  ネオン臭素窒素ガス入り軽水素トリチウム電子ガス粒子入り圧電素子磁石体粒子配線
２０８  砂岩粉窒素ガス入りグラスフアイバービニール粒子入りナイロングラスフアイバーゴム電気配線表皮部分
２０９  ネオンアルゴンガス粒子入り圧電素子磁石体粒子配線
２１０  部分線状銅コイル配線
２１１  窒素ガス入りグラスフアイバー粒子入りグラスファイバービニール燃焼防止配線
２１２  軽水素窒素ガス入りビニール粒子入りグラスフアイバービニール燃焼防止配線
２１３  異種異形全自動形状色識別高出力銅筒管燃焼防止軽量電気配線
２１４  静電気表皮配線
２１５  竹灰入りグラスフアイバービニール絶縁体配線部分
２１６  不正使用防止配線
２１７  片側プラス極のみ窒素ガス粒子体入りビニール粒子入り軽水素トリチウム電子ガス入り液体マグネシウム液晶シリコンシート配線充電池体部分
２１８  竹灰混合石灰入りビニールゴム絶縁体電気配線表皮部分
２１９  高出力発光ＬＥＤライト部分
２２０  通常プラス電気配線
２２１  通常マイナス電気配線
２２２  プラス高出力発電回路
２２３  マイナス高出力発電回路
２２４  増幅プラス電気
２２５  増幅マイナス電気
２２６  高出力圧電素子磁石体計８個
２２７  高出力発電回路配線システム
２２８  高出力銅筒管プラス電気配線
２２９  窒素ガス入りグラスフアイバー粒子入りクリスタル硝子体
２３０  取り付け熱固定鉛ボルト
２３１  半分割プラス電気配線取り付け部分Ｎｏ．ＯＮＥ
２３２  半分割プラス電気配線取り付け部分Ｎｏ．ＴＯＯ
２３３  銅板入りクリスタル硝子
２３４  高出力銅筒管プラス電気配線
２３５  半分割マイナス電気配線取り付け部分Ｎｏ．ＯＮＥ
２３６  半分割マイナス電気配線取り付け部分Ｎｏ．ＴＯＯ
２３７  窒素ガス入り固形窒素入りビニール冷却粒子入りグラスフアイバービニール円柱燃焼防止配線
２３８  窒素ガス入り向日葵灰内蔵エボナイト粒子入りグラスフアイバー溶液燃焼防止回路シート
２３９  窒素ガス入りエボナイト粒子入りグラスフアイバー燃焼防止パネル
２４０  超細銅線
２４１  菊灰入りグラスフアイバービニール燃焼防止絶縁体配線
２４２  軽水素トリチウム電子ガス入り圧電素子磁石体粒子内蔵シリコン熱吸収発電配線
２４３  片側マイナス極軽水素トリチウム電子ガス入り圧電素子磁石体高出力電気配線
２４４  窒素ガス入りビニール粒子入り圧電素子配線
２４５  銅配線部分
２４６  鉛アルミニウム合金配線部分
２４７  軽水素トリチウム電子ガス入りシートプラス磁極
２４８  竹灰入りプラスチック硝子粒子入りチタン酸バリウム内蔵圧電素子磁石体
２４９  プラス静電気配線
２５０  通常プラス電気配線
２５１  電気抵抗無しプラス電気
２５２  マイナス磁極
２５３  アルミニウム半絶縁金属シート
２５４  圧電素子磁石体シート
２５５  マイナス極通常圧電素子磁石体
２５６  異種異物圧電素子磁石体配線
２５７  異種異物高出力銅筒管コイル配線
２５８  通常圧電素子磁石体ＡＢ
２５９  圧電素子陽電子プラス素子体
２６０  圧電素子中間陽電子プラス素子体
２６１  圧電素子中間陰電子マイナス素子体
２６２  圧電素子燃焼防止帯部分
２６３  室内電気抵抗ゼロ電気使用光色切り換え高出力モーター言葉連絡装置
２６４  室内呑み自由距離光色切り換え光ストレート連絡配管
２６５  複数カラー光認識高出力ＣＣＤパネル装置
２６６  シルバー色反射粒子入りグラスフアイバービニール曲がり装置部分
２６７  亜鉛アルミニウム絶縁官
２６８  十字仕切り板
２６９  プラス軽量配線
２７０  マイナス軽量配線
２７１  高出力ＭＯＳ型スイッチングスイッチＯＮ図
２７２  高出力ＭＯＳ型スイッチングスイッチＯｆｆ図
２７３  通常Ｐ型半導体
２７４  複数針穴空き軽水素トリチウム電子ガス入りＰ型半導体
２７５  高出力Ｐ型半導体
２７６  通常Ｎ型半導体
２７７  複数針穴空き軽水素トリチウム電子ガス入りＮ型半導体
２７８  高出力銅筒管プラス配線
２７９  高出力銅筒管マイナス配線
２８０  高出力ＭＯＳ型スイッチングと高出力銅筒管配線
２８１  高出力Ｐ型発電半導体
２８２  高出力Ｎ型発電半導体
２８３  スカンジウム金属→アルカリ土類金属→遷移金属
２８４  ２倍軽水素トリチウム電子ガス入りグラスフアイバービニール竹灰入り配線
２８５  バナジウム金属
２８６  ４倍窒素軽水素トリチウム電子ガス入り生ゴミ灰内蔵グラスフアイバービニール配線
２８７  ルビジウム金属→アルカリ金属元素→銀白色
２８８  高純度軽水素トリチウム電子ガス入りシリコン粒子内蔵窒素入りシリコンビニール雑草灰入り配線
２８９  電気抵抗ゼロ配線
２９０  ストロンチウム金属
２９１  軽水素トリチウム電子ガス入りシリコン粒子入りグラスフアイバービニール軽水素入り竹灰内蔵シート及び窒素ガス入りシリコン粒子入りグラスフアイバービニール軽水素入り竹灰内蔵交互ロールシート配線
２９２  イットリウム金属
２９３  軽水素アルゴン窒素混合ガス入りプラスチックビニール竹灰入り粒子入りグラスフアイバービニール竹灰入り配線
２９４  ジルコニウム→遷移金属
２９５  軽水素トリチウム電子ガス入りシリコン粒子及び窒素ガス入りシリコン粒子及びアルゴンガス入りシリコン混合粒子内蔵グラスフアイバービニール竹灰入り配線
２９６  ニオブ金属→アルカリ土類金属→遷移金属
２９７  軽水素トリチウム電子ガス入りシリコンビニール竹灰粒子及びネオンガス入りシリコンビニール竹灰混合粒子内蔵グラスフアイバービニール竹灰入り配線
２９８  モリブデン金属→アルカリ土類金属→遷移金属
２９９  軽水素トリチウム電子ガス入りグラスフアイバーエボナイトビニール竹灰粒子内蔵窒素ガス入りシリコンビニール竹灰入り混合粒子内蔵グラスフアイバービニール竹灰入り配線
３００  テクネチウム→アルカリ土類金属→遷移金属       ２０１３年１２月２７日ＰＭ２１時５４分栃木県でペンを置くニヤン
３０１  軽水素トリチウム電子窒素混合ガス入りグラスフアイバービニール竹灰入り粒子内蔵窒素ガス入りビニール粒子入りグラスフアイバービニール竹灰入り配線
３０２  ルテニウム金属→アルカリ金属→遷移金属
３０３  軽水素トリチウム電子窒素混合ガス入りグラスフアイバービニール粒子入り稲藁灰入り粒子内蔵窒素ガス入りビニール粒子入りグラスフアイバービニール灰入り配線
３０４  ロジウム金属→遷移金属
３０５  アルゴン水素混合ガス入りグラスフアイバービニール麦藁灰入り粒子内蔵窒素ガス入りビニール粒子入りグラスフアイバービニール麦藁灰入り配線
３０６  パラジウム金属→アルカリ金属→遷移金属
３０７  ネオン水素混合ガス入りグラスフアイバービニール向日葵茎灰入り粒子内蔵窒素ガス入りビニール粒子入りグラスフアイバービニール向日葵茎灰入り配線
３０８  銀鉛合金
３０９  ネオンアルゴン窒素混合ガス入りグラスフアイバービニール雑草灰入り粒子内蔵アルゴンガス入りグラスフアイバービニール雑草灰入り配線
３１０  ハフニウム金属→アルカリ土類金属→遷移金属
３１１  水素アルゴン窒素混合ガス入りグラスフアイバービニールレントコーン茎灰入り粒子内蔵グラスフアイバービニールレントコーン茎灰入り配線
３１２  タンタル金属→遷移金属
３１３  水素ネオン窒素混合ガス入りグラスフアイバービニール牧草灰入り粒子内蔵グラスフアイバービニール牧草灰入り配線
３１４  タングステン金属→希少金属
３１５  クリプトン水素窒素混合ガス入りグラスフアイバービニール菜種茎灰入り粒子内蔵グラスフアイバービニール菜種茎灰入り配線
３１６  レニウム金属→遷移金属
３１７  クリプトンアルゴン窒素混合ガス入りグラスフアイバービニール朝鮮菊茎灰入り粒子内蔵グラスファイバービニール朝鮮菊茎灰入り配線
３１８  オスミウム金属→アルカリ土類金属→遷移金属
３１９  クリプトンネオン窒素混合ガス入りグラスフアイバービニール牧草灰入り粒子内蔵グラスフアイバービニール牧草灰入り配線
３２０  イリジウム金属→アルカリ土類金属→遷移金属
３２１  クリプトン臭素水素窒素混合ガス入りグラスフアイバービニール向日葵茎灰入り粒子内蔵グラスフアイバービニール向日葵灰入り配線
３２２  白金金属→遷移金属→白金族金属
３２３  キセノン水素窒素混合ガス入りグラスフアイバービニール竹灰入り粒子内蔵グラスフアイバービニール竹灰入り配線
３２４  タリウム金属→アルカリ土類金属→希少金属
３２５  キセノンアルゴン窒素混合ガス入りグラスフアイバービニール雑草灰入り粒子内蔵グラスフアイバービニール雑草灰入り配線
３２６  ルビジウム金属→アルカリ金属
３２７  キセノンネオン窒素混合ガス入りグラスフアイバービニール木材灰入り粒子内蔵グラスフアイバービニール木材灰入り配線
３２８  ストロンチウム→アルカリ土類金属
３２９  キセノンクリプトンアルゴン窒素混合ガス入りグラスフアイバービニール稲藁茎灰入り粒子内蔵グラスフアイバービニール稲藁茎灰入り配線
３３０  ラザホージウム金属→アルカリ土類金属→遷移金属→半金属→非金属→希ガス→人工元素
３３１  キセノンクリプトンネオン窒素混合ガス入りグラスフアイバービニール麦藁灰入り粒子内蔵グラスフアイバービニール麦藁灰入り配線
３３２  ドブニウム→アルカリ土類金属→遷移金属→超アクチノイド元素の一つ→人工元素
３３３  キセノンクリプトン臭素窒素混合ガス入りグラスフアイバービニール亜麻茎灰いり配線
３３４  シーポーギウム金属→アルカリ土類金属→遷移金属→人工元素
３３５  キセノンクリプトンアルゴンネオン窒素混合ガス入りグラスフアイバービニール向日葵茎灰入り配線２０１３年１２月３０日ＰＭ２２時５９分栃木県でペンを置くニャン
３３６  ポーリウム→人工元素
３３７  ラドン水素窒素混合ガス入りグラスフアイバービニール竹灰入り配線
３３８  ハッシウム金属→アルカリ土類金属→遷移金属→人工元素→発見者ドイツ国
３３９  ラドン水素アルゴン窒素混合ガス入りグラスフアイバービニール生ゴミ灰入り配線
３４０  マイトネリウム金属→アルカリ土類金属→遷移金属→人工元素→超アクチノイド元素の一つ
３４１  ラドン水素ネオン窒素混合ガス入りグラスフアイバービニール麦藁灰入り配線
３４２  ダルムシュタッチウム金属→アルカリ土類金属→遷移金属→人工元素→重イオン化学研究所発見
３４３  ラドンキセノンアルゴン窒素混合ガス入りグラスフアイバービニール麦藁灰入り配線
３４４  レントゲニウム金属
３４５  ラドンキセノンネオン窒素混合ガス入りグラスフアイバービニール稲藁灰入り配線
３４６  フランシウム金属→アルカリ金属→放射性元素→フランシウムのｆｒの６金属元素
３４７  ラドンキセノン水素窒素混合ガス入りグラスフアイバービニール向日葵茎灰入り配線
３４８  ベリリウム金属→毒性→発火性有り
３４９  ラドンキセノン水素アルゴン窒素混合ガス入りグラスフアイバービニールレントコーン茎葉灰入り配線
３５０  ガリウム→土類金属→ホウ素族元素→水銀の代替え金属→融点約３０度
３５１  ラドンキセノン水素ネオン窒素混合ガス入りグラスフアイバービニール雑草灰入り配線
３５２  インジウム金属→アルカリ土類金属→遷移金属→貴金属
３５３  ラドンキセノンクリプトン水素窒素混合ガス入りグラスフアイバービニール牧草灰入り配線
３５４  タリウム金属→アルカリ土類金属→希少金属→毒性
３５５  ラドンキセノンクリプトンアルゴン窒素混合ガス入りグラスフアイバービニールオレンジ皮灰入り配線
３５６  ビスマス金属
３５７  ラドンキセノンクリプトンネオン窒素混合ガス入りグラスフアイバービニール生ゴミ灰入り配線
３５８  アンチモン→銀白色金属
３５９  ラドンキセノンクリプトン臭素窒素混合ガス入りグラスフアイバービニールイモ蔓灰入り配線
３６０  ゲルマニウム金属→アルカリ土類金属
３６１  窒素アルゴン混合ガス入りグラスフアイバービニール茄子茎灰入り配線
３６２  ポロニウム→アルカリ土類金属→放射性金属
３６３  窒素アルゴン混合ガス入りグラスフアイバービニール胡瓜茎葉灰入り配線
３６４  テルル金属→アルカリ土類金属→半金属→銀白色の金属テルル→カルコゲン分類
３６５  窒素アルゴン混合ガス入りグラスフアイバービニール南瓜茎葉灰入り配線
３６６  ランタノイド金属→アルカリ土類金属→遷移金属→希少金属
３６７  窒素アルゴン混合ガス入りグラスフアイバービニール瓜茎葉灰入り配線
３６８  ランタン金属
３６９  窒素アルゴン混合ガス入りグラスフアイバービニール西瓜茎葉灰入り配線
３７０  セリウム金属→希土類金属→希少金属→自然発火性金属
３７１  窒素アルゴン混合ガス入りグラスフアイバービニール菜種茎葉灰入り配線
３７２  プラセオジム金属→アルカリ土類金属→遷移金属→
３７３  窒素アルゴン混合ガス入りグラスフアイバービニール大豆茎葉灰入り配線
３７４  ネオジム金属→希土類金属→ネオジム磁石公知公開技術金属
３７５  窒素アルゴン混合ガス入りグラスフアイバービニール小豆茎葉灰入り配線
３７６  プロメチウム金属→アルカリ土類金属→銀色金属→放射線放出金属
３７７  窒素アルゴン混合ガス入りグラスフアイバービニール空豆茎葉灰入り配線
３７８  サマリウム金属→希土類金属→典型元素有機金属化合物→単体は灰白色の固くてもろい金属
３７９  窒素アルゴン混合ガス入りグラスフアイバービニール長芋蔓葉灰入り配線
３８０  ユウロビウム金属→アルカリ土類金属→遷移金属→複合材料
３８１  窒素アルゴン混合ガス入りグラスフアイバービニールじゃが芋茎葉灰入り配線
３８２  ガドリニウム金属→アルカリ土類金属→遷移金属→銀白色の柔らかい金属→希土類金属→医療製剤金属
３８３  窒素アルゴン混合ガス入りグラスフアイバービニールトマト茎葉灰入り配線
３８４  テルビウム金属→アルカリ土類金属→希土類金属→希土類磁石利用金属→中国南部生産金属
３８５  窒素アルゴン混合ガス入りグラスフアイバービニールシシトウ茎葉灰入り配線
３８６  ジスフブロシウム金属→アルカリ土類金属→遷移金属→希少金属
３８７  窒素アルゴン混合ガス入りグラスフアイバービニールｐｉｍｉｅｎｔｏピーマン茎葉灰入り配線
３８８  ホルミウム金属→アルカリ土類金属→放射性金属→毒性金属
３８９  窒素アルゴン混合ガス入りグラスフアイバービニールほうずき茎葉灰入り配線
３９０  エルビウム金属→アルカリ土類金属→希少金属→銀色金属
３９１  窒素アルゴン混合ガス入りグラスフアイバービニールニンニク茎葉灰入り配線
３９２  ツリウム金属→アルカリ土類金属→希少金属
３９３  窒素アルゴン混合ガス入りグラスフアイバービニール葱茎葉灰入り配線
３９４  インテルビウム金属→アルカリ土類金属→イオン化卑金属
３９５  窒素アルゴン混合ガス入りグラスフアイバービニール玉葱茎葉灰入り配線
３９６  ルテチウム金属→アルカリ土類金属→希少金属
３９７  窒素アルゴン混合ガス入りグラスフアイバービニール味瓜茎葉灰入り配線
３９８  アクチニウム金属→アルカリ土類金属→銀色金属
３９９  窒素アルゴン混合ガス入りグラスフアイバービニールらっきょ茎葉灰入り配線
４００  トリウム金属→アルカリ土類金属→希土類金属→金属指示薬金属
４０１  窒素アルゴン混合ガス入りグラスフアイバービニール茶葉て殻灰入り配線
４０２  プロトアクチニウム金属→アルカリ土類金属→銀白色放射性金属
４０３  窒素アルゴン混合ガス入りグラスフアイバービニールコーヒー殻灰入り配線
４０４  ネプッニウム金属→人工放射性金属
４０５  窒素アルゴン混合ガス入りグラスフアイバービニールスイトコーン茎葉灰入り配線
４０６  アメリシウム金属→アルカリ土類金属→速攻性酸化金属
４０７  窒素アルゴン混合ガス入りグラスフアイバービニール燕麦茎葉灰入り配線
４０８  キュリウム金属→アルカリ土類金属→全て放射性金属→銀白色放射性金属
４０９  窒素アルゴン混合ガス入りグラスフアイバービニールビート葉灰入り配線
４１０  パークリウム金属→表面修飾金属酸化物→金属腐食性物質
４１１  窒素アルゴン混合ガス入りグラスフアイバービニールアスパラ茎葉灰入り配線
４１２  カリホルニウム金属→アルカリ土類金属→銀白色放射性金属
４１３  窒素アルゴン混合ガス入りグラスフアイバービニール赤カブ茎葉灰入り配線
４１４  アインスタイニウム金属→アルカリ土類金属→人工放射性金属→太平洋マーシャル諸島
４１５  窒素アルゴン混合ガス入りグラスフアイバービニール糸瓜茎葉灰入り配線
４１６  フエルミウム金属→アルカリ土類金属→遷移金属→中華民国→中華人民共和国の中国語名称金属
４１７  窒素アルゴン混合ガス入りグラスフアイバー枯葉灰入り配線
４１８  メンデレビウム金属→アルカリ土類金属→人工放射性金属→カリフォルニア大学作成金属
４１９  窒素アルゴン混合ガス入りグラスフアイバー熊笹灰入り配線
４２０  ノーベリウム金属→アルカリ土類金属→人工放射性金属
４２１  窒素アルゴン混合ガス入りグラスフアイバー山葵葉灰入り配線
４２２  ローレンシウム金属→アルカリ土類金属→人工放射性金属
４２３  窒素アルゴン混合ガス入りグラスフアイバーピーナツ蔓茎葉灰入り配線
４２４  ナトリウム金属→アルカリ金属→医薬金属
４２５  窒素アルゴン混合ガス入りグラスフアイバー牛蒡葉灰入り配線
４２６  リチウム金属→アルカリ金属→銀白色の柔らかい金属
４２７  窒素アルゴン混合ガス入りグラスフアイバー人参葉灰入り配線
４２８  銀金属
４２９  窒素アルゴン混合ガス入りグラスフアイバー大根葉灰入り配線
４３０  竹灰入りビニールゴム電気配線絶縁体表皮装置
４３１  雑草灰入りプラスチックビニールゴム電気配線絶縁体表皮装置
４３２  生ゴミ灰入りビニールグラスフアイバーゴム電気配線絶縁体表皮装置
４３３  軽水素トリチウム電子ガス入り圧電素子磁石部分
４３４  軽水素入りグラスファイバー部分
４３５  モーター軸
４３６  シリコングラスファィバー弱絶縁体
４３７  超小型レールモーター枠
４３８  高出力固定圧電磁石
４３９  高出力発電レールモーター
４４０  コイル無高出力発電レールモーター
４４１  高出力インバータ
４４２  高出力六角型圧電素子磁石体
４４３  磁石面
４４４  穴開き面
４４５  外コイル型軽水素タンク発電型変速レールモーター
４４６  高出力圧電素子電磁石
４４７  高出力圧電素子磁力線連絡装置
４４８  マイナス配線
４４９  外コイル回転体部分
４５０  高出力圧電素子引き込み磁力線連絡用磁石四カ所箔
４５１  複数穴空鋼鉄磁石装置
４５２  複数穴空鋼鉄磁石固定装置
４５３  鋼鉄磁石複数穴部分装置
４５４  軽水素トリチウム電子ガス入りチタン酸バリウムビニール粒子入り圧電素子磁力線放出部分装置
４５５  別途磁力線軽水素増幅型内コイルモーター
４５６  軽水素ビニール粒子入りシリコン電子体
４５７  複数穴空き高出力圧電素子磁石体粒子入り銅筒管リング電気磁気連絡体
４５８  磁力線放射ライン装置四か所
４５９  内コイルが入る場所
４６０  特殊内コイル
４６１  高出力コイル入り高出力圧電素子磁石体
４６２  細巻銅筒管コイル配線
４６３  複数穴空ステンレスカバー付き高出力圧電素子磁石体
４６４  銅箔軽水素トリチウム電子ガス入り圧電素子磁石粒子多層巻粒子コイル配線
４６５  銅箔貼り軽量陶器粒子入り硝子官軽水素圧電素子磁石体粒子入りコイル管配線
４６６  曲る高出力銅筒管変則コイル配線
４６７  軽水素タンク
４６８  曲り引き込み型高出力圧電素子電磁石体装置
４６９  曲り引き込み磁力線部分
４７０  変則レールモーター軸
４７１  絶縁体其々八か所
４７２  鋼鉄磁石板または高出力圧電素子磁石板装置
４７３  受信機番号を認識した送信スクリュー波送信装置
４７４  ノーマル番号設置家電装置及び機械
４７５  家電装置及び機械の複数アンテナの中のノーマルスクリュー波受信アンテナ装置
４７６  家電装置及び機械を使った受信回路の高出力銅筒管コイルの磁力線カバー付きコイル高周波増幅器
４７７  軽水素トリチウム電子ガス入りの竹灰入り硝子の軽量圧電素子を使ってスクリューノーマル波をプラス波マイナス波に分ける装置
４７８  高出力発電回路のプラス高出力発電回路にプラス波を流し高出力発電回路のマイナス高出力発電回路にマイナス波を流す装置
４７９  増幅プラス電気と増幅マイナス電気に変換出来るシステム装置
４８０  高出力圧電素子磁石
４８１  高出力マイナス発電回路
４８２  高出力プラス発電回路
４８３  スクリューノーマル電波
４８４  高出力銅筒管コイル
４８５  軽水素圧電素子磁石体粒子入りシリコン熱吸収体
４８６  マイナス使用電気
４８７  プラス使用電気
【図１】
0003203106.tif 000003
【図２】
0003203106.tif 000004
【図３】
0003203106.tif 000005
【図４】
0003203106.tif 000006
【図５】
0003203106.tif 000007
【図６】
0003203106.tif 000008
【図７】
0003203106.tif 000009
【図８】
0003203106.tif 000010
【図９】
0003203106.tif 000011
【図１０】
0003203106.tif 000012
【図１１】
0003203106.tif 000013
【図１２】
0003203106.tif 000014
【図１３】
0003203106.tif 000015
【図１４】
0003203106.tif 000016
【図１５】
0003203106.tif 000017
【図１６】
0003203106.tif 000018
【図１７】
0003203106.tif 000019
【図１８】
0003203106.tif 000020
【図１９】
0003203106.tif 000021
【図２０】
0003203106.tif 000022
【図２１】
0003203106.tif 000023
【図２２】
0003203106.tif 000024
【図２３】
0003203106.tif 000025
【図２４】
0003203106.tif 000026
【図２５】
0003203106.tif 000027
【図２６】
0003203106.tif 000028
【図２７】
0003203106.tif 000029
【図２８】
0003203106.tif 000030
【図２９】
0003203106.tif 000031
【図３０】
0003203106.tif 000032
【図３１】
0003203106.tif 000033
【図３２】
0003203106.tif 000034
【図３３】
0003203106.tif 000035
【図３４】
0003203106.tif 000036
【図３５】
0003203106.tif 000037
【図３６】
0003203106.tif 000038
【図３７】
0003203106.tif 000039
【図３８】
0003203106.tif 000040
【図３９】
0003203106.tif 000041
【図４０】
0003203106.tif 000042
【図４１】
0003203106.tif 000043
【図４２】
0003203106.tif 000044
【図４３】
0003203106.tif 000045
【図４４】
0003203106.tif 000046
【図４５】
0003203106.tif 000047
【図４６】
0003203106.tif 000048
【図４７】
0003203106.tif 000049
【図４８】
0003203106.tif 000050
【図４９】
0003203106.tif 000051
【図５０】
0003203106.tif 000052
【図５１】
0003203106.tif 000053
【図５２】
0003203106.tif 000054
【図５３】
0003203106.tif 000055
【図５４】
0003203106.tif 000056
【図５５】
0003203106.tif 000057
【図５６】
0003203106.tif 000058
【図５７】
0003203106.tif 000059
【図５８】
0003203106.tif 000060
【図５９】
0003203106.tif 000061
【図６０】
0003203106.tif 000062
【図６１】
0003203106.tif 000063
【図６２】
0003203106.tif 000064
【図６３】
0003203106.tif 000065
【図６４】
0003203106.tif 000066
【図６５】
0003203106.tif 000067
【図６６】
0003203106.tif 000068
【図６７】
0003203106.tif 000069
【図６８】
0003203106.tif 000070
【図６９】
0003203106.tif 000071
【図７０】
0003203106.tif 000072
【図７１】
0003203106.tif 000073
【図７２】
0003203106.tif 000074
【図７３】
0003203106.tif 000075
【図７４】
0003203106.tif 000076
【図７５】
0003203106.tif 000077
【図７６】
0003203106.tif 000078
【図７７】
0003203106.tif 000079
【図７８】
0003203106.tif 000080
【図７９】
0003203106.tif 000081
【図８０】
0003203106.tif 000082
【図８１】
0003203106.tif 000083
【図８２】
0003203106.tif 000084
【図８３】
0003203106.tif 000085
【図８４】
0003203106.tif 000086
【図８５】
0003203106.tif 000087
【図８６】
0003203106.tif 000088
【図８７】
0003203106.tif 000089
【図８８】
0003203106.tif 000090
【図８９】
0003203106.tif 000091
【図９０】
0003203106.tif 000092
【図９１】
0003203106.tif 000093
【図９２】
0003203106.tif 000094
【図９３】
0003203106.tif 000095
【図９４】
0003203106.tif 000096
【図９５】
0003203106.tif 000097
【図９６】
0003203106.tif 000098
【図９７】
0003203106.tif 000099
【図９８】
0003203106.tif 000100
【図９９】
0003203106.tif 000101
【図１００】
0003203106.tif 000102
【図１０１】
0003203106.tif 000103
【図１０２】
0003203106.tif 000104
【図１０３】
0003203106.tif 000105
【図１０４】
0003203106.tif 000106
【図１０５】
0003203106.tif 000107
【図１０６】
0003203106.tif 000108
【図１０７】
0003203106.tif 000109
【図１０８】
0003203106.tif 000110
【図１０９】
0003203106.tif 000111
【図１１０】
0003203106.tif 000112
【図１１１】
0003203106.tif 000113
【図１１２】
0003203106.tif 000114
【図１１３】
0003203106.tif 000115
【図１１４】
0003203106.tif 000116
【図１１５】
0003203106.tif 000117
【図１１６】
0003203106.tif 000118
【図１１７】
0003203106.tif 000119
【図１１８】
0003203106.tif 000120
【図１１９】
0003203106.tif 000121
【図１２０】
0003203106.tif 000122
【図１２１】
0003203106.tif 000123
【図１２２】
0003203106.tif 000124
【図１２３】
0003203106.tif 000125
【図１２４】
0003203106.tif 000126
【図１２５】
0003203106.tif 000127
【図１２６】
0003203106.tif 000128
【図１２７】
0003203106.tif 000129
【図１２８】
0003203106.tif 000130
【図１２９】
0003203106.tif 000131
【図１３０】
0003203106.tif 000132
【図１３１】
0003203106.tif 000133
【図１３２】
0003203106.tif 000134
【図１３３】
0003203106.tif 000135
【図１３４】
0003203106.tif 000136
【図１３５】
0003203106.tif 000137
【図１３６】
0003203106.tif 000138
【図１３７】
0003203106.tif 000139
【図１３８】
0003203106.tif 000140
【図１３９】
0003203106.tif 000141
【図１４０】
0003203106.tif 000142
【図１４１】
0003203106.tif 000143
【図１４２】
0003203106.tif 000144
【図１４３】
0003203106.tif 000145
【図１４４】
0003203106.tif 000146
【図１４５】
0003203106.tif 000147
【図１４６】
0003203106.tif 000148
【図１４７】
0003203106.tif 000149
【図１４８】
0003203106.tif 000150
【図１４９】
0003203106.tif 000151
【図１５０】
0003203106.tif 000152
【図１５１】
0003203106.tif 000153
【図１５２】
0003203106.tif 000154
【図１５３】
0003203106.tif 000155
【図１５４】
0003203106.tif 000156
【図１５５】
0003203106.tif 000157
【図１５６】
0003203106.tif 000158
【図１５７】
0003203106.tif 000159
【図１５８】
0003203106.tif 000160
【図１５９】
0003203106.tif 000161
【図１６０】
0003203106.tif 000162
【図１６１】
0003203106.tif 000163
【図１６２】
0003203106.tif 000164
【図１６３】
0003203106.tif 000165
【図１６４】
0003203106.tif 000166
【図１６５】
0003203106.tif 000167
【図１６６】
0003203106.tif 000168
【図１６７】
0003203106.tif 000169
【図１６８】
0003203106.tif 000170
【図１６９】
0003203106.tif 000171
【図１７０】
0003203106.tif 000172
【図１７１】
0003203106.tif 000173
【図１７２】
0003203106.tif 000174
【図１７３】
0003203106.tif 000175
【図１７４】
0003203106.tif 000176
【図１７５】
0003203106.tif 000177
【図１７６】
0003203106.tif 000178
【図１７７】
0003203106.tif 000179
【図１７８】
0003203106.tif 000180
【図１７９】
0003203106.tif 000181
【図１８０】
0003203106.tif 000182
【図１８１】
0003203106.tif 000183
【図１８２】
0003203106.tif 000184
【図１８３】
0003203106.tif 000185
【図１８４】
0003203106.tif 000186
【図１８５】
0003203106.tif 000187
【図１８６】
0003203106.tif 000188
【図１８７】
0003203106.tif 000189
【図１８８】
0003203106.tif 000190
【図１８９】
0003203106.tif 000191
【図１９０】
0003203106.tif 000192
【図１９１】
0003203106.tif 000193
【図１９２】
0003203106.tif 000194